(57)【要約】保持器４０は、１回用量分ずつに分けられた複数個の投入物質４６を保持するものである。この保持器は、長期使用可能なディスペンサー装置に作用的に連結されるように構成されている。この保持器は、ディスペンサー装置に連結されるか、または、ディスペンサー装置の中に挿入されるように構成されており、操作システムがこの保持器とディスペンサー装置ボディの少なくとも一部との間の相対移動を発生させることにより、少なくとも１個の１回用量分の投入物質の投入が行われる。この保持器には、参照情報提供手段４９ａ、４９ｂが一体的に設けられており、この参照情報提供手段は、前記相対移動が発生したときに、保持器内に保持されている投入物質の量と、ディスペンサー装置内における保持器の状態及び／または位置と、のうちの、少なくとも１つについての情報を提供するように構成されている。【選択図】図１０
2010535562.tif 000002
【特許請求の範囲】
【請求項１】
少なくとも１個の（好ましくは複数個の）１回用量分の例えば洗剤などの投入物質を保持する保持器であって、該保持器はディスペンサー装置に作用的に連結されるように構成されており、該ディスペンサー装置（１０）は、操作システム（６６，６７；２５０）とディスペンサー装置ボディ（２０，３０；２２０，２３０）とを備え、該ディスペンサー装置ボディが、前記保持器（４０；４０’；４０”；２４０；２４０’）の位置付けを行うための位置付け領域（３１；２３１）と投入開口（３３ａ；３３ａ’；２３３）とを有する構成とした、ディスペンサー装置であり、
前記保持器（４０；４０’；４０”；２４０；２４０’）は、前記ディスペンサー装置（１０）の前記位置付け領域（３１；２３１）に連結されるか、または、該位置付け領域（３１；２３１）の中に挿入されるように構成されており、前記操作システム（６６，６７；２５０）が前記保持器（４０；４０’；４０”；２４０；２４０’）と前記ディスペンサー装置ボディ（２０，３０；２２０，２３０）の少なくとも一部（３０）との間の相対移動を発生させることによって、前記少なくとも１個の１回用量分の投入物質（４６；２４６）の選択的な投入を行えるようにしてあり、
前記保持器（４０；４０’；４０”；２４０；２４０’）は、前記少なくとも１個の１回用量分の投入物質（４６；２４６）に対する所定の相対位置に、参照情報提供手段ないし検出対象提供手段（Ａ；Ａ’；Ａ”；４９，４９ａ，４９ｂ）を備えており、該参照情報提供手段ないし検出対象提供手段（Ａ；Ａ’；Ａ”；４９，４９ａ，４９ｂ）は、前記保持器（４０；４０’；４０”；２４０；２４０’）と前記ディスペンサー装置ボディ（２０，３０；２２０，２３０）の少なくとも一部（３０）との間の前記相対移動が生じた際に、情報ないしデータを取得し、または提供し、または生成することができるように構成されている、
ことを特徴とする保持器。
【請求項２】
前記情報ないしデータは、
−前記保持器（４０；４０’；４０”；２４０；２４０’）に保持されている投入物質（４６；２４６）の量と、
−前記位置付け領域（３１；２３１）内における前記保持器（４０；４０’；４０”；２４０；２４０’）の状態、及び／または、位置、及び／または、移動と、
のうちの、少なくとも１つを表すものであることを特徴とする請求項１記載の保持器。
【請求項３】
前記保持器はブリスターパッケージであることを特徴とする請求項１又は２記載の保持器。
【請求項４】
前記参照情報提供手段（Ａ；Ａ’；Ａ”；４９，４９ａ，４９ｂ）は、前記保持器（４０；４０’；４０”；２４０；２４０’）に設けられた検出対象提供手段（Ａ；Ａ’；Ａ”）から成り、該検出対象提供手段は、前記ディスペンサー装置（１０）の検出システム（２７０；２７０’）と協働し、ないしは相互作用をして、前記情報ないしデータを発生するように構成されていることを特徴とする請求項１乃至３の何れか１項記載の保持器。
【請求項５】
前記参照情報提供手段ないし検出対象提供手段（Ａ；Ａ’；Ａ”；４９，４９ａ，４９ｂ）は、
−前記保持器（４０；４０’；４０”；２４０；２４０’）に保持されている投入物質（４６；２４６）の残量と、
−前記位置付け領域（３１；２３１）内に前記保持器（４０；４０’；４０”；２４０；２４０’）が存在しているか否かについての状態と、
−前記位置付け領域（３１；２３１）内における前記保持器（４０；４０’；４０”；２４０；２４０’）の複数のあり得る動作位置のうちの１つの動作位置と、
のうちの、少なくとも１つを表す情報ないし数値を取得し、または提供し、または生成することができるように構成されている、
ことを特徴とする請求項１乃至４の何れか１項記載の保持器。
【請求項６】
参照情報提供部ないし検出対象提供部（Ａ１，Ａ２；Ｎ，Ｓ）は、
−保持器ボディの一連の凸部及び／または凹部、
−保持器ボディの一連の透光性部分及び／または遮光性部分及び／または反射性部分、
−保持器ボディに一体に設けられた一連の磁化インサート、
−金属材料または非磁化強磁性体材料から成る一連のインサート、
のうちの、少なくとも１つから成ることを特徴とする請求項４記載の保持器。
【請求項７】
前記保持器（４０；４０’；４０”；２４０；２４０’）は複数の収容座（４５；４５’；４５”；２４５；２４５’）を備えており、それら複数の収容座のうちの少なくとも１つの収容座を前記投入開口（３３ａ；３３ａ’；２３３）に対向させることができるようにしてあり、更に、前記保持器（４０；４０’；４０”；２４０；２４０’）内に封止手段が備えられており、該封止手段は、前記投入開口に対向させた前記少なくとも１つの収容座をその他全ての収容座から遮断するものであることを特徴とする請求項１乃至６の何れか１項記載の保持器。
【請求項８】
少なくとも１個の１回用量分の投入物質を保持する保持器であって、ディスペンサー装置に作用的に連結されるように構成されており、該ディスペンサー装置（１０）は、操作システム（６６，６７；２５０）とディスペンサー装置ボディ（２０，３０；２２０，２３０）とを備え、該ディスペンサー装置ボディが、前記保持器（４０；４０’；４０”；２４０；２４０’）の位置付けを行うための位置付け領域（３１；２３１）と投入開口（３３ａ；３３ａ’；２３３）とを有する構成とした、ディスペンサー装置であり、
前記保持器（４０；４０’；４０”；２４０；２４０’）は、前記ディスペンサー装置（１０）の前記位置付け領域（３１；２３１）に連結されるか、または、該位置付け領域（３１；２３１）の中に挿入されるように構成されており、前記操作システム（６６，６７；２５０）が前記保持器（４０；４０’；４０”；２４０；２４０’）と前記ディスペンサー装置ボディ（２０，３０；２２０，２３０）の少なくとも一部（３０）との間の相対移動を発生させることによって、前記少なくとも１個の１回用量分の投入物質（４６；２４６）の選択的な投入を行えるようにしてあり、
前記保持器（４０；４０’；４０”；２４０；２４０’）は、伝達手段（４７；４７’；４７ａ，４７ｂ；２４７）を備えており、該伝達手段は、前記ディスペンサー装置（１０）の前記操作システム（６６，６７；２５０）と係脱可能に協働するように構成されている、
ことを特徴とする保持器。
【請求項９】
少なくとも１個の１回用量分の投入物質を保持する保持器であって、ディスペンサー装置に作用的に連結されるように構成されており、該ディスペンサー装置（１０）は、操作システム（６６，６７；２５０）とディスペンサー装置ボディ（２０，３０；２２０，２３０）とを備え、該ディスペンサー装置ボディが、前記保持器（４０；４０’；４０”；２４０；２４０’）の位置付けを行うための位置付け領域（３１；２３１）と投入開口（３３ａ；３３ａ’；２３３）とを有する構成とした、ディスペンサー装置であり、該ディスペンサー装置は更に、該ディスペンサー装置が投入物質を投入する投入先の機器に分離不能に固定されており、
前記保持器（４０；４０’；４０”；２４０；２４０’）は、前記ディスペンサー装置（１０）の前記位置付け領域（３１；２３１）に連結されるか、または、該位置付け領域（３１；２３１）の中に挿入されるように構成されており、前記操作システム（６６，６７；２５０）が前記保持器（４０；４０’；４０”；２４０；２４０’）と前記ディスペンサー装置ボディ（２０，３０；２２０，２３０）の少なくとも一部（３０）との間の相対移動を発生させることによって、前記少なくとも１個の１回用量分の投入物質（４６；２４６）の選択的な投入を行えるようにしてあり、
前記少なくとも１個の１回用量分の投入物質は、少なくとも投入の開始時には前記保持器に固定されており、それによって、溶解媒体が、前記保持器へ流入して前記投入物質を少なくとも部分的に溶解し、そして、その溶解した部分の投入物質と共に前記投入開口（３３ａ；３３ａ’；２３３）から流出し得るようにしてある、
ことを特徴とする保持器。
【請求項１０】
１回用量分ずつに分けられた複数個の投入物質を保持する保持器であって、長期使用可能なディスペンサー装置に作用的に連結されるように構成されており、該ディスペンサー装置（１０）は、該ディスペンサー装置によって制御可能な操作システム（６６，６７；２５０）と、ディスペンサー装置ボディ（２０，３０；２２０，２３０）とを備え、該ディスペンサー装置ボディが、前記保持器（４０；４０’；４０”；２４０；２４０’）の位置付けを行うための位置付け領域（３１；２３１）と、投入開口（３３ａ；３３ａ’；２３３）とを有する構成とした、ディスペンサー装置であり、
前記保持器（４０；４０’；４０”；２４０；２４０’）は、複数の収容座（４５；４５’；４５”；２４５；２４５’）を画成しており、それら収容座は、その各々が、１回用量分ずつに分けられた前記複数個の投入物質のうちの１個ずつの１回用量分の投入物質（４６；２４６）を少なくとも部分的に収容するように構成されており、それら複数個の１回用量分の投入物質の個数は、投入を数回に亘って実行するのに十分な個数であり、
前記保持器（４０；４０’；４０”；２４０；２４０’）は、前記ディスペンサー装置（１０）の前記位置付け領域（３１；２３１）に連結されるか、または、該位置付け領域（３１；２３１）の中に挿入されるように構成されており、前記操作システム（６６，６７；２５０）が前記保持器（４０；４０’；４０”；２４０；２４０’）と前記ディスペンサー装置ボディ（２０，３０；２２０，２３０）の少なくとも一部（３０）との間の相対移動を発生させることによって、１回用量分の投入物質（４６；２４６）の選択的な投入を行えるようにしてあり、
前記保持器（４０；４０’；４０”；２４０；２４０’）は、実質的に高剛性の材料から成る一体部品として形成されたボディを有しており、該ボディは、１回用量分ずつに分けられた前記複数個の投入物質（４６，２４６）を収容するための収容空間を画成しており、該収容空間が分割されて前記複数の収容座（２４５）が画成されている、
ことを特徴とする保持器。
【請求項１１】
長期使用可能なディスペンサー装置（１０）の保持器に組合せて用いるための、１回用量分ずつに、互いに分離された複数個の物質を収容する複数の収容窩を備えたブリスターパッケージ（３４０）において、該ブリスターパッケージ（３４０）はボディを有し、該ボディは、前記保持器（４０；４０’；４０”；２４０；２４０’）に重ね入れること、または、嵌め込むことが可能に構成されていることを特徴とするブリスターパッケージ。
【請求項１２】
請求項１乃至１０の何れか１項記載の保持器と請求項１１記載のブリスターパッケージとを組合せたことを特徴とするパーツキット。
【請求項１３】
請求項１乃至１０の何れか１項記載の投入物質を保持する保持器の製造方法において、
−前記保持器と、前記検出対象提供手段ないし参照情報提供手段の少なくとも１つとを製作するのに適した形状を有する少なくとも１つの成形型を用意するステップと、
−前記保持器を提供するのに適した少なくとも一種類の材料を用いて射出成形を行うステップと、
−しかる後に、前記検出対象提供手段ないし参照情報提供手段の少なくとも１つを導入するステップと、
を少なくとも含むことを特徴とする方法。
【請求項１４】
少なくとも１個の１回用量分の投入物質を保持する保持器をディスペンサー装置に用いる方法において、
−請求項１乃至１０の何れか１項記載の保持器を用意するステップと、
−前記少なくとも１個の１回用量分の投入物質の少なくとも一部を溶解媒体で溶解し、その際に、前記溶解媒体が、前記保持器へ流入して前記投入物質を少なくとも部分的に溶解し、そして、その溶解した部分の投入物質と共に前記投入開口から流出し得るようにするステップと、
を含むことを特徴とする方法。
【発明の詳細な説明】
【技術分野】
【０００１】
本発明は保持器に関し、例えば、ディスペンサー装置（投入装置）が投入する少なくとも１種類の投入物質を、１回用量分ずつに分けた複数個の投入物質の形で保持するようにした保持器に関する。
【背景技術】
【０００２】
本発明は特に、家庭用の食器洗浄機に装備される長期使用可能なディスペンサー装置に用いる保持器、カートリッジ、リフィルなどに関して開発されたものである。この種のディスペンサー装置は、食器洗浄機が動作サイクルを複数回に亘って実行する上で十分な量の洗剤を保持し、そして、その保持している洗剤を、その食器洗浄機の複数回の動作サイクルにおいて投入できるように構成されている。ただし本発明は、食器洗浄機以外の様々な家庭用機器に装備されるディスペンサー装置に用いる保持器にも、効果的に適用し得るものであり、例えば、投入物質を１回用量分ずつに分けて保持しておき、個々の１回用量分の投入物質を選択的に投入することを必要とする、水まわり関連の家庭用機器の全般において、それら機器に装備されるディスペンサー装置にも本発明を利用することが可能である。
【発明の概要】
【発明が解決しようとする課題】
【０００３】
本発明の目的は、機器により制御されるディスペンサー装置に用いる保持器であって、特に構成が簡明で、製造が容易であり、ユーザにとって使い勝手がよく、更には、高機能な保持器を提供することにある。本発明の更なる目的は、いわゆるブリスターパッケージの包装形態で包装されている投入物質を組合せて使用する場合に特に好適な保持器を提供することにある。本発明の更なる目的は、かかる保持器と組合せて用いるのに特に好適なブリスターパッケージを提供することにある。
【課題を解決するための手段】
【０００４】
本発明によれば、以上の目的のうちの１つないし幾つかは、特許請求の範囲に記載した特徴を備えた１回用量分ずつに分けられた複数個の例えば洗剤などの投入物質を保持する保持器により達成され、また、以上の目的のうちの１つないし幾つかは、特許請求の範囲に記載した特徴を備えたブリスターパッケージにより達成される。尚、特許請求の範囲の記載は、本件特許出願の記載内容の一部を成すものである。
【０００５】
本発明のその他の目的、その他の特徴、並びにその他の利点は、以下の詳細な説明及び添付図面から明らかとなる。尚、以下の詳細な説明及び添付図面は、あくまでも具体例を提示することを目的としたものであり、本発明はそれらに示された具体例のみに限定されない。
【図面の簡単な説明】
【０００６】
【図１】１回用量分ずつに分けられた複数個の投入物質を保持する本発明に係る保持器を使用することのできるディスペンサー装置の斜視図である。
【図２】図１のディスペンサー装置の部分分解図である。
【図３】本発明の第１の実施の形態に係る保持器の斜視図である。
【図４】倍率を拡大して示した図３の詳細図である。
【図５】図３の保持器の平面図である。
【図６】図３の保持器の第１の変更形態に係る保持器の斜視図である。
【図７】図３の保持器の第２の変更形態に係る保持器の斜視図である。
【図８】本発明の第２の実施の形態に係る保持器を使用しているディスペンサー装置が装備されたユーザ機器を模式的に示した斜視図である。
【図９】図８のユーザ機器のもう１つの斜視図である。
【図１０】図９のユーザ機器のディスペンサー装置の斜視図である。
【図１１】図１０のディスペンサー装置に使用されている本発明の第２の実施の形態に係る保持器の斜視図である。
【図１２】図１１の保持器の変更形態を示した図である。
【図１３】図１２の保持器と組み合わせて使用することのできるディスペンサー装置であって図１０のディスペンサー装置の変更形態に係るディスペンサー装置の斜視図である。
【図１４】本発明の第３の実施の形態に係る保持器の斜視図である。
【図１５】倍率を拡大して示した図１４の詳細図である。
【図１６】本発明の第４の実施の形態に係る保持器の斜視図である。
【図１７】倍率を拡大して示した図１６の詳細図である。
【図１８】本発明の第５の実施の形態に係る保持器の斜視図である。
【図１９】図１８の保持器の別の斜視図である。
【図２０】図１８及び図１９の保持器と組み合わせて使用することのできるディスペンサー装置の斜視図である。
【図２１】図２０のディスペンサー装置の１個の部品を、このディスペンサー装置に使用されている本発明に係る保持器と共に示した斜視図である。
【図２２】本発明の第６の実施の形態に係る保持器の斜視図である。
【図２３】図２２の保持器の別の斜視図である。
【図２４】本発明の第７の実施の形態に係る保持器を使用しているディスペンサー装置の部分分解図である。
【図２５】図２４に示した保持器の別の視点から見た斜視図である。
【図２６】図２４に示した保持器を別の視点から見た斜視図である。
【図２７】本発明の第１の実施の形態に係る保持器に、同保持器に対応した本発明に係る投入物質のブリスターパッケージを組合せて使用する場合を示した斜視図である。
【図２８】図２７に示したブリスターパッケージの斜視図である。
【図２９】本発明の第５の実施の形態に係る保持器に、同保持器に対応した本発明に係る投入物質のブリスターパッケージを組合せて使用する場合を示した斜視図である。
【図３０】本発明の第８の実施の形態に係る保持器の斜視図であり、投入物質のブリスターパッケージを組合せて使用する場合を示した図である。
【図３１】図３０の保持器の斜視図であり、図３０のブリスターパッケージとは異なるブリスターパッケージを組合せて使用する場合を示した図である。
【図３２】本発明の第９の実施の形態に係る保持器の斜視図である。
【図３３】図３２の保持器の変更形態に係る保持器の斜視図である。
【図３４】本発明の第１０の実施の形態に係る保持器の斜視図である。
【図３５】本発明に係る保持器を使用している別の形態のディスペンサー装置の一部破断した軸測投影図法による斜視図である。
【図３６】本発明に係る保持器を使用している更に別の形態のディスペンサー装置の一部破断した軸測投影図法による斜視図である。
【図３７ａ】ある実施の形態に係る保持器の製造方法の３つのステップのうちの１つのステップを示した図である。
【図３７ｂ】ある実施の形態に係る保持器の製造方法の３つのステップのうちの１つのステップを示した図である。
【図３７ｃ】ある実施の形態に係る保持器の製造方法の３つのステップのうちの１つのステップを示した図である。
【図３８ａ】別の実施の形態に係る保持器の製造方法の３つのステップのうちの１つのステップを示した図である。
【図３８ｂ】別の実施の形態に係る保持器の製造方法の３つのステップのうちの１つのステップを示した図である。
【図３８ｃ】別の実施の形態に係る保持器の製造方法の３つのステップのうちの１つのステップを示した図である。
【図３９】更に別の実施の形態に係るディスペンサー装置の一部及び保持器の破断斜視図である。
【図４０】本発明に係るディスペンサー装置に使用する保持器の１つの変更形態を示した斜視図である。
【図４１】アナログ方式のトランスデューサを用いた検出システムと協働するように構成した、ディスペンサー装置に使用する保持器を示した単純化した模式図である。
【図４２】アナログ方式のトランスデューサを用いた検出システムの動作原理を説明するための単純化した模式図である。
【図４３】別のアナログ方式のトランスデューサを用いた検出システムの動作原理を説明するための単純化した模式図である。
【図４４】アナログ方式のトランスデューサを用いた第１の検出システムと組合せた、ディスペンサー装置に使用する保持器を示した単純化した模式図である。
【図４５】アナログ方式のトランスデューサを用いた第２の検出システムと組合せた、ディスペンサー装置に使用する保持器を示した単純化した模式図である。
【図４６】洗剤を保持する更に別の実施の形態に係る保持器の分解図である。
【図４７】本発明の更に別の特徴を示した単純化したブロック図である。
【発明を実施するための形態】
【０００７】
総括的な実施の形態である第１の実施の形態によれば、少なくとも１個の１回用量分の投入物質（例えば洗剤など）を保持する保持器は、ディスペンサー装置に作用的に連結されるように構成されている。前記ディスペンサー装置１０は、操作システム６６，６７；２５０とディスペンサー装置ボディ２０，３０；２２０，２３０とを備え、該ディスペンサー装置ボディが、前記保持器４０；４０’；４０”；２４０；２４０’の位置付けを行うための位置付け領域３１；２３１と投入開口３３ａ；３３ａ’；２３３とを有する構成とした、ディスペンサー装置である。
【０００８】
前記保持器４０；４０’；４０”；２４０；２４０’は、前記ディスペンサー装置１０の前記位置付け領域３１；２３１に連結されるか、または、該位置付け領域３１；２３１の中に挿入されるように構成されており、前記操作システム６６，６７；２５０が前記保持器４０；４０’；４０”；２４０；２４０’と前記ディスペンサー装置ボディ２０，３０；２２０，２３０の少なくとも一部３０との間の相対移動を発生させることによって、前記少なくとも１個の１回用量分の投入物質４６；２４６の選択的な投入を行えるようにしてある。
【０００９】
前記保持器４０；４０’；４０”；２４０；２４０’は、前記少なくとも１個の１回用量分の投入物質４６；２４６に対する所定の相対位置に、参照情報提供手段ないし検出対象提供手段Ａ；Ａ’；Ａ”；４９，４９ａ，４９ｂを備えており、該参照情報提供手段ないし検出対象提供手段Ａ；Ａ’；Ａ”；４９，４９ａ，４９ｂは、前記保持器４０；４０’；４０”；２４０；２４０’と前記ディスペンサー装置ボディ２０，３０；２２０，２３０の少なくとも一部３０との間の前記相対移動が生じた際に、情報（数値を含む）を提供及び／または取得することができるように構成されている。
【００１０】
前記情報は、好ましくは、
−前記保持器４０；４０’；４０”；２４０；２４０’に保持されている投入物質４６；２４６の量と、
−前記位置付け領域３１；２３１内における前記保持器４０；４０’；４０”；２４０；２４０’の状態、及び／または、位置、及び／または、移動と、
のうちの、少なくとも１つを表すものである。
【００１１】
本発明の別の総括的な実施の形態によれば、少なくとも１個の１回用量分の投入物質を保持する保持器は、ディスペンサー装置に作用的に連結されるように構成されている。ここで１つの利点として、前記ディスペンサー装置１０は、操作システム６６，６７；２５０とディスペンサー装置ボディ２０，３０；２２０，２３０とを備え、該ディスペンサー装置ボディが、前記保持器４０；４０’；４０”；２４０；２４０’の位置付けを行うための位置付け領域３１；２３１と投入開口３３ａ；３３ａ’；２３３とを有する構成とした、ディスペンサー装置である。
【００１２】
１つの実施の形態によれば、前記保持器４０；４０’；４０”；２４０；２４０’は、前記ディスペンサー装置１０の前記位置付け領域３１；２３１に連結されるか、または、該位置付け領域３１；２３１の中に挿入されるように構成されており、前記操作システム６６，６７；２５０が前記保持器４０；４０’；４０”；２４０；２４０’と前記ディスペンサー装置ボディ２０，３０；２２０，２３０の少なくとも一部３０との間の相対移動を発生させることによって、前記少なくとも１個の１回用量分の投入物質４６；２４６の選択的な投入を行えるようにしてある。
【００１３】
ここで利点として、前記保持器４０；４０’；４０”；２４０；２４０’は、伝達手段４７；４７’；４７ａ，４７ｂ；２４７を備えており、該伝達手段は、高い信頼性をもって前記ディスペンサー装置１０の前記操作システム６６，６７；２５０と協働するように構成されている。、
【００１４】
更に別の総括的な実施の形態によれば、少なくとも１個の１回用量分の投入物質を保持する保持器は、ディスペンサー装置に作用的に連結されるように構成されている。ここで利点として、前記ディスペンサー装置１０は、操作システム６６，６７；２５０とディスペンサー装置ボディ２０，３０；２２０，２３０とを備え、該ディスペンサー装置ボディが、前記保持器４０；４０’；４０”；２４０；２４０’の位置付けを行うための位置付け領域３１；２３１と投入開口３３ａ；３３ａ’；２３３とを有する構成とした、ディスペンサー装置であり、該ディスペンサー装置は更に、該ディスペンサー装置が投入物質を投入する投入先の機器に分離不能に固定されている。
【００１５】
前記保持器４０；４０’；４０”；２４０；２４０’は、前記ディスペンサー装置１０の前記位置付け領域３１；２３１に連結されるか、または、該位置付け領域３１；２３１の中に挿入されるように構成されており、前記操作システム６６，６７；２５０が前記保持器４０；４０’；４０”；２４０；２４０’と前記ディスペンサー装置ボディ２０，３０；２２０，２３０の少なくとも一部３０との間の相対移動を発生させることによって、前記少なくとも１個の１回用量分の投入物質４６；２４６の選択的な投入を行えるようにしてある。
【００１６】
ここで利点として、前記少なくとも１個の１回用量分の投入物質は、少なくとも投入の開始時には前記保持器に固定されており、それによって、溶解媒体が、前記保持器へ流入して前記投入物質を少なくとも部分的に溶解し、そして、その溶解した部分の投入物質と共に前記投入開口３３ａ；３３ａ’；２３３から流出し得るようにしてある。
【００１７】
本発明の実施の形態について説明するために、図１に、ユーザ機器に装備されるディスペンサー装置を模式的に示した。このディスペンサー装置は、ユーザ機器に物質を投入するための装置である。以下に説明する本発明の様々な実施の形態は、本発明を特に好適に用いることのできる好適用途に関する実施の形態であって、それらの説明において言及するディスペンサー装置は、家庭用食器洗浄機（食器洗い機）に洗剤を投入するための装置である。
【００１８】
ディスペンサー装置１０は、食器洗浄機の洗浄室を画成している周囲壁部のうちの１つに固定して取付けるように設計されたものであり、より具体的には、このディスペンサー装置１０は、例えば、食器洗浄機のドアの内側壁部を構成している、いわゆる「ダブルドア」などに取付けられるものである。
【００１９】
図２及び図３から明らかなように、ディスペンサー装置１０は、固定側ボディ２０と可動側ボディ３０とを備えており、それら固定ボディ２０及び可動ボディ３０によって、ハウジングが画成されている。このハウジングの中に、本発明に係る保持器が装填される。本発明に係る保持器は、例えば、１回用量分ずつに分けられた複数個の投入物質を保持するようにした保持器などである。図２及び図３に示した実施の形態は、本発明に係る保持器をリフィルカートリッジ４０として構成したものである。また、後に説明する様々な実施の形態のうちにも、本発明に係る保持器をリフィルカートリッジとして構成したものがある。尚、以下の説明では、リフィルカートリッジを、単に「カートリッジ」と称することもあり、単に「リフィル」と称することもあるが、いずれも同じものである。図２及び図３に示したリフィルカートリッジ４０は、食器洗浄機が複数回の洗浄サイクルを実行するのに十分な量の洗剤を収容して保持している。
【００２０】
固定側ボディ２０には、カートリッジの移動操作を行うための操作手段が組込まれている。この操作手段は電子回路を備えた周知の構造のものであり、食器洗浄機の制御システムに接続されており、その接続によって、食器洗浄機の制御システムがこの操作手段を制御できるようにしている。固定側ボディ２０には更に、伝達手段が組込まれており、この伝達手段は、操作手段が発生する操作力をカートリッジ４０に伝達することによって、カートリッジ４０を移動させるものである。尚、図示した実施の形態におけるカートリッジ４０の移動は、回転移動である。後に更に詳細に説明するように、このカートリッジ４０の移動によって、食器洗浄機が洗浄サイクルを実行しているときに、カートリッジ４０に保持されていた少なくとも１個の１回容量分の洗剤の投入が行われる。
【００２１】
食器洗浄機はタンクを備えており、そのタンクの壁部には固定側ボディ２０を接続するための開口が形成されている。固定側ボディ２０はその開口に固定接続され、その接続箇所は水漏れが生じないように封止状態とされる。より詳しくは、固定側ボディ２０は第１部分と第２部分とを有する。第１部分は蓋９０で保護されており、食器洗浄機の外側構造体とタンクとの間の隙間に嵌め込まれる。一方、第２部分は、タンクの外に露出する場合と、タンクの中に収容される場合とがあり、この第２部分に、可動側ボディ３０が装着される。図示した実施の形態では、固定側ボディ２０の第２部分に、可動側ボディ３０をスライド式に挿入して装着するための装着座が形成されており、可動側ボディ３０は実質的に引出し状に構成されている。
【００２２】
固定側ボディ２０は、主壁部（基礎壁部）２１と、この主壁部２１の図中下側に形成されたガイド部Ｇとを備えている。ガイド部Ｇは、このガイド部Ｇの形状に対応した形状に形成されているディスペンサー装置１０の可動側ボディ３０の周縁部が、このガイド部Ｇの中にスライド式に挿入できるように形成されている。
【００２３】
既述のごとく、可動側ボディ３０は実質的に引出し状に形成されている。更に、可動側ボディ３０は、その下方部分が実質的に円筒形のハウジング部３１として形成され、この下方部分と一体の上方部分がフランジ部３２として形成されており、このフランジ部３２の周縁部が、ガイド部Ｇの中にスライド式に挿入できるように形成されている（尚、以上の説明において「上方部分」及び「下方部分」と記載しているのは、添付図面においてそれらが上方及び下方に位置しているように描かれているからであり、本発明の構成を限定するものではない）。
【００２４】
ハウジング部３１は、周壁部３１ａと底壁部３１ｂとで画成されており、更に、底壁部３１ｂには、この底壁部３１ｂを貫通する投入開口３３ａが形成されている。
【００２５】
可動側ボディ３０のハウジング部３１は、その中にカートリッジ４０を収容するように構成されている。カートリッジ４０は、食器洗浄機が複数回の洗浄サイクルを実行するのに十分な量の洗剤を収容するように構成されている。図示した実施の形態では、リフィルカートリッジ４０は、その全体形状を扁平な円筒形としたボディと、このボディの内部に画成された複数の区画または収容部とを備えており、それら複数の区画または収容部の各々に、１回用量分ずつの洗剤を収容するようにしている。
【００２６】
図３〜図５から明らかなように、例えばプラスチック材料などで製作されるカートリッジ４０のボディは、中央管状部４１と、円筒壁部として形成された周壁部４２とを備えている。この実施の形態の変更構成例として、図６に示したように、カートリッジ４０のボディが、その軸心方向の一端に閉塞壁部４３を備えた構成とすることも可能である。ただし、このような閉塞壁部４３は、ディスペンサー装置１０が機能する上で必須のものではない。閉塞壁部４３を備えた構成とする場合には、その閉塞壁部４３を非常に薄く形成すること、及び／または、透明材料で形成することが好ましい（閉塞壁部４３は、例えば、カートリッジ４０の他の部分とは別体の部材として製作して溶着するようにしてもよく、カートリッジ４０の他の部分と一体に形成するようにしてもよく、或いはまた、カートリッジ４０の保護カバーの一部で形成するようにしてもよい）。ただし、最も簡明な構成の実施の形態は、閉塞壁部４３を備えず、カートリッジ４０の両面を共に開放した実施の形態である。
【００２７】
中央管状部４１と周壁部４２との間に、径方向に延在する複数の仕切壁部４４が設けられており、それら仕切壁部４４によって、一連の収容部ないし収容窩４５が画成されている。それら複数の収容部ないし収容窩４５には、その各々に、１回用量分の投入物質（例えば洗剤など）を固形状にしたものが１個ずつ収容されており、図５では、それら固形状の投入物質のうちの幾つかに参照符号４６を付してある。この実施の形態において、収容部４５の形状は、弓形の形状であり、特にその平面視形状は、可動側ボディ３０の投入開口３３ａの平面視形状と実質的に同一の形状とされている。固形状の１回用量分の投入物質４６は、軽い力で押し込むことで収容部４５に挿入可能なように収容部４５の形状に合わせて形成したタブレットの形態としてもよく、或いは、カートリッジ４０の製造時に、個々の収容部４５の中に粉末洗剤を充填して押し固めたもの、または、固化性を有する液体洗剤を注入して固化させたものとしてもよい。いずれの場合にも、収容部４５の中に収容した１回用量分の洗剤が、重力だけでその収容部４５から離脱することがないようにしておくことが望ましい。
【００２８】
両面が開放したカートリッジ４０では、そのカートリッジ４０の収容部４５も軸心方向の両端が開放したものとなる。そのため、両面が開放したカートリッジ４０の包装形態としては、保護フィルムまたは保護蓋によってそのカートリッジ４０の両面を閉塞し、ひいては洗剤を収容している収容部４５の両端を閉塞した包装形態として、そのカートリッジ４０をディスペンサー装置１０に挿入する際に、そのカートリッジ４０の少なくとも下面側の保護フィルムまたは保護蓋を除去するようにするとよい。また、別の実施の形態として、閉塞用の保護フィルムを、例えばポリビニルアルコールなどの水溶性プラスチック材料から成るフィルムとして、使用時に溶解するようにするのもよい。一方、閉塞壁部４３を備えたカートリッジでは、当然のことながら、そのカートリッジ収容部４５は閉塞壁部４３とは反対側の端部だけが開放したものとなる。そのため、閉塞壁部４３を備えたカートリッジの包装形態としては、そのカートリッジの閉塞壁部４３とは反対側の面だけに、除去可能な保護フィルム、溶解可能な保護フィルム、または保護蓋を備えた包装形態とすればよい。
【００２９】
カートリッジ４０の中央管状部４１には、ディスペンサー装置１０のそれぞれの操作部材に対して着脱可能に連結するための連結手段が備えられており、この連結手段は、中央管状部４１の両端のうち、カートリッジ４０の上面に近い側の端部に設けられている。図示した実施の形態では、この連結手段はリングギアから成り、このリングギアは中央管状部４１の端部の周縁部に沿って配列された一連の歯４７により構成されている。また、図４から明らかなように、それら一連の歯４７は中央管状部４１の内部に列設されている。また、そうするために、中央管状部４１には内周フランジ部４７ａが形成されており、この内周フランジ部４７ａ上にリングギアが形成されている。図示した実施の形態では、各々の歯４７は実質的に三角歯として形成されており、傾斜した上面と略々鉛直な前面とで画成されている。図示した実施の形態では更に、歯４７の前面の形状を非平面形状としており、より詳しくはその平面視形状をＶ字形としている、歯４７のこの前面は、Ｖ字形に拡がるように延展している２つの面領域から成り、そのため、一連の歯４７を正面から見たとき（カートリッジ４０の側面から見たとき）には、実質的に杉綾模様として見えるようになっている（これに関しては、例えば図５を参照されたい）。
【００３０】
ディスペンサー装置１０の伝達手段は、固定側ボディ２０に形成された円筒形の収容座２４の中に嵌合されて、この収容座２４によって回転可能に支持された、伝達部材を備えている。この伝達部材は、一対の突起６６を有しており、それら一対の突起６６の先端には、カートリッジ４０の一連の歯４７と協働する歯６７が夫々に形成されている。
【００３１】
使用に際しては、カートリッジ４０を可動側ボディ３０のハウジング３１の中に装填する。カートリッジ４０は、その複数の収容部のうちの少なくとも１つ（図５ではこれを参照番号４５ａで示した）を、洗剤を充填しない空の収容部としておくことが好ましい。そうした場合に、ディスペンサー装置１０を適切に動作させるには、最初に、その空の収容部４５ａが、投入開口３３ａの位置にくるように位置合せを行う必要がある。そのためには、ユーザはみずからの手でハウジング３１内のカートリッジ４０を回転させる。こうして位置合わせを行った後に、可動側ボディ３０をガイド部Ｇに挿入してスライドさせることで、可動側ボディ３０を閉じるようにする。
【００３２】
ディスペンサー装置１０の動作中は、先に説明した伝達部材の一対の突起６６の先端の夫々の歯６７が、それら歯６７の直下に位置しているカートリッジ４０の中央管状部４１の歯４７と噛合しており、その噛合によって、カートリッジ４０を回転させることが可能となっている。
【００３３】
即ち、一対の突起６６の歯６７と、カートリッジ４０の歯４７とが互いに噛合しているため、それら突起６６を有する伝達部材を回転させることによって、カートリッジ４０を回転移動させることができ、それによって、空の収容部４５ａの隣の収容部４５を投入開口３３ａの位置へ移動させる（即ち、洗剤が充填されている収容部を投入開口３３ａに対向させる）ことができる。
【００３４】
ある収容部４５が投入開口３３ａの位置へ移動させられたならば、食器洗浄機の洗浄室内に装備されている回転式スプリンクラーから噴射される洗浄液の噴流が、その収容部４５に収容されている１回用量分の洗剤４６に反復して噴き付けられ、それによってその洗剤４６が次第に溶解して、その洗剤が洗浄室内に投入されることになる。
【００３５】
使用済みの（空になった）カートリッジ４０を交換するには、ユーザは、食器洗浄機が動作していないときに、固定側ボディ２０から可動側ボディ３０を引出して、その使用済みのカートリッジを新たなカートリッジ４０に交換すればよい。そして、交換後には、可動側ボディ３０を再び閉じておく。
【００３６】
以上に説明した実施の形態では、１回用量分ずつに分けてカートリッジに収容されている洗剤は、その１個分（１回用量分）の洗剤の全量を、１回の洗浄サイクルのある１つの段階で投入するような使い方をしてもよく、或いはまた、その１個分の洗剤を、１回の洗浄サイクルの２つ以上の別々の段階で分けて投入するような使い方をすることもできる。ただし、更に別の使い方として、１回の洗浄サイクルで２種類以上の洗剤の投入を行うような使い方もあり、そのために、２種類以上の洗剤を収容するようなカートリッジの構成とすることも可能である。
【００３７】
そのような構成の１つの具体例を、図７に模式図で示した。同図において、カートリッジ４０には、第１収容部４５ｂと第２収容部４５ｃとが交互に形成されている。第１収容部４５ｂには、１回用量分の第１洗剤を固形状にした第１固形洗剤４６ｂが収容されており、第２収容部４５ｃには、１回用量分の第２洗剤を固形状にした第２固形洗剤４６ｃが収容されている。図７に示した具体例では、個々の収容部４５ｂ、４５ｃの中心角の大きさを、上で説明した実施の形態の収容部４５の中心角の半分の大きさにしている。図７に示した具体例では、先ず、投入開口３３ａに第１収容部４５ｂを位置合せして第１固形洗剤４６ｂの投入を行い、次に、投入開口３３ａに第２収容部４５ｃを位置合せして第２固形洗剤４６ｃの投入を行う。
【００３８】
図７に示した具体例では更に、カートリッジ４０の全ての収容部のうち、互いに隣接している２つの収容部４５ａだけを、空の収容部としている。ただし、カートリッジ４０の全ての収容部のうちの１個または２個の収容部を、最初から洗剤を収容しない空の収容部４５ａとすることは、本発明を実施する上での必須の要件ではない（即ち、洗浄サイクルの先頭の段階で洗剤を投入するのであれば、全ての収容部に洗剤を収容しておいても不都合はない）。
【００３９】
図８及び図９に、家庭用の機器の１つの具体例を示した。これらの図に示した具体例は食器洗浄機１である。この食器洗浄機１はキャビネット型の構造体２を備えており、この構造体２の中に洗浄室３が設けられている。構造体２には正面ドア４が装備されている。この正面ドア４はドロップダウン型のドアであり、即ち、ドアの下部がヒンジを介してキャビネット２に枢着されていて、実質的に水平な枢動軸心を中心として枢動可能となっている。洗浄室３の内部に、スプリンクラー手段が回転可能に取付けられている。ただし、スプリンクラーの基本構造並びに動作原理は周知のものであるため、図にはスプリンクラー手段を示していない。スプリンクラー手段には、加圧した洗浄液が供給され、供給された洗浄液は幾本もの噴流となって、この食器洗浄機の適宜の構成のバスケットの中に並べられた食器へ噴き付けられる。尚、バスケット及び食器も不図示とした。
【００４０】
図８及び図９に示したように、ディスペンサー装置１０は、ドア４の内側パネル４ａに取付けられるように構成されている。
【００４１】
図１０から明らかなように、可動側ボディ３０には、そのカートリッジ収容ハウジングの周壁部３１ａに透明窓３８が設けられている。この透明窓３８は、ディスペンサー装置１０が取付けられた状態にあるときには上方を向いており、ユーザはこの透明窓３８を通して、カートリッジ４０に１回用量分ずつに分けて収容されている洗剤の残量が、あと何回分であるかを視認することができ、この洗剤の残量は、適宜の表示部ないし標識によって示される。
【００４２】
そのような表示部ないし標識の１つの具体例を示したのが図１１である。同図に示した具体例は、カートリッジ４０の周壁部に印刷や刻設などの適宜の方法で一連の標識を設けたものである。それら標識は、互いに面積が等しく、カートリッジの複数の収容部４５の各々に対応した部分の周壁部に設けられている。またこの具体例では、カートリッジ４０は１４個の収容部を備えており、それら１４個の収容部に対応して以下の１４個の標識が設けられている。
−１４個のうちの１２個の標識４９は、その各々が、第１の色（例えば緑色）の領域と第２の色（例えば赤色）の領域とを有しており、第１の色の領域は、あと何回分の洗剤が使用可能であるかを表し、第２の色の領域は、既に何回分の洗剤が消費されたかを表している。より詳しくは、この具体例では、１２個の標識４９は、その各々が、緑色の長方形と赤色の長方形とで形成されており、それら２つの長方形の高さが個々の標識４９ごとに異なっている。
−１４個のうちの１個の標識４９ａは、その全領域が第１の色の領域となっている（従ってこの具体例では、その全領域が緑色となっており、これは、緑色の長方形の高さが最大となったものである）。
−１４個のうちの１個の標識４９ｂは、その全領域が第２の色の領域となっている（従ってこの具体例では、その全領域が赤色となっており、これは、赤色の長方形の高さが最大となったものである）。
【００４３】
この実施の形態では、カートリッジ４０は最初から空の収容部４５ａを備えておらず、そのため、標識４９ａが付された収容部と標識４９ｂが付された収容部とが隣り合っている（ただし、標識の形態及び／または配列は以上に示したものに限られず、その他の形態及び／または配列を採用することも可能である）。
【００４４】
可動側ボディ３０のハウジングに新たなカートリッジ４０を装填する際には、第１の実施の形態の場合と同様に、そのカートリッジ４０を手で回転させて、その回転角度位置をプリセット位置に合わせる。こうしてプリセット位置に合わせたとき、透明窓３８を通して見える標識は、緑色の標識４９ａとなり、それによって、最大回数分の洗剤が使用可能であることが示される。この標識４９ａは、更に、ユーザがカートリッジ４０を手で回転させる際の好適な目安を提供するものであり、なぜならば、この標識４９ａによって、初期設定位置であるプリセット位置に合わせられたことが視覚的に表示されるからである。
【００４５】
ディスペンサー装置を継続的に使用していると、カートリッジ４０が回転するのにつれて、透明窓３８を通して見える標識４９は、その緑色の部分が次第に小さくなり、赤色の部分が次第に大きくなる。これによって、洗剤の使用可能な回数が次第に減少していることがユーザに対して視覚的に、また直感的に分かり易い方式で表示される。洗剤を収容している最後の収容部４５が投入開口３３ａの位置にきたときには、全領域が赤色の標識４９ｂが透明窓３８の位置にきており、これによって、カートリッジ４０を交換する必要があることがユーザに対して表示される。
【００４６】
標識４９、４９ａ、４９ｂは夫々、一連の収容部４５に対する所定の相対位置に設けられているため、カートリッジ４０とディスペンサー装置ボディとの間の相対移動が生じることで、洗剤の残量に関する情報が得られるのである。
【００４７】
当然のことながら、標識４９の形態は、その目的にかなうものであるならば、以上に説明したものに限られず、その他の任意の形態として構わない。例えば、図形文字、及び／または、アルファベット文字、及び／または、数字から成る文字列（例えば、数字が１つずつ減じて行く数字列として、一種の「カウントダウン」方式でユーザに情報を与えるようにする）などとしてもよく、或いはまた、「フル」、「エンプティ」などのように、状態を書き表した表記としてもよい。
【００４８】
以上に例示した標識は、例えば、カートリッジ４０をモールド成形によって製作する際にそのカートリッジ４０のボディに直接形成するようにしてもよく、或いは、カートリッジ４０を製作した後に、例えば１枚または複数枚の粘着ラベルを貼着するなどして形成するようにしてもよい。
【００４９】
図１２及び図１３に示したのは、カートリッジ４０に保持されている洗剤の残量を視認できるように、色による表示を行う場合の、別の１つの実施の形態である。
【００５０】
この実施の形態では、可動側ボディ３０の、洗剤投入開口３３ａに隣接する位置に、透明窓３８”が設けられており、この透明窓３８”は、カートリッジ４０の中央管状部（ハブ）の底壁部４０ａに対向するようにしてある。カートリッジ４０の中央管状部には、円筒形の突出部が設けられており、この突出部は、図示したように複数の扇形部分に区画されている。それら扇形部分の各々は、カートリッジ４０の複数の収容部４５の各々に揃えられており、実質的にそれら収容部４５の延長部分を形成している。図１１を参照して説明した標識と同様に、それら扇形部分のうちの互いに隣り合った２つの扇形部分においては、一方はその全領域が第１の色（例えば緑色）とされており、他方はその全領域が第２の色（例えば赤色）とされている。その他の扇形部分は、第１の色の領域と第２の色の領域との両方を含んでおり、それら２つの領域の相対的な比率が次第に変化するようにしてある。
【００５１】
全ての収容部に洗剤が充填された状態にあるカートリッジ４０が、初期位置に位置付けられているとき、透明窓３８”を通して見える扇形部分は、その全領域が緑色の扇形部分である。この状態から、ディスペンサー装置が制御されてカートリッジ４０を回転させて行くと、それにつれて、緑色の領域及び赤色の領域の大きさが異なる扇形部分が、次々と透明窓３８”を通して表示される。これによって、洗剤の使用可能な回数が次第に減少していることがユーザに対して視覚的に表示される。洗剤を収容している最後の収容部４５が投入開口３３ａの位置にきたときには、全領域が赤色の扇形部分が透明窓３８”の位置にきており、これによって、カートリッジ４０を交換する必要があることがユーザに対して表示される。
【００５２】
いうまでもなく、図１２及び図１３の実施の形態においても、中央管状部（ハブ）４１の底壁部４０ａに設ける表示用の扇形部分の形状、ないしはそこに設ける表示記号は、その目的に適うものであるならば、任意の形状ないし表示記号として構わず、例えばその表示記号として、数字が１つずつ減じて行く数字列を用いるようにしてもよい。
【００５３】
カートリッジ４０の歯４７の形状も、上に説明した形状に限られず、その他の様々な形状とすることができ、ディスペンサー装置１０に用いられている伝達手段の形態に合わせて、適宜の形状に変更すればよい。
【００５４】
その１つの具体例として、例えば図１４及び図１５に示した歯４７の形状は、図３〜図５に示した実施の形態における歯４７の形状とは若干異なっており、この具体例では、一連の歯４７を正面から（カートリッジ４０の側面から）見たときに、杉綾模様に見えるのではなく、直線的な放射模様に見えるような形状となっている。尚、歯４７の枚数、及び／または、配列は、ここに示したものとは異なったものとすることも可能である。
【００５５】
図１６及び図１７に、カートリッジ４０をディスペンサー装置１０の伝達手段に係合させるための係合手段の別の実施の形態を示した。この実施の形態では、同手段は、カートリッジ４０の中央管状部（ハブ）４１の内周面に交互に形成された一連の凸部４７ａと凹部４７ｂとから成る。また、この実施の形態では、凸部４７ａ及び凹部４７ｂの形状は実質的に三角形、ないしは等辺台形の形状（即ち、斜面を有する形状）とすることが好ましく、そうすれば、カートリッジ４０と伝達手段とを互いに係合させることも容易となり、また、カートリッジ４０と伝達手段とのセンタリング（心合わせ）も容易になる。
【００５６】
先に説明した実施の形態では、カートリッジ４０とそれに対応したディスペンサー装置１０の伝達手段との間の機械的な連結における連結方向が、主として、カートリッジ４０の回転軸心の軸心方向であったのに対して、図１６及び図１７に示したこの実施の形態では、その機械的な連結における連結方向が、主として、カートリッジ４０の回転軸心の径方向となっている（ただし厳密に言うならば、この実施の形態では、その連結方向は実質的に混合型であり、即ち、部分的に径方向であると共に部分的に軸心方向である）。
【００５７】
図１８〜図２１に本発明の別の実施の形態を示した。この実施の形態では、カートリッジ４０’の収容部が開放している方向は、このカートリッジの回転軸心の軸心方向ではなく、回転軸心の径方向だけが開放している。この実施の形態では、カートリッジ４０’のボディは、互いに平行に延展する上壁部４３’及び下壁部４３’と、一連の歯４７が形成された中央管状部４１’と、径方向に延在する一連の仕切壁部４４’とを備えている。一連の仕切壁部４４’は、中央管状部４１’から、上壁部４３’及び下壁部４３’の周縁部まで延在しており、それによって洗剤を収容する複数の収容部が画成されている。尚、それら収容部のうちの１つに参照符号４５’を付した。
【００５８】
この実施の形態では、１回用量分の洗剤４６の形状は、略々円筒形を扇形に切り分けた形状であり、特にその平面視形状は、可動側ボディ３０の投入開口３３ａ’の平面視形状と実質的に同一である。また、この実施の形態では、１回用量分の洗剤４６は、軽い力で押し込むことで、カートリッジ４０’の回転軸心の略々径方向及びそれに対して直交する方向において収容部４５’の内壁面を押し広げつつ収容部４５’に挿入可能なように、収容部４５’の形状に合わせて形成したタブレットとしてもよく、或いは、カートリッジ４０’の製造時に、個々の収容部４５’の中に粉末洗剤を充填して押し固めたもの、または、固化性を有する液体洗剤を注入して固化させたものとしてもよい。後者の場合、粉末洗剤ないし液体洗剤の装填は、径方向に押し固めることによって、ないしは径方向に注入することによって行われ、より具体的には、外周縁から径方向内方へ向けて行われ、即ち、中央管状部４１’へ向けて行われる。
【００５９】
また、この実施の形態では、図２０及び図２１から明らかなように、ディスペンサー装置１０の投入開口３３ａ’は、引出し状に構成された可動側ボディ３０の周壁部３１ａに形成されている。
【００６０】
図２２及び図２３に、本発明の更に別の実施の形態を示した。この実施の形態は、カートリッジ４０”の外形形状を、全体的にテーパを付けて、傾斜させた形状としたものである。
【００６１】
この実施の形態のカートリッジ４０”では、その中央部４１”の形状は、図１６及び図１７に示したカートリッジの中央部の形状と実質的に同一であるが、その周壁部４２”の形状は截頭円錐形状であり、そのため周壁部４２”はこのカートリッジ４０”回転軸心に対して傾斜している。また、中央部４１”と周壁部４２”との間を径方向に延在する複数の仕切壁部４４”を備えている。この実施の形態では、それら仕切壁部４４”によって画成された複数の収容部４５”は、このカートリッジ４０”の軸心方向の両面で開放している。ただし、先に説明した実施の形態と同様に、このカートリッジ４０”のボディを、底壁部を備えたものとしてもよい。このカートリッジ４０”に収容されている１回用量分ずつに分けられた洗剤４６は、収容部４５”の形状に対応した形状とされている。
【００６２】
このカートリッジ４０”を使用することが特に有利であるのは、例えば、ディスペンサー装置１０を、その使用時の姿勢が縦姿勢となるようにして取付ける場合などであり、より具体的には、例えば、ディスペンサー装置１０を、食器洗浄機のダブルドア４ａ（図８参照）や、食器洗浄機の洗浄室の側壁部の１つに取付ける場合などであって、そのような取付け方をすることにより、収容部４５”に収容されている１回用量分の洗剤が投入開口３３ａを通ってカートリッジ４０”から流出し易くなり、また、収容部４５”の洗浄も容易になる。即ち、カートリッジ４０”の周壁部４２”の内壁面が傾斜しているため、洗剤が流出し易くなると共に、洗剤が溶解した洗浄液の液切れも良好となり、それらによって洗剤成分が残留するおそれが低減するのである。
【００６３】
以上に説明した様々な実施の形態はいずれも、本発明に係るカートリッジを回転移動させることによって、そのカートリッジの個々の収容部をディスペンサー装置の供給開口の位置へ移動させるものであった。ただし、カートリッジの移動方式は回転移動に限られるものではなく、それとは異なる移動方式とするようにカートリッジを構成することも可能である。例えば、カートリッジを直線移動させる構成とすることも、ディスペンサー装置をそれに対応した構成とすることで可能となる。図２４〜図２６は、そのように構成した実施の形態の具体例を示したものである。
【００６４】
図２４〜図２６に示したディスペンサー装置１０は固定側ボディ２２０を備えており、この固定側ボディ２２０は、その全体形状が角柱形状ないし直方体形状であって、ハウジング２３１を画成している。ハウジング２３１は細長い形状であり、その前面が開放している。固定側ボディ２２０の上縁に、揺動蓋として形成された可動側部材２３０が枢着されており、この可動側部材２３０に供給開口２３３が形成されている。
【００６５】
ハウジング２３１は、その上側部分にカートリッジ２４０を挿入できるように構成されている。カートリッジ２４０はその全体形状が直方体形状であり、ハウジング２３１内で摺動することにより直線移動することができる。また、カートリッジ２４０はその内部が仕切られて複数の収容部２４５が画成されている。それら収容部２４５は一列に並んでおり、その各々が１個ずつの１回用量分の洗剤を収容するものである。先に説明した実施の形態と同様に、このカートリッジ２４０のボディは、実質的に高剛性の構造のものとすることが好ましく、例えばプラスチック材料を用いてモールド成形などにより製作するとよい。尚、このカートリッジ２４０はディスペンサー装置から自由に取外すことができる。
【００６６】
図２６には、ラック構造部２４７が示されている。このラック構造部２４７は、カートリッジ２４０の下壁部に形成されており、ディスペンサー装置１０の操作手段及び／または伝達手段と協働するものである。
【００６７】
本発明の特に有利な１つの実施の形態では、カートリッジ２４０の下壁部に検出対象提供部とが一体化されており、即ち、カートリッジ２４０の下壁部が検出対象提供部としても機能する形状に形成されている。この検出対象提供部の全体を参照符号Ａで示した。この検出対象提供部Ａは、ディスペンサー装置１０のエンコーダセンサ２７０に信号を発生させるためのものであり、このエンコーダセンサ２７０は、ハウジング２３１内におけるカートリッジ２４０の位置を検出するためのセンサである。
【００６８】
図示した実施の形態において、センサ２７０は、電磁放射送出素子（発光素子）と電磁放射受入素子（受光素子）とを備えた光センサである。また、検出対象提供部Ａは、その全体形状が直線形状であり、交互に形成された一連の凸部Ａ１と凹部Ａ２とから成る。センサ２７０の取付け位置は、ディスペンサー装置のボディの、カートリッジ２４０の凸部Ａ１及び凹部Ａ２が形成されている領域に対向した位置とするのがよい。
【００６９】
このセンサ２７０の正面に、一連の凹部Ａ２のうちの１つが位置しているときには、発光素子が射出した光は反射されないため、受光素子に光は入射しない。一方、このセンサ２７０の正面に、一連の凸部Ａ１のうちの１つが位置しているときには、センサ２７０の受光素子が反射光に反応する。この動作原理によって、カートリッジの移動が検出可能となっている。
【００７０】
検出対象提供部Ａは、その一連の凹部Ａ２によって、情報をエンコードしたものとすることができ、検出したい情報、及び／または、ユーザに対して表示したい情報をエンコードするようにする。そのような情報としては、例えば、カートリッジの洗剤が全て消費されたこと、カートリッジがその時点で収容している洗剤が「ｎ回分」であること、カートリッジの位置、その時点で供給開口に位置合わせされている収容部ないし洗剤が何回目のものであるかということ、カートリッジが不適切な位置にあること、等々である。
【００７１】
その概要を述べるならば、この一連の凸部Ａ１と凹部Ａ２とから成る検出対象提供部Ａは、一連の収容部２４５に対する所定の相対位置に形成するものであり、そして、カートリッジとディスペンサー装置のボディとの間の相対移動によって、１回用量分ずつ収容されている洗剤があと何回分残っているか（または既に何回分消費されたか）、及び／または、ハウジング２３１内のカートリッジの状態、及び／または、ハウジング２３１内におけるカートリッジの位置などを表す少なくとも１つの情報を提供するものである。
【００７２】
尚、以上に説明した一連の凹部Ａ２の機能を、一連の凸部Ａ１に代替させることも可能である。また、凹部ないし凸部の個数、形成位置についても、図示したものとは異なった個数、異なった形成位置とすることができる。更に、検出対象提供部Ａのエンコードは、遮光性を有するボディの凹部及び／または凸部によって行う以外に、遮光性部分と透光性部分ないし反射性部分とを交互に設けることによっても行うことができる。
【００７３】
ディスペンサー装置１０のエンコーダを利用した検出システムは、以上に説明したものとは異なった構成のものとすることも可能である。例えば、光エンコーダに替えて、磁気エンコーダまたは誘導性エンコーダを使用することも可能であり、即ち、その検出システムを、磁界または磁界変動を検出するように構成することも可能である。そのような実施の形態では、凸部Ａ１または凹部Ａ２に替えて、永久磁化したインサートを用いるようにするとよい。より好ましくは、凸部Ａ１と凹部Ａ２の、その一方に替えて前面がＮ極となるように永久磁化したインサートを、また他方に替えて前面がＳ極となるように永久磁化したインサートを用いるようにし、そして、エンコーダセンサ２７０を磁界検出器とすることである。また更に、そのような永久磁化したインサートに替えて、金属材料製のインサートや、非磁化強磁性体材料製インサートを用いるようにしてもよい。また、そのインサートを、複数の歯を列設した形状の鉄または鋼から成る部材としてもよい。以上の様々なインサートは、カートリッジのボディをモールド成形により製作する際に埋設するようにしてもよく、或いは、製作したカートリッジのボディに後から挿入するようにしてもよい。
【００７４】
言い換えると、従って、以上に説明した様々な構成の実施の形態において、検出対象提供部は、直接的に信号を発生するものではなく、エンコーダセンサ２７０の信号の変動を誘発するもの、もしくは、エンコーダセンサ２７０の信号を誘発するものであると言える。
【００７５】
カートリッジのボディの一部であって、カートリッジを制御するための信号を誘発する部分である検出対象提供部Ａは、例えば次の方法によって製作することができる。その製作方法においては、先ず、製作材料として熱可塑性プラスチックであるフェライト含有プラスチックを用いて、オーバーモールド成形によって、カートリッジのボディの表面に検出対象提供部Ａとするための所望の形状の部分を形成し、しかる後に、その形成した部分を、適宜の磁化方法を用いて所望の磁化方向に磁化する（この磁化方向には、磁化部分の個数及び位置、それに、磁化部分の磁界の方向及び極性なども含まれる）というものである。尚、検出対象提供部Ａの形状は図示したものに限られない。また当然のことながら、先に説明したものと同様に、磁化インサートや強磁性体材料製インサートをカートリッジ２４０のボディに埋設または挿入することによって検出対象提供部Ａの磁化部分を形成することも可能である。また更に、検出対象提供部Ａは、カートリッジ２４０のボディの長手方向に延在するその他の壁部に設けるようにしてもよい。
【００７６】
図２５に示した実施の形態では、ディスペンサー装置１０の中にカートリッジ２４０を装着したときに、このカートリッジ２４０の先頭の収容部２４５（図中右端の収容部）が投入開口２３３の位置にくるようにしてある。ただし、カートリッジ２４０の初期位置を図２５に示した位置よりも更に後方に設定して、装着後にカートリッジ２４０の移動操作を１回行ったときに、図中右端の先頭の収容部２４５が投入開口２３３の位置にくるようにしてもよい。
【００７７】
本発明の更なる１つの局面として、先に説明した保持器をいわゆるブリスターパッケージと組合せて用いるようにしてもよい。ブリスターパッケージは、剛性の小さな包装材から成るパッケージであり、その包装材は、例えば、２枚のプラスチックシート材で製作されることもあり、また、１枚のプラスチックシート材と１枚のアルミニウムシート材とで製作されることもある。それらシート材のうちの１枚は厚手のシート材であり、このシート材には賦形加工が施されて、各々が１回用量分の洗剤を収容する複数の収容空間即ち収容窩が形成される。もう１枚のシート材は薄手のシート材であり、これは殆どの場合、除去可能なフィルムとされる。このようなブリスターパッケージは、使用に際して、先ず、その薄手のシート材から成る除去可能なシートを除去し、しかる後に、そのブリスターをディスペンサー装置１０の中に、及び／または、カートリッジ２４０の中に装填する。ここで、洗剤を収容している収容窩を画成している厚手のシート材（即ちブリスター）を、カートリッジ２４０に装着する場合には、そのカートリッジ２４０は、ブリスターを保持するためのブリスター保持器として機能するものとなり、そのブリスターが装着されたカートリッジ２４０を、ディスペンサー装置１０の中に装填することになる。別の実施の形態として、除去可能なフィルムを例えばポリビニルアルコールなどの水溶性プラスチック材料から成るものとして、使用中に、その除去可能なフィルムが順次溶解して、収容窩の１つ１つから順次除去されて行くようにすることもできる。更に別の実施の形態として、ブリスターを、賦形加工を施して収容窩を形成した１枚のシートだけから成るものとし、それを、それに対応した形状の保護用の密封可能なプラスチック包装袋に収容するようにしてもよく、この場合には除去可能なフィルムを不要化することができる。
【００７８】
図２４に、本発明の１つの実施の形態に係るブリスター３００を示した。ただし図示したのは、ブリスター３００の全体のうちの、複数の収容窩３４５を画成しているプラスチックシート材から成る部品だけであり、また同図には、収容窩３４５に洗剤が充填されておらず空の状態にあるところを示した。同図から明らかなように、このブリスター３００は、その複数の収容窩３４５が、カートリッジ２４０の夫々の収容部２４５の中に少なくとも部分的に収容される形状に形成されている。
【００７９】
また、その他の実施の形態に関しても、先に参照符号４０を付して説明したそれら実施の形態におけるカートリッジを、そのまま、ブリスターパッケージを保持するブリスター保持器としても使用するようにしてもよく、或いは、そのカートリッジを、ブリスターパッケージを保持するための専用のブリスター保持器に替えるようにしてもよい。
【００８０】
図２７及び図２８に示したのは、先に参照符号４０を付して説明したカートリッジに組合せて使用するためのブリスター３００の具体例である。ただし図２７及び図２８に示したのは、ブリスター３００の全体のうちの、賦形加工が施されて各々が１回用量分の洗剤を収容する複数の収容窩３４５が形成されたシート材だけである。また、１回用量分の洗剤は、略々円筒形を扇形に切り分けた形状のタブレットの形態とされており、図にはそのタブレットの形態の洗剤に参照符号２４６を付して示した。図から明らかなように、賦形加工が施されたシート材（以下、賦形シート材）は、カートリッジ４０の形状に対して実質的に相補的な形状、即ち、陰形としての形状に賦形されており、それによって、この賦形シート材がカートリッジ４０の中に装填できるようになっている。特に図２８から明らかなように、ブリスター３００の賦形シート材は、各々が径方向に延在している一連の隙間空間画成部３４５ａを備えており、それら隙間空間画成部３４５ａは、その各々が、互いに隣接する２つの収容窩の間を延在しており、対応するカートリッジ４０の径方向仕切壁部４４に被せられるものである。また、この図に示した実施の形態では、夫々の収容窩３４５は、図中でブリスター３００の上側に相当する部分が開放しているが、ただし、ブリスターの下側に相当する部分が開放した収容窩とすることも考えられ、更には、上下両側が開放した収容窩とすることも考えられる（その場合には、ブリスターを密封包装体から出したときに、そのブリスターの両面の夫々に、選択的に除去可能な２枚のフィルムシートが貼着されているようにするとよい）。
【００８１】
容易に理解されるように、図２２及び図２３に示したカートリッジないし保持器４０”に関しても、以上に説明した概念に基づいて、そのカートリッジないし保持器４０”の形状に対して実質的に相補的な形状を有するブリスターを製作することが可能である。
【００８２】
一方、図２９に示したのは、図２１に示したカートリッジ４０’と組合せて使用するブリスター３００である。この具体例のブリスター３００は、図示したように、真っ直ぐに伸ばしたときには、略々直線状の細長い形状を呈するものである。賦形シート材には一連の収容窩３４５が形成されており、それら収容窩３４５は、その各々にタブレットの形態の洗剤２４６を１個ずつ収容するために、その形状を、円筒形を扇形に切り分けた形状としてある。従って、この具体例において、ブリスターのボディを画成している賦形シート材は、一連の中空空間画成部３４５’を有しており、それら中空空間画成部３４５’は円筒形を扇形に切り分けた形状であり、また、それら中空空間画成部３４５’は、それらの開放した側面（即ち前面）の少なくとも一辺において互いに連結しており、その開放した側面は円弧形状である。
【００８３】
この実施の形態では、収容窩３４５が形成されているプラスチックシート材（賦形シート材）が可撓性を有することから、ユーザが、ブリスター３００を装着するために、その複数の収容窩３４５をカートリッジ４０’の複数の収容部４５’の中に挿入して行くときに、ブリスター３００を実質的にリング形の形状にすることができる。
【００８４】
図３０に示した保持器２４０’は、例えば図２１に示したカートリッジ４０’に替えて用いることのできるものである。この具体例では、保持器２４０’は例えばプラスチック材料を用いてモールド成形などにより製作され、この保持器２４０’のボディは実質的に剛体であり、基礎壁部２４３と、この基礎壁部２４３の中央領域に設けられた管状ハブ部２４１とを備えている。管状ハブ部２４１の下側部分には、ディスペンサー装置１０の運動伝達機構に連結するための連結手段が備えられ、この連結手段は例えば、先に説明した一連の歯４７を備えたリング形構造などである。管状ハブ部２４１の外周面から複数の仕切壁部２４４が径方向に延出しており、それら仕切壁部２４４によって複数の保持部２４５’が画成されている。この可動保持器２４０’は、その上面にブリスター３００を装着することができるように構成されており、その構成は、図２７及び図２８を参照して先に説明した構成と同様であるが、ただしこの実施の形態では、収容窩３４５の開放面を、ブリスターの周面としてあり、その点において図２７及び図２８の構成とは異なっている。また、この実施の形態では、ブリスター３００は、各々が径方向に延在する一連の隙間空間画成部３４５ａを備えており、それら隙間空間画成部３４５ａは、その各々が互いに隣接する２つの収容窩の間を延在しており、可動保持器２４０’の径方向仕切壁部２４４に被さるように形成されている。尚、可動保持器２４０’を、基礎壁部２４３を備えた構成とすることは、可動保持器２４０’に一定の剛性を付与する上で好ましい構成であるが、ただしこれは必須要件ではなく、あくまでも選択肢の一つである。また、以上に説明した可動保持器２４０’は、図２７及び図２８に示したブリスター３００と組合せることによって、先に説明したその他の実施の形態における装填部材（カートリッジ）４０の替わりに使用することもできるものである。
【００８５】
また、図３１に示した別の実施の形態に係るブリスター３００は、収容窩３４５の開放面を、ブリスターの上面とブリスターの周面との両方としたものである。このような構成としたブリスター３００は、保持器ないしカートリッジ４０、４０’と組合せることで、或いは、可動保持器２４０’と組合せることで、図１〜図２１のディスペンサー装置に使用することができる。
【００８６】
本発明のその他の構成例として、先に説明した様々な種類のエンコーダセンサ（光センサ、磁気センサ、誘導センサ）を備えると共に、回転移動式の可動保持器を備えたディスペンサー装置１０がある。
【００８７】
図３２にそのような構成の具体的な実施の形態を示した。この実施の形態では、カートリッジないし保持器４０は、検出対象提供リング（検出対象提供クラウン）Ａ’を備えており、この検出対象提供リング（検出対象提供クラウン）Ａ’は、カートリッジないし保持器４０の周壁部４２に形成されている。検出対象提供リング（検出対象提供クラウン）Ａ’には複数の凹部Ａ２が形成されており、それら凹部Ａ２は径方向と軸心方向との両方において陥凹している（その結果、複数の凸部Ａ１が径方向と軸心方向との両方向において突出している）。複数の凹部Ａ２及び／またはそれらの間に形成された複数の凸部Ａ１には、光検出を容易にする少なくとも１種類の材料をコーティングすると有利であり、その種の材料としては例えば遮光性材料及び／または反射性材料（光沢塗料や粘着テープなど）などがあり、また、インサートを、カートリッジないし保持器４０に、植設、埋設、溶着、ないしは接着などによって装備するようにしてもよい。凹部Ａ２及び／または凸部Ａ１は、カートリッジの製作時に同時に形成するとよく、例えば、熱可塑性プラスチックを材料としたモールド成形によりカートリッジを製作する際に、それらを同時に形成するとよい。
【００８８】
図３２に示した実施の形態は、具体例として提示したものであって、本発明はこの具体例に限定されないが、この実施の形態では、複数の収容部４５の各々に対応させて１つずつの切欠部（凹部）Ａ２が形成されており、これによって、ディスペンサー装置１０のエンコーダセンサ２７０が収容部の個数をカウントできるようにしている。また、カートリッジないし保持器４０の切欠部（凹部）Ａ２を設ける複数の位置のうちの所定の１つの位置にだけ、その他の位置に設ける切欠部（凹部）と区別できる切欠部（凹部）を設けるようにして（例えば、その一箇所だけには複数の切欠部（凹部）を設けるなどして）、エンコーダを用いた検出システムが当該位置を判別できるようにしておくと好都合である。そのためには、例えば、１つの収容部４５にだけ、２つの切欠部（凹部）Ａ２を設けるようにすればよく、それによって、検出システムが初期位置及び／または最終位置を検出できるようになる。
【００８９】
ディスペンサー装置１０の光センサ２７０は、カートリッジないし保持器４０の全体のうちの、検出に用いられる凹部Ａ２及び／または凸部Ａ１が形成されている領域、即ち、検出対象提供クラウンＡ’を画成している領域に対向するように配設されている。
【００９０】
図３３に示した実施の形態は、図３２に示した実施の形態と類似したものであるが、ただし図３３の実施の形態における保持器４０は、一連の歯４７を備える替わりに、中央管状部４１の内周面に形成された単独の軸心方向凸条４７’を備えており、この凸条４７’は軸心方向に延在するリブの形状に形成されている。また、中央管状部４１の中に挿入されるディスペンサー装置の伝達部材（不図示）には、この凸条４７’に対応した形状の嵌合溝が形成されており、この凸条４７’はその嵌合溝に嵌合される。
【００９１】
また、図３４に示した実施の形態に係るカートリッジないし保持器４０では、検出対象提供リングＡ”を、永久磁化したＮ極領域とＳ極領域とを離散的に配置して成る複数の部分領域によって情報をコード化したものとし、それによって、ディスペンサー装置の磁界センサ２７０’と協働するものとしている。
【００９２】
この実施の形態において、検出対象提供リングＡ”は、Ｎ極領域とＳ極領域とが交互に位置するように磁化されている。また、検出対象提供リングＡ”は、カートリッジ４０のボディの一部として形成されており、先に言及した検出対象提供部と同様に、この検出対象提供リングＡ”も、フェライト含有プラスチックなどで形成することができる。また当然のことながら、この実施の形態でも、別法として、カートリッジ４０の永久磁化したインサートや強磁性体材料製のインサートを使用して、それらＮ極領域及びＳ極領域を形成することも可能である。
【００９３】
また、当然のことながら、図示したものとは異なる形状の、ブリスター３００を装着して使用する可動保持器２４０’にも、図３２〜図３４を参照して以上に説明した種類の検出対象提供部を用いることができ、そうすることで、エンコーダ式の検出システムと組合せて利用することができる。
【００９４】
図３２に示した実施の形態に関連して先に説明したものと同様に、Ｎ極領域及びＳ極領域は適宜の材料で形成することができ、例えば磁化材料を使用してもよいし、また、磁界を変動させ或いは誘起するその他の材料を使用してもよく、それらの材料から成る部材をカートリッジに埋設、溶着、接着、ないしはその他の方法で装備するようにすればよい。
【００９５】
Ｎ極領域及びＳ極領域は、カートリッジの製作時に同時に形成するとよく、例えば、オーバーモールド成形により、熱可塑性プラスチック材料でカートリッジのボディを形成すると共に、そのボディの上にフェライト含有プラスチック材料でＮ極領域及びＳ極領域とする部分を形成するという方法を用いることができる。
【００９６】
図３４に示した実施の形態は具体例として提示したものであって、本発明はこの具体例に限定されない。この実施の形態では、図示したように、カートリッジ４０の複数の収容部４５の各々に対応させてＮ極領域とＳ極領域とから成る組合せが１組ずつ形成されており、それによって、先に凹部Ａ２に関連して説明したものと同様に、エンコーダ・システムが収容部の個数をカウントできるようにしている。この実施の形態では、複数の収容部４５のうちの１つにだけ、Ｎ極領域とＳ極領域とから成る組合せを複数組、即ち少なくとも２組形成しておくようにするとよく（不図示）、それによって、初期位置及び／または最終位置を検出できるようになる。
【００９７】
図３５に示した更に別の実施の形態では、ディスペンサー装置１０はボディ２２０を備えており、このボディ２２０は、その全体形状が角柱形状ないし直方体形状に形成されており、ハウジング（位置付け領域）２３１を画成している。ハウジング（位置付け領域）２３１は細長い形状であり、その前面が開放している。また、この実施の形態では、ボディ２２０の上縁に、揺動蓋として形成されたボディ可動部材２３０が枢着されている。
【００９８】
このディスペンサー装置１０は更に投入開口２３３を備えており、この投入開口２３３は、例えばディスペンサー装置１０の側面部分などのように、投入物質（例えば食器用洗剤など）の少なくとも一部を溶解した溶解媒体を供給するのに好都合な位置に形成される。
【００９９】
このディスペンサー装置１０は更に流入開口５０１を備えており、この流入開口５０１は、投入物質を溶解するための溶解媒体を流入させる開口である。
【０１００】
ディスペンサー装置１０の、この流入開口５０１の形成位置は、動作中に溶解媒体を集めて流入させる（図にはその流れを矢印５０９で示した）ことのできる位置（例えばディスペンサー装置の上側部分）とするのがよい。また、この流入開口５０１の形成位置を、溶解媒体を集めるための流路５００の底部とすれば更に有利であり、そうすれば、集められた溶解媒体があたる面積を増大させることができ、従って、集められた溶解媒体を流入開口５０１へ流入させる上で好都合となる。
【０１０１】
１つの実施の形態によれば、ハウジング２３１は、その上側部分にカートリッジ（ないしは保持器）２４０を挿入できるように構成されている。カートリッジ保持器２４０はその全体形状が直方体形状であり、ハウジング２３１内で摺動することにより直線移動することができる。また、カートリッジ２４０はその内部が仕切られて複数の収容部２４５が画成されている。それら収容部２４５は一列に並んでおり、その各々が１個ずつの１回用量分の洗剤などの投入物質を収容するものである。先に説明した実施の形態と同様に、このカートリッジ２４０のボディは、実質的に高剛性の構造のものとすることが好ましく、例えばプラスチック材料を用いてモールド成形などにより製作するとよい。尚、このカートリッジ２４０はディスペンサー装置から自由に取外すことができる。
【０１０２】
カートリッジ２４０はラック構造部を備えている。このラック構造部は、カートリッジ２４０の下壁部に形成されており、ディスペンサー装置１０の操作手段及び／または伝達手段と協働するものである。
【０１０３】
本発明の特に有利な１つの実施の形態では、カートリッジ２４０の下壁部と検出対象提供部とが一体化されており、即ち、カートリッジ２４０の下壁部が検出対象提供部としても機能する形状に形成されている。この検出対象提供部の全体を参照符号Ａで示した。この検出対象提供部Ａは、ディスペンサー装置１０に装備したセンサ（例えばエンコーダセンサ２７０）に信号を発生させるためのものであり、このセンサは、ハウジング２３１内におけるカートリッジ２４０の位置を検出するためのセンサである。
【０１０４】
１つの実施の形態では、カートリッジの複数の収容部２４５の各々に１つずつ流入開口５０２を形成してあり、ある１つの収容部２４５の流入開口５０２をディスペンサー装置１０の流入開口５０１に対向させたならば、それら開口を通って、溶解媒体が当該収容部２４５へ流入できるようになっている（その流れを図中に矢印５１０で示した）。
【０１０５】
またその実施の形態では、更に、カートリッジの複数の収容部２４５の各々に１つずつ流出開口５０３を形成してあり、ある１つの収容部２４５の流出開口５０３をディスペンサー装置１０の投入開口２３３に対向させたならば、それらの開口を通って、溶解媒体が溶解された投入物質と共に当該収容部２４５から流出できるようになっている（その流れを図中に矢印５１２で示した）。また、収容部２４５の流入開口５０２と流出開口５０３とは、それらの形成位置が互いに揃えられている。
【０１０６】
本発明の更なる１つの局面として、先に説明した保持器に、いわゆるブリスターパッケージ（単にブリスターともいう）を組合せて使用する構成とすることも可能である。ブリスターは、幾分剛性の小さな包装材から成るパッケージであり、その包装材は、２枚のプラスチックシート材から成るものとすることもあり、また、１枚のプラスチックシート材と１枚のアルミニウムシート材とから成るものとすることもある。それら２枚のシート材のうちの１枚は厚手のシート材であり、この厚手のシート材は賦形加工が施されて、各々が１個ずつの１回用量分の洗剤５０４を収容する複数の収容空間即ち収容窩が形成されている。もう１枚のシート材は薄手のシート材であって、多くの場合、除去可能なフィルムとされている。このような構成のブリスターは、それをディスペンサー装置１０に、及び／または、カートリッジ２４０に装填する際に、先ず、薄手のシート材から成るフィルムを除去し、そして、洗剤を収容している収容窩が形成されている厚手のシート材を、カートリッジ２４０内に装填する。この場合、そのカートリッジ２４０は、単にブリスターを保持するだけの保持器として機能するものとなる。続いて、そのブリスターを装填したカートリッジ２４０をディスペンサー装置１０の中に挿入する。尚、この実施の形態の変更構成例として、除去可能なフィルムを、投入物質を溶解する溶解媒体によって溶解されるようなフィルムとし、溶解媒体に溶解されることによって除去されるようにしてもよい。
【０１０７】
１つの実施の形態では、投入物質を収容しているシート材に、溶解媒体を流入させるための複数の流入開口と、流出させるための複数の流出開口とを形成してあり、また、それら流入開口の形成位置と流出開口の形成位置とを揃えてあり、そのブリスター３００を保持器（カートリッジ）２０４の中に装填したならば、そのブリスター３００の複数の流入開口と保持器（カートリッジ）２０４の複数の流入開口５０２とで互いに位置が揃い、且つ、そのブリスター３００の複数の流出開口と保持器（カートリッジ）２０４の複数の流出開口５０３とで互いに位置が揃うようにしている。
【０１０８】
またその実施の形態では、更に、そのブリスターの複数の収容窩の各々に１個ずつ収容する１回用量分の投入物質５０４に流通孔５０５を形成してあり、そのブリスターの流入開口から流入して流通開口から流出する溶解媒体が、この流通孔５０５の中を通過して流れるようにしている（その流れを図中に矢印５１１で示した）。
【０１０９】
別の１つの実施の形態として、ブリスターを、賦形加工を施して収容窩を形成した１枚のシートだけから成るものとし、そしてそのブリスターを、それに対応した保護用の密閉プラスチック包装材に収容するようにしてもよく、この実施の形態では、除去可能なフィルムは不要となる。
【０１１０】
図３５に本発明の１つの実施の形態に係るブリスター３００を示した。図中、参照符号３４５を付して示しているのは、洗剤などの投入物質を収容する複数の収容窩３４５を画成しているプラスチックシート材から成る部品であり、それら収容窩３４５には、投入物質５０４が収容されている。図から明らかなように、このブリスター３００は、その複数の収容窩３４５が、カートリッジ２４０の夫々の収容部２４５の中に少なくとも部分的に収容される形状に形成されている。
【０１１１】
製造方法に関する細部仕様も、また実際に実施する際の形態も、特許請求の範囲の記載によって規定される本発明の範囲から逸脱することなく、以上に説明し図面に示したものとは大幅に異なったものとすることができる。
【０１１２】
変更構成例の１つとして、ユーザが手でハウジング内のカートリッジを回転させてその回転角度位置をプリセット位置に合わせる際に、その位置合せを容易にするために、カートリッジの周壁部４２に基準切欠部ないし基準溝を設けたものがある。この変更構成例では更に、ディスペンサー装置のボディに、接触子を含む機構を装備している。その接触子はスプリングで付勢されてカートリッジの周壁部４２へ押し付けられており、カートリッジの回転角度位置がプリセット位置にきたならば、その接触子の先端がカートリッジの周壁部４２の基準切欠部ないし基準溝に係合するようにしてある。尚、基準切欠部ないし基準溝の替わりに、例えば基準凸部などの、異なった形状の基準部分を設けるようにしてもよく、そうした場合には、ディスペンサー装置のボディに、その基準部分の形状に対して相補的な形状の接触子を含む機構を装備して、その基準部分とその接触子とが協働するようにしておけばよい。尚、このような構成例では、ディスペンサー装置の操作手段が、基準切欠部ないし基準溝または基準凸部を、それに対応した接触子から脱係合させることができる大きさの操作力を発生するようにしておく。
【０１１３】
また、その他の構成例として、保持器ないしカートリッジ（４０；４０’；４０”；２４０；２４０’）に、参照情報提供手段（Ａ；Ａ’；Ａ”；４９，４９ａ，４９ｂ）を一体的に設けるようにするのもよく、それを一体的に設ける方法としては、カートリッジのボディを製作する際に、または製作した後に、挿入ないし固定によって一体的に設けるという方法があり、より具体的には、例えば、連結、接着、溶着、螺着、オーバーモールド成形による一体製作、等々の方法がある。
【０１１４】
更に別の実施の形態として、ディスペンサー装置の位置付け領域に、ブリスターを直接収容するようにしてもよい（図３６）。またその場合には、ディスペンサー装置の位置付け領域に、そのブリスターの複数の収容窩を夫々に収容する複数の収容部（図示せず）を設けておくようにしてもよい。
【０１１５】
そのように構成したディスペンサー装置は、図２４を参照して先に説明したディスペンサー装置や、図３５を参照して先に説明したディスペンサー装置と、全く同様の構成となり、実際にそのように構成することが好ましいが、ただし、必ずしもそのように構成しなければならないというものではない。尚、図３６に示した実施の形態に関して、図３５に示した実施の形態の構成要素と同一または対応する構成要素には、図３５で使用している参照符号と同じ参照符号を付してある。
【０１１６】
また、前記ブリスターには、そのブリスターの所定位置に、保持器とディスペンサー装置の少なくとも一部との間の相対移動が生じたときに、以下の情報のうちの少なくとも１つの情報を提供する参照情報提供手段を設けておくのもよい。
−保持器に最初に保持されている投入物質の個数、または、既に保持器から投入されて消費された投入物質の個数、または、まだ消費されずに保持器内に残っている投入物質の残量の個数。
−保持器の状態、及び／または、ディスペンサー装置のボディの一部に対する保持器の相対位置。
【０１１７】
更に、前記ブリスターには、ディスペンサー装置の操作システムと係脱可能に協働するように構成した伝達手段を設けておくのもよい。
【０１１８】
以上において、ある特定の実施の形態に係るカートリッジないし保持器に関連して説明した特徴を、その他の説明した実施の形態に適用することも可能であり、例えば、連結手段の形態についての特徴、ディスペンサー装置の操作システムについての特徴、検出対象提供手段の形態についての特徴、それに、視覚表示システムについての特徴などは、いずれもその他の実施の形態に適用し得るものである。例えば、図１１及び図１２の実施の形態に関連して説明した表示システムを、直線移動方式のカートリッジないし保持器を備えた実施の形態（図２４及び図２５）に適用することも、当然可能であり、その場合には、複数の視覚標識を、角柱形状のカートリッジないし保持器のボディの長手方向に延在する壁部のうちの１つに、その軸心方向に一列に並べて配列し、そしてディスペンサー装置のボディに形成した窓などを通して、それら視覚標識を視認できるようにしておけばよい。
【０１１９】
更に、直線移動方式のカートリッジないし保持器を備えた実施の形態（例えば図２６に示した実施の形態）とする場合には、そのカートリッジないし保持器のボディの側壁部のうちの１つを傾斜壁部として形成するのもよく、そうすれば、図２２及び図２３に示したカートリッジないし保持器に関連して説明したのと同様に、そのカートリッジないし保持器の収容部からの洗剤の流出を容易にすることができる。
【０１２０】
１つの実施の形態として、封止部材が部分的に、検出対象提供部としても機能するようにしたものがあり、この実施の形態では、保持器の表面にオーバーモールド成形によってラバー材料またはエラストマー材料から成る部分を形成し、その形成した部分が、封止リップ部として機能すると共に、エンコーダのための検出対象提供部としての凸部列ないし凹部列としても機能するようにしている。
【０１２１】
別の１つの実施の形態として、カートリッジまたは保持器またはブリスターが、ディスペンサー装置の少なくとも一部と協働して封止機能を提供する封止部材ないしガスケットとして構成されているようにするか、或いは、カートリッジまたは保持器またはブリスターに、そのような封止部材ないしガスケットを装備するようにしたものがある。尚、そのような封止部材ないしガスケットは、弾性材料、またはラバー材料、またはエラストマー材料から成るものとすると有利である。
【０１２２】
また、そのような封止部材ないしガスケットは、オーバーモールド成形によってカートリッジまたは保持器またはブリスターの表面に直接形成すると有利であるが、ただし、そのような封止部材ないしガスケットを別部材として製作して、後からカートリッジまたは保持器またはブリスターに取付けるようにしてもよい。後者の場合には、その封止部材ないしガスケットの材料の弾性によって、その封止部材ないしガスケットが取付位置に固定されるようにしてもよく、或いは、適当な固定手段ないし連結手段を用いてそれを取付位置に固定するようにしてもよい。
【０１２３】
１つの実施の形態においては、封止部材を、保持器またはブリスターの少なくとも一部に取付けるようにしており、より具体的には、例えば、径方向に延在する仕切壁部４４、２４４の少なくとも一部、及び／または、管状部４１、２４１の少なくとも一部、及び／または、周壁部４２の少なくとも一部、及び／または、基礎壁部４３、２４３の少なくとも一部などに取付けるようにしている。尚、個々の封止箇所ごとに個別に封止部材を設けるようにしてもよく、或いは、複数の封止箇所を一体型の１つの封止部材によって封止するようにしてもよい。カートリッジまたは保持器またはブリスターは、所定位置に封止部材を固定することのできる構成としておくことが好ましく、例えば、封止部材を取付けるための取付孔、封止部材を装着するための装着座、封止部材を係止するための係止突起などを形成しておくとよい。
【０１２４】
また、前記封止部材は、例えば、参照情報提供部ないし検出対象提供部の一部を形成しているものとすることができ、そうする場合には、例えば、前記封止部材を、光トランスデューサ、センサ、エンコーダなどによって検出可能な凹部Ａ２及び凸部Ａ１を有する形状のガスケットとして形成するのもよい。
【０１２５】
保持器ないしカートリッジの具体的な実施の形態について以下に説明する。
【０１２６】
１つの実施の形態によれば、製造方法の一般的な実施の形態は、
−前記保持器と、前記検出対象提供手段ないし参照情報提供手段、及び／または、前記封止手段のうちの少なくとも１つとを製作するのに適した形状を有する少なくとも１つの成形型を用意するステップと、
−前記保持器と、前記検出対象提供手段ないし参照情報提供手段、及び／または、前記封止手段のうちの少なくとも１つとを提供するのに適した少なくとも一種類の材料を用いて、射出成形を行うステップと、
を含むものである。
【０１２７】
更に、特に有利な具体的な実施の形態に係る方法によれば、その方法は、
−前記保持器と前記検出対象提供手段ないし参照情報提供手段の少なくとも１つとを、一体部品として製作するのに適した形状を有する第１成形型を用意するステップと、
−前記保持器と前記検出対象提供手段ないし参照情報提供手段の少なくとも１つとを、一体部品として製作するのに適した第１材料を用いて射出成形を行うステップと、
を少なくとも含むものである。
【０１２８】
更に別の製造方法によれば、その方法は、
−保持器を製作するのに適した形状を有する、少なくとも１つの第１金型部分と第２金型部分とを備えた、第１成形型を用意するステップと、
−前記第１成形型に第１材料を注入して射出成形を行うことで前記保持器を製作するステップと、
−前記第１成形型の、前記第１金型部分と前記第２金型部分との少なくとも一方を除去するステップと、
−前記検出対象提供手段ないし参照情報提供手段、及び／または、前記封止手段の、少なくとも一部を製作するのに適した形状を有する、少なくとも１つの第２成形型部分を用意するステップと、
−前記保持器の、前記検出対象提供手段ないし参照情報提供手段、及び／または、前記封止手段の、少なくとも一部を製作するのに適した第２材料を用いて射出成形を行うステップと、
を少なくとも含むものである。
【０１２９】
１つの製造方法によれば、その方法は、
−前記保持器を製作するのに適した形状を有する第１成形型を用意するステップと、
−前記第１成形型に第１材料を注入して射出成形を行うことで前記保持器を製作するステップと、
−前記第１成形型から前記保持器を取出すステップと、
−前記検出対象提供手段ないし参照情報提供手段、及び／または、前記封止手段の、少なくとも一部を製作するのに適した形状を有する第２成形型を用意するステップと、
−前記保持器を前記第２成形型の内部に挿入するステップと、
−前記保持器の、前記検出対象提供手段ないし参照情報提供手段、及び／または、前記封止手段の、少なくとも一部を製作するのに適した第２材料を用いて射出成形を行うステップと、
を少なくとも含むものである。
【０１３０】
また更に、その方法は、
−前記保持器を製作するのに適した形状を有し、少なくとも１つのインサートを載置するための少なくとも１つのインサート載置座を備えた第１成形型を用意するステップと、
−前記第１成形型の前記少なくとも１つのインサート載置座に、前記検出対象提供手段ないし参照情報提供手段を製作するのに適した少なくとも１つのインサートを載置するステップと、
−前記第１成形型に前記保持器を製作するのに適した材料を注入して射出成形を行うステップと、
を少なくとも含むものとすると有利である。
【０１３１】
また更に、その方法は、
−前記成形型の少なくとも１つのインサート載置座に、少なくとも１つの磁性インサートまたは磁化インサートを載置するステップと、
−前記成形型の少なくとも１つのインサート載置座に、少なくとも１つの金属インサートまたは強磁性体インサートを載置するステップと、
のうちの、少なくとも一方のステップを含むものとすることが好ましい。
【０１３２】
また更に、その方法は、
−熱可塑性プラスチック材料を用いて射出成形を行うステップと、
−場合によってはエラストマー材料を用いて射出成形を行うステップと、
−加熱工程によって溶融状態または流動状態とした材料を用いて射出成形を行うステップと、
−注入後に（例えば放熱などにより）硬化させるのに適した樹脂材料ないし流動性材料を用いて射出成形を行うステップと、
−前記成形型の内部で硬化させるのに適した材料を用いて射出成形を行うステップと、
−フェライト含有プラスチック材料、または強磁性体材料、または磁化するのに適した材料を用いて射出成形を行うステップと、
のうちの、少なくとも１つのステップを含むものとすることが好ましい。
【０１３３】
また更に、その方法は、
−前記少なくとも１つのインサートを磁化するステップと、
−前記検出対象提供手段ないし参照情報提供手段を磁化するステップと、
−前記保持器を磁化するステップと、
のうちの、少なくとも１つのステップを含むものとすると有利である。
【０１３４】
特に有利な製造方法の実施の形態によれば、その方法は、
−前記保持器を製作するのに適した形状を有する少なくとも１つの成形型を用意するステップと、
−前記保持器を製作するのに適した少なくとも一種類の材料を用いて射出成形を行うステップと、
−検出対象提供手段及び／または封止手段、または、検出対象提供部及び／または封止部材を（例えば接着や溶着などによって）前記保持器に固定するステップと、
のうちの、少なくとも１つのステップを含むものである。
【０１３５】
また更に、その方法は、
−少なくとも１つの光検出対象部を（例えば接着や溶着などによって）固定するステップと、
−少なくとも１つの磁気検出対象部を（例えば接着や溶着などによって）固定するステップと、
−少なくとも１つの反射性検出対象部、または図形文字を備えた色検出対象部を（例えば接着や溶着などによって）固定するステップと、
のうちの、少なくとも１つのステップを含むものとすると有利である。
【０１３６】
１つの実施の形態によれば、図３７ａ、図３７ｂ、及び図３７ｃにおいて、一般的な成形型６００は、第１金型部分６０１と第２金型部分６０２とを備えており、それら２つの金型部分の内部の形状は、製作しようとする保持器４０の形状に即した形状のキャビティを提供する形状とされている。第２金型部分６０２には、材料を成形型に射出注入するための少なくとも１つの開口６０５が形成されている。射出注入された材料は前記キャビティに充填され、保持器４０の少なくとも一部を形成する。この材料は、熱可塑性材料または樹脂とすることが好ましい。この材料は、冷却されることで硬化する溶融材料であって、射出注入するのに適しており、成形型の内部で少なくとも部分的に硬化するような、適宜の材料であればよい。
【０１３７】
保持器４０をモールド成形により製造する製造方法の第１の具体例においては、先ず、成形型の２つの金型部分６０１、６０２を互いに組付けて前記キャビティを画成する。次に、材料を開口６０５を介して成形型の中に射出注入して前記キャビティに充填する。少し時間をおいて、即ち、射出注入した材料の温度が低下して硬化した後に、成形型を開き、即ち、２つの金型部分６０１と６０２とを分離する。これによって、保持器（ないしはカートリッジ）４０を成形型から取出せるようになる。
【０１３８】
前記成形型の形状、並びに、前記保持器の形状は、成形型を開く際に金型部分を一方向へ移動させるだけで済むようなモールド成形を行えるような形状とすることが好ましい。このような形状の成形型を使用する場合には、複雑な形状とすることはできない。そのため、保持器の形状を定める際には、いわゆる「アンダーカット」を持たない形状とすることが好ましいということであり、アンダーカットがあると、成形型を開く際の運動が一方向のみであるような場合には、成形型から製品を取出すことが妨げられるのである。
【０１３９】
図３７ａ、図３７ｂ、及び図３７ｃを参照して上で説明した保持器は、検出部提供手段（検出対象提供手段）を装備したものとはできない可能性があり、即ち、保持器を形成するモールド成形の工程において、同時に検出部提供手段（検出対象提供手段）を一体的に形成した、一体部品とすることができない可能性がある。
【０１４０】
そのためには、成形型の内部の形状を、保持器の検出部（検出対象提供部）の形状に対して陰形となる形状を提供する形状を有する部分（図３７ａ、図３７ｂ、及び図３７ｃでは不図示）を有する形状とすればよい。また別法として、保持器４０の全体を、検出部（検出対象提供部）を形成するための材料（例えば、磁化可能な熱可塑性プラスチック材料や、フェライト含有プラスチック材料など）を用いてモールド成形により製作するようにしてもよい。
【０１４１】
また別の実施の形態として、図３８ａ、図３８ｂ、及び図３８ｃに示した別の成形型６００”は、第１金型部分６０１”と第２金型部分６０２”とを備えており、それら２つの金型部分の内部の形状は、製作しようとする保持器４０の形状に即した形状（即ち、保持器４０を丁度収容する形状）を有する少なくとも１つの第１キャビティ部分と、製作しようとする参照情報提供部ないし検出対象提供部の形状に即した形状を有する少なくとも１つの第２キャビティ部分とを備えたキャビティを提供する形状とされている。第２キャビティ部分は、図中には参照符号６０３”及び６０４”で示してあり、第２モールド成形材料ないし第２オーバーモールド成形材料（例えばフェライト含有プラスチック材料）のための射出注入開口６０５”に連通している。
【０１４２】
保持器４０を、例えば図３７ａ、図３７ｂ、及び図３７ｃに関して説明したようにしてモールド成形により製作し、そして、その保持器４０を第２金型部分６０２”の中に配置したならば、第１金型部分６０１”を第２金型部分６０２”へ近付く方向へ移動させ、それによって第２金型部分６０２”を閉じる。続いて、第２材料を射出注入開口６０５”から射出注入して、保持器４０に隣接している第２キャビティ部分の全体に行き渡らせる。この第２キャビティは、例えば環形状の空間である。時間をおいた後に、即ち、第２材料が少なくとも部分的に硬化した後に、成形型を開いて保持器４０を取出す。取出された保持器４０の表面には、参照情報提供部ないし検出対象提供部Ａがオーバーモールド成形により形成されている。
【０１４３】
別法として、成形型の少なくとも一部を、その成形型にインサートを挿入できるように形成しておくようにするのもよい。そのためには、第２キャビティの少なくとも一部を、少なくとも１つのインサートに合わせた形状に形成することで、モールド成形またはオーバーモールド成形を実行する際にインサートを所定位置に保持できるようにし、それによって、インサートが埋設された保持器４０を得ることができる。このインサートは、例えば、磁性体インサート、強磁性体インサート、金属インサートなどであって、参照情報提供手段ないし検出対象提供手段として機能するものである。
【０１４４】
保持器を、例えばフェライト含有プラスチック材料などの磁性体材料を用いてモールド成形またはオーバーモールド成形を実施して製作した場合、それに、磁化可能インサートを用いてモールド成形を実施して製作した場合には、そのモールド成形ないしオーバーモールド成形を実施した後に、磁化工程を実施するようにすればよい。
【０１４５】
本発明の保持器ないしカートリッジのその他の実施の形態について以下に詳細に説明する。
【０１４６】
図３５及び図３６に示した実施の形態の１つの変更構成例に係るディスペンサー装置として、ブリスター３００を使用せずに、リフィルまたはカートリッジまたは保持器２４０だけを使用するディスペンサー装置を構成することも可能であり、そのようなディスペンサー装置では、洗剤の形態を、１回用量分の洗剤を押し固めて形成した固形洗剤とし、その固形洗剤を収容部２４５の中に直接収容するようにすればよい。またその固形洗剤は、収容部２４５の中に軽く圧入した状態で収容されるようにしておくことが好ましい。また別の変更構成例として、保持器を使用せずに、ブリスターを直接駆動するディスペンサー装置を構成することも可能である。
【０１４７】
そのような構成のディスペンサー装置では、ブリスターのボディが、複数個の１回用量分の固形洗剤を保持する保持手段として機能することになる。また、そのような構成のディスペンサー装置では、ブリスターのボディによって、ディスペンサー装置の伝達システムに連結すること、及び／または、ディスペンサー装置の検出システムと協働することを可能にするための手段が直接構成される。
【０１４８】
この点に関して、例えば、図３６の実施の形態では、ブリスター３００の一連の収容部２４５の各々が略々台形形状であることから、その結果として、ブリスター３００のボディに、即ちブリスター３００の底部に、一連の凹部及び凸部が形成されており、それら凹部及び凸部によって実質的にラック形状の構造部が既に構成されている。そこで、このラック形状の構造部とピニオンとが協働するようすればよい。
【０１４９】
更に、ブリスターのそれら一連の凹部及び凸部は、ブリスターの底部に「歯形部」を形成しているため、それらを、例えば光エンコーダなどで構成した検出システムに信号を発生させるための検出対象提供部として好適に利用することができる。ただし別法として、ブリスターのボディに、検出対象提供部として機能させるための特別の形状の部分を、例えば一連の凸部及び／または凹部などで形成するようにしてもよい。
【０１５０】
また当然のことながら、以上に説明した様々な形態のブリスターのうち、図３６のものとは異なる形態のブリスター、即ち、円板形のブリスターについても、そのようなブリスターに対応する回転移動方式のディスペンサー装置を適宜に構成することによって、そのブリスターがディスペンサー装置と直接的に協働するようにすることができる。
【０１５１】
また、そのような変形構成例に係る実施の形態とする場合には、そのブリスターのボディによって、ディスペンサー装置の伝達システムに連結するための連結手段、及び／または、エンコーダなどの検出システムのための検出対象提供手段、及び／または、視覚表示システムが構成されているようにする。
【０１５２】
洗剤を収容部から排出させるために、ディスペンサー装置に液体を通過させる流入開口及び流出開口を形成するという特徴も、当然のことながら、以上に説明したその他の実施の形態に適用することができる。
【０１５３】
その場合には、例えば、図３９に示したような可動側ボディ３０を構成することができる。この可動側ボディ３０は、以上に説明した様々な実施の形態のうち、リフィルまたはブリスター保持器を回転移動式にしている実施の形態には、共通して使用可能なものである。この具体例では、可動側ボディ３０に、２つの開口２３３ａ、２３３ｂが形成されている。それら２つの開口２３３ａ、２３３ｂは、互いに直交する方向に延展している２つの壁部に１つずつ形成されており、それら２つの壁部は、リフィルないしブリスター保持器を収容するハウジングの底壁部３１ｂと周壁部３１ａとである。更に、リフィルないしブリスター保持器にも、その底壁部と周壁部とに対応する開口を形成しておく。
【０１５４】
２つの開口２３３ａ、２３３ｂの形成位置は、ハウジング内にリフィルを収容する構成のディスペンサー装置の場合には、ハウジング内に収容されるリフィルの各々の収容部に形成されている２つの開口が夫々に対向する位置とし、また、ハウジング内にブリスター保持器を収容する構成のディスペンサー装置の場合には、そのブリスター保持器の各々の収容座に形成されている２つの開口が対向する位置とする。このようにすることで、液体が一方の開口から流入して洗剤に達し、その洗剤を溶解し、そして溶解した洗剤と共に他方の開口から流出するようにすることができる。
【０１５５】
例えば、図３９に示した可動側ボディ３０を備えたディスペンサー装置は、食器洗浄機のダブルドアに取付けるディスペンサー装置として設計することができる。そのように設計したディスペンサー装置では、洗浄液の噴流が一方の開口２３３ａに噴き付けられ、それによって、洗浄液がディスペンサー装置に流入し、即ちリフィル及び／またはブリスターに流入する。このとき、他方の開口２３３ｂは下向きとなっており、洗浄液はこの開口２３３ｂを通ってディスペンサー装置から流出し、これにより洗剤の投入が行われる。
【０１５６】
特に有利な１つの実施の形態として、ディスペンサー装置の、位置トランスデューサないし検出システムないしエンコーダを、アブソリュート型（ＹＥＳ−ＮＯ型）のものとしたものがある。
【０１５７】
また、そのようなディスペンサー装置に使用することのできる、変更構成例としての実施の形態に係る保持器ないしカートリッジとして、保持器またはカートリッジに検出対象提供部（検出対象提供リングなど）を設けたものがある。
【０１５８】
そのような実施の形態の具体例の１つに、リフィルないし保持器の検出対象提供部ないし検出対象提供リングに、一連の凹部及び／または凸部により構成される凹／凸部列を２組備えるようにしたものがある。その場合に、例えば、第１の凹／凸部列は、ディスペンサー装置に対する、及び／または、ディスペンサー装置の投入開口に対する、リフィルまたは保持器の相対位置を表すデータをエンコードしたものであり、そのエンコードは例えばバイナリデータなどとし、これはアブソリュート型の検出に対応するものである。第２の凹／凸部列は、第１の凹／凸部列から得られるバイナリコードのデータを正確に読取れるようにする同期信号を発生するためのものであり、この第２の凹／凸部列がない場合には、データの正確な読取りのために時刻を考慮に入れなければならなくなる。
【０１５９】
１つの実施の形態においては、エンコードしたデータを提供する第１の凹／凸部列は、リフィルないし保持器に設けられた検出対象提供リングの中間段部に形成されており、同期信号を提供するための第２の凹／凸部列は、その検出対象提供リングの下縁に形成されている。この検出対象提供リングの構成は、検出対象提供リングをモールド成形によって製作することを容易にし、そのモールド成形は一方向移動で型開きが可能な成形型（例えば、２つの金型半体から成り、それらを互いに近付けるように移動させて当接させることで閉じることができ、互いに離すように移動させることで開くことができる成形型）を用いてモールド成形を実施することができる。そのため成形型を（また特に、熱可塑性プラスチック材料を射出成形するための成形型を）、可動部分を必要としない簡明な構成のものとすることができ、可能部分とは、例えば、キャリッジや可動インサートなどであり、逆に言うならば、凹部及び／または凸部をアンダーカット加工によって形成する場合にはそれらが成形品の奥まった箇所に賦形がなされるため、キャリッジや可動インサートなどが必須になるのである。ただし、より複雑な成形型を必要とするような構成とすることも考えられないことではない。
【０１６０】
ディスペンサー装置は２個のセンサを備えており、その一方は第１の凹／凸部列に対向して配設され、他方は第２の凹／凸部列に対向して配設されている。尚、第１の凹／凸部列と第２の凹／凸部列とを、共に検出対象提供リングの上縁に、ただし交互に形成するようにしてもよい。また、それら凹／凸部列の一方を検出対象提供リングの内周縁に、他方を検出対象提供リングの外周縁に形成するようにしてもよい。
【０１６１】
一方、図４０に示した具体例は、アブソリュート型エンコーダに対応した検出対象提供リングＡを、保持器ないしカートリッジ４０に一体化したものである。図４０に示した検出対象提供リングＡは、エンコードしたデータを提供する凹／凸部列Ｂ’を備えており、そのエンコード方式は、例えばバイナリコードやグレーコードであり、それゆえ、アブソリュート型エンコーダの一部であり、この場合、所与のコードが、リフィル（カートリッジ）４０の所与の収容部を識別ないし区別する。更に、検出対象提供リングＡは、クロックまたは同期信号を発生するように構成された凹／凸部列Ｂ”を備えている。エンコードの方式が異なる（バイナリコードまたはグレーコード）以外は、動作原理は凹／凸部列Ａ’と凹／凸部列Ｂ’とで変わりはない。図４０の実施の形態では、検出対象提供リングＡの互いに反対側の縁部に凹／凸部列Ｂ’と凹／凸部列Ｂ”とが形成されており、アンダーカット部分が存在していないため、この部品を簡明なモールド成形によって製作することができ、特に、上で説明した技法によってモールド成形による製作が可能である。
【０１６２】
図４０の構成において、凹／凸部列Ｂ’と凹／凸部列Ｂ”とを、検出対象提供リングＡの同一側の縁部に形成するように改変することも可能であり、またそうする場合に、凹／凸部列Ｂ’の凹部及び凸部と、凹／凸部列Ｂ”の凹部及び凸部とを、縁部に沿って交互に形成するようにしてもよく、或いは更に別の構成としてもよい。
【０１６３】
検出対象提供手段（この実施の形態では、アブソリュート型エンコード手段）を形成した検出対象提供リングＡは、保持器ないしカートリッジから取外し可能にしておくようにするのもよい。
【０１６４】
以上に説明した、アブソリュート型エンコードのための凹／凸部列と、オプションとしての同期信号を発生させるための凹／凸部列とを併用する方式は、直線移動方式のリフィルまたは保持器またはブリスターに適用することも可能である。
【０１６５】
データをエンコードした凹／凸部列と、オプションとしての同期のための凹／凸部列とは、リフィル（カートリッジ）やブリスターを支持するための保持器を使用せずにブリスターを直接使用するようにしたディスペンサー装置に関しては、ブリスターに直接形成しておくようにすればよい。
【０１６６】
以上に説明した様々な実施の形態において、ディスペンサー装置と協働する保持器またはカートリッジとして説明したものは、位置ないし移動を検出するためのエンコーダないしトランスデューサが、デジタル方式のものである場合のものであった。
【０１６７】
投入物質を保持するための保持手段（例えばリフィル、可動保持器、ブリスターなど）の位置及び／または移動を直接的または間接的に検出することは、実質的にアナログ方式の位置トランスデューサを用いて実施することができる。
【０１６８】
そのようにした具体例の構成を図４１に模式的に示した。同図に示した保持器ないしリフィル２４０は直線移動式のものであり複数の収容部２４５を備えている。保持器ないしリフィル２４０は、移動方向に対して平行に延在する両側面（以下、長手側面という）の一方に沿って、検出対象提供部Ｃ’が設けられており、この検出対象提供Ｃ’は、計測可能（検出可能）な輪郭面である傾斜面Ｐを画成している。
【０１６９】
検出対象提供部Ｃの傾斜面Ｐは、磁性材料（例えば、磁化したフェライト含有プラスチック）などで形成され、ディスペンサー装置の固定部分に対して固定された位置に取付けられた対応するアナログ磁気センサに、概ね保持器ないしリフィル２４０の直線移動に応じた反応を生じさせる。このアナログ磁気センサは、検出した磁界強度に比例した信号を出力するものであり、従って、傾斜面Ｐからアナログ磁気センサまでの距離に応じた信号を出力することになる。図４２のＩ〜ＩＩＩは、アナログ検出用の検出対象提供部Ｃ’の具体例を示した図である。図４２には、アナログ磁気センサ７０’と、検出対象提供部Ｃ’とを示した。図４２のＩ〜ＩＩＩは、リフィルないし保持器２４０の３通りの位置を示しており、Ｉに示したのは初期位置、ＩＩに示したのは中間位置、ＩＩＩに示したのは最終位置である。アナログ磁気センサ７０’によって検出される磁界強度（図中にはＤで模式的に示した）は、保持器ないしリフィル２４０の位置に比例しており、従って、複数の収容部２４５の夫々の位置に対して、アナログ磁気センサ７０’によって検出される磁界強度の夫々の所定レベル（所定値）が対応している。別法として、検出対象提供部Ｃを磁性材料（例えば、磁化したフェライト含有プラスチック）などで形成し、ただし、保持器２４０が移動しても、ディスペンサー装置のアナログ磁気センサに対する距離が一定であるようにすることもでき、その場合には、検出対象提供部を磁化する際に、その検出対象提供部の長手方向位置によって異なる磁界強度が得られるようにするか、或いは、検出対象提供部の長手方向部分ごとに異なる磁界強度が得られるようにする。そうすることによって、磁気センサに、検出した磁界強度に比例した信号を発生させることができ、この信号は、ディスペンサー装置に取付けられている磁気センサの位置に対する検出対象提供部の相対位置に応じた信号となる。
【０１７０】
図４３は、別の実施の形態に係るアナログ方式の検出対象提供部Ｃ’の作用を説明するための模式図である。同図において、センサ７０”は可動接触子を備えた型式のものであり、このセンサ７０”が発生する信号の値は可動接触子の移動に応じて変化する。このセンサ７０”を用いる場合には、例えば熱可塑性プラスチック材料などによって、検出対象提供部Ｃと保持器２４０のボディとを一体形成することが可能である。この構成においては、保持器２４０（図４１）が前後方向に移動するのに応じて、傾斜面Ｐがセンサ７０”の可動接触子を移動させるため、保持器２４０の位置が異なれば、センサ信号の値が異なることになる。
【０１７１】
当然のことながら、保持器が回転方式のものである場合にも、検出対象提供部Ｃ’と同様のアナログ方式の検出対象提供部を用いることができる。図４４及び図４５は、検出対象提供部Ｃ”を備えた保持器４０を示した模式図である。この検出対象提供部Ｃ”の輪郭形状Ｐは、略々円形であるが、ただし完全に円形ではなく、偏心形状ないし「渦巻形状」の輪郭形状Ｐとなっている。検出対象提供部Ｃ”は、例えば、保持器４０の周壁部に取付けるようにしてもよく、或いは、保持器４０の周壁部に一体形成するようにしてもよい。図４４に示したのは、図４２に示したものと同様に、磁気トランスデューサ（磁気センサ）と組合せて用いるための検出対象提供部Ｃ”であり、この検出対象提供部Ｃ”は磁性材料で形成されている。
【０１７２】
一方、図４５に示したのは、図４３に示した検出対象提供部Ｃ’と同様に、可動接触子を備えたトランスデューサ（センサ）と組合せて用いるための検出対象提供部であり、この検出対象提供部Ｃ”は任意の材料で形成することができる。
【０１７３】
具体例として図示した検出対象提供部Ｃ’及びＣ”の形状は、傾斜面を備えた三角柱などの角柱形状の、均等形状と見なし得るものである（尚、外表面Ｐの具体的な形状は、検出対象提供部の位置に応じた大きさの信号をセンサ７０’、７０”に発生させることのできる形状であればよく、その他の様々な形状とすることができる）。
【０１７４】
図４１〜図４５に示したアナログ方式の検出対象提供部Ｃ’、Ｃ”の実施の形態は、あくまでも具体例を提示したものであって、本発明を限定するものではない。また、これら実施の形態と、先に説明したアブソリュート型のエンコーダないしトランスデューサと組合せて用いる検出対象提供部とは、一意的な位置検出を行えるという意味において、互いに均等であるといえる（既述のごとく、センサ７０’、７０”が検出する値は、常に所定の位置に対応している）。
【０１７５】
保持器の位置を検出する替わりに、ブリスターの位置を直接検出するようにした実施の形態でも、以上と同様のアナログ方式の検出対象提供部を用いることができ、その場合には、検出対象提供部Ｃ’ないしＣ”と同様の検出対象提供部をブリスターに設けて、その検出対象提供部を、ディスペンサー装置に設けたセンサ７０’ないし７０”と同様のセンサで検出するようにすればよい。
【０１７６】
本発明の多くの利点を有するものであるが、それら利点のうちでも特に顕著な利点といえるのは、保持器ないしリフィルの構造が簡明になることであり、殆どの場合、熱可塑性プラスチック材料を用いて簡明なモールド成形を実施することで保持器ないしリフィルを製作することができる。また、保持器の全体寸法を非常に小さなものとすることができるため、ユーザにとって使い勝手のよい保持器となる。
【０１７７】
幾つかの実施の形態では、保持器またはリフィルまたはブリスターが、ディスペンサー装置の操作手段と選択的に協働するようにして、非作動状態にすればディスペンサー装置との連結を外すことができるようにしているため、保持器またはリフィルまたはブリスターの取外し、交換、補充、それに定期的清掃などが容易に行えるようになっている。
【０１７８】
また、保持器またはリフィルまたはブリスターを、個々に分離した複数の収容部ないし収容窩を有する構成とし、それら収容部ないし収容窩の各々に１個ずつの１回用量分の固形物質を収容するようにしているため、従来の構成に多く見られた、投入物質の詰まりが発生するという問題が回避されている。
【０１７９】
また、１回用量分の投入物質を「固形物質」の形態にしており、即ち、例えばタブレットのような個別の塊としている。そして更に、好ましくは、それを保持器またはリフィルまたはブリスターに固定して、洗浄液で溶解されない限り、排出されないようにしている。そのため、投入物質をディスペンサー装置から投入する投入サイクルのうちの少なくとも特に重要な部分において、投入物質を最適な位置に保持することが可能となっており、特に、上で述べた洗浄液の流れに対する適切な相対位置に投入物質を正確に位置付けておくことが可能となっている。
【０１８０】
また、好ましくは、ディスペンサー装置が通常の動作を実行しているときには、リフィルまたはブリスターまたは保持器が、ディスペンサー装置のボディ内に完全に収容された状態に維持される構成とするようにしており、また特に、リフィルまたはブリスターまたは保持器のうちの洗剤が既に投入されて収容部または収容窩が空になった部分までもが、ディスペンサー装置のボディ内に収容されて保護された状態に維持される構成とするようにしている。そのため、食器洗浄機の洗浄室内へ、リフィルまたはブリスターまたは保持器が突き出すおそれがなく、また、洗浄室内の食器篭や、食器篭に入れられた食器、食器立て、それに食器立てに立てられた食器などの外部の物体によって、リフィルまたはブリスターまたは保持器の移動が妨げられたり、停止させられてしまうおそれもなく、更に、食器がリフィルまたはブリスターまたは保持器にぶつかって破損するおそれもない。
【０１８１】
投入物質を１回用量分ずつに分けて保持するための保持手段であるリフィルまたは保持器（ブリスター保持器を含む）またはブリスターは、いうまでもなく、それらの形状を、以上に説明し及び／または例示した形状以外の様々な形状にすることも可能であり、例えば、円筒形を扇形に切り分けた形状（即ち、全円ではなく円周の一部分だけを画成する形状）としてもよく、或いは、少なくとも部分的な円形と直線とを組合せた形状としてもよい。
【０１８２】
同様に、エンコーダを用いた検出システムのための検出対象提供部の形状も、以上に例示した形状以外の様々な形状にすることが可能である。例えば、リフィルまたは保持器またはブリスターの形状を、先に例示したような半円筒形の形状としている場合などには、検出対象提供部の形状が半円筒形となる。また、少なくとも部分的に円形として直線形状と組合せた形状としてもよく、或いは、保持手段の形状に対して少なくとも部分的に相似形または相補形であるような形状としてもよい。また、検出対象提供部を取付ける位置または一体形成する位置は、リフィルまたは保持器の内周領域（中央領域）としてもよく、そうした場合には、例えば、その検出対象提供部を小径の環状部材として形成し、その小径の環状部材を、一連の歯４７が形成された輪環部材の近傍に備えるようにすればよい。
【０１８３】
投入物質の形態は、例えば大型のタブレットのような、１個の塊の形態として、食器洗浄機などの機器の動作サイクルが何度も実行される間に、その投入物質の１個の塊が徐々に溶解して、１回用量分ずつの投入物質の投入が何度も行われるようにすることも可能である。またそうする場合には、投入物質のその塊それ自体が、投入物質を保持するための保持手段として機能するようにすることもでき、その場合には、投入物質のその塊を、ディスペンサー装置の運動伝達システムと協働することのできる形状に賦形するのもよく、また、場合によっては、ブリスターの形状に賦形するのもよい。或いはまた、投入物質のその塊を保持する保持器を装備して、投入物質のその塊とその保持器とによって、それらを互いに連結する手段が構成されるようにするのもよい。
【０１８４】
また、投入物質のその塊は、その投入を実行する都度、ディスペンサー装置により移動させられるようなものとするのもよい。
【０１８５】
別の実施の形態として、ユーザが手作業でリフィルまたは保持器にタブレットの形態の洗剤を補充するようにしてもよく、その場合には、軽く力を加えて押し込むようにしておくことが好ましい。またその場合に、上で説明したブリスターの包装体と同様の包装体で、タブレットの形態の洗剤を包装しておくようにするのもよい。
【０１８６】
以上の説明では、本発明を食器洗浄機に適用する場合を例にとって詳述したが、本発明は、食器洗浄機に限られず、物品の洗浄や洗濯のための様々な家庭用の機器に装備されるディスペンサー装置に適用することができ、例えば、洗濯機や洗濯乾燥機に装備される洗剤ディスペンサー装置（洗剤投入装置）などにも適用可能である。
【０１８７】
ここで「家庭用の機器」と称しているものには、家庭内に設置され、ないしは設備として据え付けられている、あらゆる種類の装置ないし機器を包含するものであり、より具体的には、例えば、衛生関連機器、及び／または、水まわり機器、及び／または、空調用機器、及び／または、暖房機器などが含まれる。
【０１８８】
また、本発明の保持器は、家庭用以外の用途にも用いることができ、例えば、灌漑システムに肥料を投入するためなどの用途にも用いることができ、特に、投与する肥料が、水流によって溶解され、及び／または、水流によって運ばれるようにしたシステムに用いることができる。
【０１８９】
また、「洗剤」という用語は、洗浄ないし洗濯のための物質や、すすぎ補助のための物質に加えて、上で述べた様々な用途に用いられる様々な物質を含むものであり、例えば、柔軟仕上剤、芳香剤、色あせ防止剤、水質軟化剤、水垢除去剤、消毒剤、肥料、等々を含み、更には、家庭内環境において、定められた分量を投入することが求められるその他あらゆる物質を含むものである。
【０１９０】
以上に保持器またはリフィルに関連して説明した様々な構成要素は、ブリスターに関連して説明した様々な構成に対しても、その全体またはその一部を適用することが可能である。
【０１９１】
投入物質を保持する保持手段である保持器に、様々な強度、色、形象で発光表示をすることのできる発光表示部を設けて、その発光表示部が発生する光の強度、色、形象などによってその保持器の回転移動ないし直線移動における位置を表すようにするのもよい。
【０１９２】
更に別の実施の形態として、リフィルの中央部または周縁部に、ユーザが視認できるようにした視覚表示部ないし視覚標識（例えば図２０、図４５を参照のこと）を設けたり、ディスペンサー装置の適宜のセンサによって検出可能な視覚表示部ないし視覚標識を設けたりするのもよく、後者の場合には例えば、リフィルの位置によって変化するその視覚表示部ないし視覚標識の強度、色、形象に応じて、ディスペンサー装置の光センサの信号値が変化するようにすればよい。
【０１９３】
この目的に用いるセンサデバイスは、視覚表示部ないし視覚標識の寸法ないし高さを検出するのに適したものとするとよい。
【０１９４】
例えば、図２０に示したような視覚標識を設けた保持器またはリフィルの場合には、ディスペンサー装置のセンサは、その視覚標識の色領域（例えば赤色領域と緑色領域）の高さなどの構成の相違を判別することによって、その保持器またはリフィル内にまだ消費されずに残っている投入物質の残量に加えて、その保持器またはリフィルの回転角度位置も判定することができる。
【０１９５】
保持器の視覚表示部ないし視覚標識は、例えば図形や数字などのような、比較的複雑な形象を有するものとすることもでき、そのような図形や数字を、複数の収容部または収容窩４５、２４５の夫々に対応した位置に設けるようにすればよい。
【０１９６】
更に別の変更構成例として、１回用量分ずつに分けて収容する複数個の投入物質の形態を、それら複数個の投入物質によって検出対象提供部の一部が構成されるような形態とするのもよい。この変更構成例においては、例えば、１回用量分ずつに分けて収容する複数個の投入物質を、ある色領域内で色相ないし明度が少しずつ変化するように着色して、それら投入物質の間の色相ないし明度の相違を、上で説明したようなディスペンサー装置の適宜の色センサで検出できるようにすればよい。また、１回用量分ずつに分けて収容する複数個の投入物質をタブレットの形態として、それらタブレットの形状が夫々に異なるようにし、例えば、それらの高さが少しずつ変化するようにして、それを例えば高さ位置検出トランスデューサなどの、ディスペンサー装置の適宜の検出装置で検出できるようにするのもよい。また、投入物質の色や形状は、ディスペンサー装置に装着するリフィルの種類を検出するために利用することもできる（例えば、白色の投入物質は洗剤、青色の投入物質はすすぎ補助剤、ピンク色の投入物質は脱臭剤、等々とすることができる）。
【０１９７】
先にも述べたように、様々な実施の形態並びに変更構成例に関して説明した特徴及び構成要素のうちには、当業者であれば、本明細書に記載したその他の実施の形態並びに変更構成例の少なくとも一部の特徴及び構成要素と置き換え可能なものがある。従って、以上に説明した特徴及び構成要素は、それらを様々に組合せることによって、具体例として本明細書に記載し図面に示した課題解決手段ないし装置とは異なった、様々な課題解決手段ないし装置を実現することができる。
【０１９８】
１つの実施の形態として、保持器またはリフィルまたはカートリッジが、メモリ手段及び／または通信手段を備えているようにしたものがある。それら手段を備えることで、ディスペンサー装置が、保持器またはリフィルの挙動の検出及び／または制御を行えるようになっており、また、保持器、ディスペンサー装置、及びそれらが取付けられている機器以外の、その他のデバイスが、保持器またはリフィルの挙動の検出を行えるようになっている。
【０１９９】
前記保持器は、その保持器の挙動や投入物質の種類を表す情報、及び／または、ディスペンサー装置内におけるその保持器の位置を表す情報、及び／または、その保持器に保持されている投入物質の残量を表す情報を格納するための適宜の手段を備えたものとすることが好ましい。尚、ディスペンサー装置内におけるその保持器の位置を表す情報は、その保持器及び／または投入物質の種類を表す情報としても利用できるものとすることが好ましい。
【０２００】
ディスペンサー装置内における保持器の位置を表す情報、及び／または、保持器に保持されている投入物質の残量を表す情報を格納しておくメモリは、非揮発性の電子デバイスメモリとすると有利であり、また特に、ソリッドステート素子メモリとすることが好ましい。この機能を実装するには、ディスペンサー装置がメモリ手段の内容即ちデータを読取れるようにすればよく、また、ディスペンサー装置がメモリ手段のデータを読取れるようにすると共に、その書込み即ち更新を行えるようにするのもよい（例えば、保持器の位置や投入物質の残量の書替えなどを行う）。この実施の形態は、通信手段を利用して実現することもでき、その通信手段としては例えば高周波（ＲＦ）無線手段などの無線通信手段などであり、より具体的には例えば「トランスポンダ」、「ＲＦＩＤ」、「電子タグ」などと呼ばれている公知技術を用いることができ、これらは読取専用型と読み書き可能型とがあり、メモリ及び／または通信手段を含む適当な電子回路またはチップまたはトランスポンダを保持器に装備して、また、制御回路及び／または通信回路を備えたディスペンサー装置制御システムを備えるようにし、それら回路はトランスポンダ（電子タグ）の読取り及び／または書込みのための無線回路などである。トランスポンダなどは、保持器の内部に、または、保持器に付随する構成要素の内部に、水密状態で一体化しておく。
【０２０１】
この種の構成の具体例を図４７に示した。同図において、保持器４０には、トランスポンダＴまたはそれに類似した回路ないしチップを装備し、ディスペンサー装置またはユーザ機器またはユーザ装置の制御システムＳＣには、トランスポンダＴを制御し、及び／または、トランスポンダとの間で通信を行うための回路ＴＲを装備する。以下の説明では、簡明を旨とするために、この回路ＴＲを「リーダー」と称する（ただし、以下の説明からも明らかなように、この「リーダー」は、トランスポンダまたはチップまたは回路Ｔのメモリ手段に情報を書込む動作を実行する機能も備えている）。
【０２０２】
このような用途において、読み書き可能なＲＦ技術を用いる場合には、新たな保持器またはリフィル４０に装備されているトランスポンダＴのメモリ手段は、１回用量分ずつに分けて収容されている投入物質４６の量が何回分であるかを表す情報を含んでおり、保持器及び／またはディスペンサー装置の動作の度に、即ち、保持器４０が移動させられて１回分の投入物質が投入されるたびに、そのデータを更新する（減少させる）。この用途においては、ディスペンサー装置の制御システムＳＣに付随する回路ＴＲは以下の動作を実行する。
（１）保持器４０のトランスポンダＴのメモリ手段に格納されているデータ／数字の読取りを行う（例えば「８回分」というデータを読取る）。
（２）保持器４０を作動させて（移動させて）、１回分の投入物質を投入する。
（３）トランスポンダＴのメモリ手段に、新たなデータ（数字など）の書込みを行う。即ち、先に読取ったデータ／数字の、更新／書替えを行う（例えば「７回分」というデータを書込む）。
【０２０３】
以上に説明した課題解決手段によれば、使い切っていない保持器をディスペンサー装置から取外した場合にも、投入物質のうちの何回分を消費したか、または、使用可能な投入物質があと何回分残っているかについての情報を失わずに済む。使い切っていない保持器をディスペンサー装置から取外すのは、例えば、異なった洗浄方式で洗浄を行うために、ユーザが種類の異なる保持器をかわるがわる１台のディスペンサー装置に装着して使用する場合や、食器洗浄機を長期に亘って使用しないために保持器を取外しておく場合、それに、食器洗浄機を別のものに交換する場合などである。この課題解決手段によれば更に、ディスペンサー装置の制御システムＳＣが、保持器に収容されている洗剤の正確な量を検出すること、及び／または、その量を表す信号を送出することが可能になる。
【０２０４】
以上に具体例として述べた事項は、本質的に、ディスペンサー装置が保持器に「マーキング」ないし「タグ付け」をすることに相当するものであり、より具体的には、ディスペンサー装置が投入動作を実行する都度（例えば１回用量分の投入物質を投入する都度）、保持器にマーキングをすることに相当するものである。保持器に対するマーキングは、電子的手段によるマーキングとすることが好ましく、ただし、保持器は、目的に適合する任意の公知技法によって得られるその他の種類のマーキングないしタグ付けに適したものとすることもできる。それらのうちでも特記すべき方法は、機械的手段によるマーキングに適した保持器とするものであり、これは例えば、投入物質を保持する保持器の少なくとも一部またはその保持器に備えた構成要素の少なくとも一部に、ディスペンサー装置が穿孔または変形付与を行うというものである。そのような実施の形態の具体的な構成例を示すならば、例えば、１回用量分ずつの投入物質を収容する複数の収容部を有する保持器の全体を１枚の薄手のプラスチック部品として製作し、ディスペンサー装置には、制御システムによって制御されて、プラスチック部品の１つの収容部に収容されていた投入物質が投入されたならば、その収容部に対して穿孔または変形付与を行う回路ないしユニットを備える。従ってこの場合、プラスチック部品は「機械的メモリ」として機能するものであり、また、穿孔または変形付与を行う回路ないしユニットは、この機械的メモリの「書込み手段」として機能するものである。
【０２０５】
機械的手段によるマーキングは、ディスペンサー装置の検出及び／または信号発生システム、及び／または、保持手段の中に収容されている１回用量分ずつに分けた投入物質の残量をユーザに通知するのに適した種類の検出及び／または信号発生システムの一部とすることのできるものである。
【０２０６】
その具体例として、図４６に示した保持器４０は、その周壁部４２に検出対象提供リング（検出対象提供クラウン）Ａを設けたものであり、この検出対象提供リング（検出対象提供クラウン）Ａは、径方向と軸心方向との両方向に開口した一連の凹部から成る凹部列（換言するならば、径方向と軸心方向との両方向に突出した凸部列）Ｂを備えている。この凹部列ないし凸部列Ｂは、その表面に、光検出を容易にする少なくとも１種類の材料をコーティングしておくことが好ましく、そのような物質には、例えば、遮光性材料、及び／または、反射性材料（光沢塗料、粘着テープ、または、植設、埋設、溶着、接着によってカートリッジ／保持器に装備したインサートなど）がある。凹部列ないし凸部列Ｂは、保持器の製作過程で形成することが好ましく、例えば、熱可塑性プラスチック材料のモールド成形などによって形成することが好ましい。
【０２０７】
図２４〜図２６に示した具体例（ただし本発明はこの具体例に限定されない）は、複数の収容部４５の各々に１つずつの切欠部Ａ２を形成した例を示したものであり、ディスペンサー装置１０のエンコーダセンサ２７０が、収容部の個数をカウントできるようにしたものである。それら切欠部のうちの少なくとも１つは、カートリッジ／保持器のプリセット位置に形成しておくことが好ましく、エンコーダシステムがその位置を判別できるようにしておくことが好ましい。ある１つの収容部４５には、２つの切欠部Ａ２を設けておき、それによって、エンコーダシステムが初期位置及び／または最終位置を検出できるようにしておくのもよい。
【０２０８】
検出対象提供リングＡのその他の実施の形態として、独立した取外し可能な部材とすることも可能である。例えば、検出対象提供リングＡまたはそれに替わるその他の検出対象提供部材を、保持器またはリフィル４０に直接設けることができる。そのように構成したものの一例を図４６に示した。同図に示した検出対象提供リングＡは、保持器またはリフィル４０に装備して取付けるための部材として構成したものであり、その周縁部に形成した一連の切欠部（凹部）から成る凹部列Ｂはデータをコード化したものであり、それら切欠部（凹部）は、この検出対象提供リングＡの上面側に開口している（図４６に例示した検出対象提供リングはインクリメント型エンコーダに対応したものであるが、アブソリュート型エンコーダに対応した検出対象提供リングにも、また更にその他の種類の検出対象提供リングにも、同一の概念を適用することができる）。
【０２０９】
当然のことながら、本発明の原理を理解するならば、本発明の範囲から逸脱することなく、以上に説明し例示した実施の形態及び構成例とは大きく異なった形態で実施し構成することも可能であり、以上に説明した実施の形態及び構成例はあくまでも具体例を提示することを目的としたものであって、本発明がそれらに限定されるものではない。
【０２１０】
以下に本発明をより明確に記載した一連の規定文を提示する。それら規定文の中で使用している参照符号は、以上の説明において使用し、添付図面においても使用している参照符号に対応しているが、ただし、規定文の中でそれら参照符号を使用しているのは、あくまでも記載内容の理解を助けるためであり、規定文の記載内容がそれら参照符号によって限定されるものではない。
【０２１１】
Ａ１．少なくとも１個の１回用量分の例えば洗剤などの投入物質を保持する保持器であって、ディスペンサー装置に作用的に連結されるように構成されており、該ディスペンサー装置（１０）は、操作システム（６６，６７；２５０）とディスペンサー装置ボディ（２０，３０；２２０，２３０）とを備え、該ディスペンサー装置ボディが、前記保持器（４０；４０’；４０”；２４０；２４０’）の位置付けを行うための位置付け領域（３１；２３１）と投入開口（３３ａ；３３ａ’；２３３）とを有する構成とした、ディスペンサー装置であり、
前記保持器（４０；４０’；４０”；２４０；２４０’）は、前記ディスペンサー装置（１０）の前記位置付け領域（３１；２３１）に連結されるか、または、該位置付け領域（３１；２３１）の中に挿入されるように構成されており、前記操作システム（６６，６７；２５０）が前記保持器（４０；４０’；４０”；２４０；２４０’）と前記ディスペンサー装置ボディ（２０，３０；２２０，２３０）の少なくとも一部（３０）との間の相対移動を発生させることによって、前記少なくとも１個の１回用量分の投入物質（４６；２４６）の選択的な投入を行えるようにしてあり、
前記保持器（４０；４０’；４０”；２４０；２４０’）は、前記少なくとも１個の１回用量分の投入物質（４６；２４６）に対する所定の相対位置に、参照情報提供手段ないし検出対象提供手段（Ａ；Ａ’；Ａ”；４９，４９ａ，４９ｂ）を備えており、該参照情報提供手段ないし検出対象提供手段（Ａ；Ａ’；Ａ”；４９，４９ａ，４９ｂ）は、前記保持器（４０；４０’；４０”；２４０；２４０’）と前記ディスペンサー装置ボディ（２０，３０；２２０，２３０）の少なくとも一部（３０）との間の前記相対移動が生じた際に、情報ないし数値を取得し、または提供し、または生成することができるように構成されている、
ことを特徴とする保持器。
【０２１２】
Ａ２．前記情報ないし数値は、好ましくは、
−前記保持器（４０；４０’；４０”；２４０；２４０’）に保持されている投入物質（４６；２４６）の量と、
−前記位置付け領域（３１；２３１）内における前記保持器（４０；４０’；４０”；２４０；２４０’）の状態、及び／または、位置、及び／または、移動と、
のうちの、少なくとも１つを表すものであることを特徴とする規定文Ａ１に記載の保持器。
【０２１３】
Ａ３．前記少なくとも１個の１回用量分の投入物質は、複数個の１回用量分の投入物質であることを特徴とする規定文Ａ１またはＡ２に記載の保持器。
【０２１４】
Ａ４．前記保持器は、長期使用可能なディスペンサー装置に適した保持器であることを特徴とする規定文Ａ１乃至Ａ３の何れか１つに記載の保持器。
【０２１５】
Ａ５．前記保持器は、前記ディスペンサー装置の前記操作システム（６６，６７；２５０）に装備された制御手段によって制御するのに適した保持器であることを特徴とする規定文Ａ１乃至Ａ４の何れか１つに記載の保持器。
【０２１６】
Ａ６．前記保持器（４０；４０’；４０”；２４０；２４０’）は、検出されるのに適した、検出対象提供手段またはメモリ手段または通信手段を備えていることを特徴とする規定文Ａ１乃至Ａ５の何れか１つに記載の保持器。
【０２１７】
Ａ７．前記保持器（４０；４０’；４０”；２４０；２４０’）は、複数の収容座（４５；４５’；４５”；２４５；２４５’）を画成しており、それら収容座は、その各々が１個ずつの１回用量分の投入物質（４６；２４６）を少なくとも部分的に収容するように構成されており、それら複数個の１回用量分の投入物質の個数は、投入を数回に亘って実行するのに十分な個数であることを特徴とする規定文Ａ１乃至Ａ６の何れか１つに記載の保持器。
【０２１８】
Ａ８．前記参照情報提供手段（Ａ；Ａ’；Ａ”；４９，４９ａ，４９ｂ）が前記保持器（４０；４０’；４０”；２４０；２４０’）に一体に設けられていることを特徴とする規定文Ａ１乃至Ａ７の何れか１つに記載の保持器。
【０２１９】
Ａ９．前記参照情報提供手段（Ａ；Ａ’；Ａ”；４９，４９ａ，４９ｂ）と前記保持器（４０；４０’；４０”；２４０；２４０’）とが一体部品として形成されているか、もしくは、前記参照情報提供手段（Ａ；Ａ’；Ａ”；４９，４９ａ，４９ｂ）が前記保持器（４０；４０’；４０”；２４０；２４０’）に貼着されていることを特徴とする規定文Ａ１乃至Ａ８の何れか１つに記載の保持器。
【０２２０】
Ａ１０．前記保持器はブリスターであることを特徴とする規定文Ａ１乃至Ａ９の何れか１つに記載の保持器。
【０２２１】
Ａ１１．前記保持器はブリスターを収容して保持することを特徴とする規定文Ａ１乃至Ａ１０の何れか１つに記載の保持器。
【０２２２】
Ａ１２．前記少なくとも１個の１回用量分の投入物質は、少なくとも投入の開始時には前記保持器に固定されており、それによって、溶解媒体が、前記保持器へ流入して前記投入物質を少なくとも部分的に溶解し、そして、その溶解した部分の投入物質と共に前記投入開口または第２の投入開口（３３ａ；３３ａ’；２３３）から流出し得るようにしてあることを特徴とする規定文Ａ１乃至Ａ１１の何れか１つに記載の保持器。
【０２２３】
Ａ１３．前記溶解媒体が、前記投入開口（３３ａ；３３ａ’；２３３）とは別の第２の開口から前記保持器へ流入するようにしてあり、それによって前記溶解媒体が少なくとも部分的に、前記少なくとも１個の１回用量分の投入物質の中を流れるようにしてあることを特徴とする規定文Ａ１２に記載の保持器。
【０２２４】
Ａ１４．前記少なくとも１個の１回用量分の投入物質が、２種類以上の互いに異なる投入物質を含むことを特徴とする規定文Ａ１乃至Ａ１３の何れか１つに記載の保持器。
【０２２５】
Ａ１５．伝達手段（４７；４７’；４７ａ，４７ｂ；２４７）を備えており、該伝達手段は、前記ディスペンサー装置（１０）の前記操作システム（６６，６７；２５０）と係脱可能に協働するように構成されていることを特徴とする規定文Ａ１乃至Ａ１４の何れか１つに記載の保持器。
【０２２６】
Ａ１６．前記参照情報提供手段（Ａ；Ａ’；Ａ”；４９，４９ａ，４９ｂ）は、前記保持器（４０；４０’；４０”；２４０；２４０’）に設けられた検出対象提供手段（Ａ；Ａ’；Ａ”）から成り、該検出対象提供手段は、前記ディスペンサー装置（１０）の検出システム（２７０；２７０’）と協働し、ないしは相互作用をして、前記情報ないし数値を発生するように構成されていることを特徴とする規定文Ａ１乃至Ａ１５の何れか１つに記載の保持器。
【０２２７】
Ａ１７．前記参照情報提供手段ないし検出対象提供手段（Ａ；Ａ’；Ａ”；４９，４９ａ，４９ｂ）は、前記保持器（４０；４０’；４０”）に設けられた視覚標識（４９，４９ａ，４９ｂ）から成り、該視覚標識は、前記ディスペンサー装置ボディ（２０，３０）の所定位置（３８；３８”）に前記情報ないし数値を視覚表示ないし生成するように構成されていることを特徴とする規定文Ａ１乃至Ａ１６の何れか１つに記載の保持器。
【０２２８】
Ａ１８．前記参照情報提供手段ないし検出対象提供手段（Ａ；Ａ’；Ａ”；４９，４９ａ，４９ｂ）は、
−前記保持器（４０；４０’；４０”；２４０；２４０’）に保持されている投入物質（４６；２４６）の残量と、
−前記位置付け領域（３１；２３１）内に前記保持器（４０；４０’；４０”；２４０；２４０’）が存在しているか否かについての状態と、
−前記位置付け領域（３１；２３１）内における前記保持器（４０；４０’；４０”；２４０；２４０’）の複数のあり得る動作位置のうちの１つの動作位置と、
のうちの、少なくとも１つを表す情報ないし数値を取得し、または提供し、または生成することができるように構成されている、
ことを特徴とする規定文Ａ１乃至Ａ１７の何れか１つに記載の保持器。
【０２２９】
Ａ１９．前記参照情報提供手段ないし検出対象提供手段（Ａ；Ａ’；Ａ”；４９，４９ａ，４９ｂ）は、
−前記保持器（４０；４０’；４０”；２４０；２４０’）に保持されている投入物質（４６；２４６）の残量と、
−前記位置付け領域（３１；２３１）内における前記保持器（４０；４０’；４０”；２４０；２４０’）の複数のあり得る動作位置のうちの１つの動作位置と、
を表す情報ないし数値を同時に取得し、または提供し、または生成することができるように構成されている、
ことを特徴とする規定文Ａ１乃至Ａ１８の何れか１つに記載の保持器。
【０２３０】
Ａ２０．前記参照情報提供手段ないし検出対象提供手段（Ａ；Ａ’；Ａ”；４９，４９ａ，４９ｂ）は２つの個別の参照情報提供手段ないし検出対象提供手段から成り、それら２つのうちの第１の参照情報提供手段ないし検出対象提供手段は、前記保持器（４０；４０’；４０”；２４０；２４０’）に保持されている投入物質（４６；２４６）の残量を表す情報ないし数値を取得し、または提供し、または生成することができるように構成されており、それら２つのうちの第２の参照情報提供手段ないし検出対象提供手段は、前記位置付け領域（３１；２３１）内における前記保持器（４０；４０’；４０”；２４０；２４０’）の複数のあり得る動作位置のうちの１つの動作位置を表す情報ないし数値を取得し、または提供し、または生成することができるように構成されていることを特徴とする規定文Ａ１９に記載の保持器。
【０２３１】
Ａ２１．前記参照情報提供手段ないし検出対象提供手段（Ａ；Ａ’；Ａ”）は、一連の参照情報提供部ないし検出対象提供部（Ａ１，Ａ２；Ｎ，Ｓ）から成ることを特徴とする規定文Ａ１乃至Ａ２０の何れか１つに記載の保持器。
【０２３２】
Ａ２２．前記参照情報提供部ないし検出対象提供部（Ａ１，Ａ２；Ｎ，Ｓ）は、
−保持器ボディの一連の凸部及び／または凹部、
−保持器ボディの一連の透光性部分及び／または遮光性部分及び／または反射性部分、
−保持器ボディに一体に設けられた一連の磁化インサート、
−金属材料または非磁化強磁性体材料から成る一連のインサート、
のうちの、少なくとも１つから成ることを特徴とする規定文Ａ２１に記載の保持器。
【０２３３】
Ａ２３．前記参照情報提供部ないし検出対象提供部（Ｎ，Ｓ）は、モールド成形可能ないし射出成形可能な材料で形成されており、その材料は例えばフェライト含有プラスチック材料をはじめとする磁化可能な熱可塑性プラスチック材料などであることを特徴とする規定文Ａ２１に記載の保持器。
【０２３４】
Ａ２４．前記一連の参照情報提供部ないし検出対象提供部（Ａ１，Ａ２；Ｎ，Ｓ）は、周縁部の全周に沿って、または周縁部の一部を成す円弧部に沿って配列されていることを特徴とする規定文Ａ１乃至Ａ２３の何れか１つに記載の保持器。
【０２３５】
Ａ２５．前記一連の参照情報提供部ないし検出対象提供部（Ａ１，Ａ２）は、少なくとも部分的に直線状の配列とされていることを特徴とする規定文Ａ１乃至Ａ２４の何れか１つに記載の保持器。
【０２３６】
Ａ２６．前記視覚標識（４９，４９ａ，４９ｂ）または前記参照情報提供手段ないし検出対象提供手段（Ａ；Ａ’；Ａ”；Ａ１，Ａ２；Ｎ，Ｓ）は、図形文字、及び／または、アルファベット文字、及び／または、数字から成る文字列、または、１つまたは複数の表記から成ることを特徴とする規定文Ａ１乃至Ａ２５の何れか１つに記載の保持器。
【０２３７】
Ａ２７．前記視覚標識（４９，４９ａ，４９ｂ）または前記参照情報提供手段ないし検出対象提供手段（Ａ；Ａ’；Ａ”；Ａ１，Ａ２；Ｎ，Ｓ）が、保持器ボディ（４０）の周壁部（４２）と軸心方向端壁部（４０ａ）との少なくとも一方に設けられていることを特徴とする規定文Ａ２６に記載の保持器。
【０２３８】
Ａ２８．前記参照情報提供手段ないし検出対象提供手段、または、前記参照情報提供部ないし検出対象提供部（Ａ；Ａ’；Ａ”；４９，４９ａ，４９ｂ）と、前記保持器（４０；４０’；４０”；２４０；２４０’）とが一体部品として形成されていることを特徴とする規定文Ａ１乃至Ａ２７の何れか１つに記載の保持器。
【０２３９】
Ａ２９．前記参照情報提供手段ないし参照情報提供部（Ａ；Ａ’；Ａ”；４９，４９ａ，４９ｂ；Ａ１，Ａ２；Ｎ，Ｓ）は、前記保持器（４０；４０’；４０”；２４０；２４０’）の製作時に保持器ボディ（４０；４０’；４０”；２４０；２４０’）に挿入されまたは固定されることにより、該保持器ボディ（４０；４０’；４０”；２４０；２４０’）に一体に設けられていることを特徴とする規定文Ａ１乃至Ａ２８の何れか１つに記載の保持器。
【０２４０】
Ａ３０．前記参照情報提供手段ないし参照情報提供部（Ａ；Ａ’；Ａ”；４９，４９ａ，４９ｂ；Ａ１，Ａ２）が、前記保持器ボディ（４０；４０’；４０”；２４０；２４０’）に貼着されていることを特徴とする規定文Ａ１乃至Ａ２９の何れか１つに記載の保持器。
【０２４１】
Ａ３１．前記投入物質は洗剤であることを特徴とする規定文Ａ１乃至Ａ３０の何れか１つに記載の保持器。
【０２４２】
Ａ３２．前記投入物質は化粧剤であることを特徴とする規定文Ａ１乃至Ａ３０の何れか１つに記載の保持器。
【０２４３】
Ａ３３．前記投入物質は薬剤であることを特徴とする規定文Ａ１乃至Ａ３０の何れか１つに記載の保持器。
【０２４４】
Ａ３４．前記保持器（４０；４０’；４０”；２４０；２４０’）は複数の収容座（４５；４５’；４５”；２４５；２４５’）を備えており、それら複数の収容座のうちの少なくとも１つの収容座を前記投入開口（３３ａ；３３ａ’；２３３）に対向させることができるようにしてあり、更に、前記保持器（４０；４０’；４０”；２４０；２４０’）内に封止手段が備えられており、該封止手段は、前記投入開口に対向させた前記少なくとも１つの収容座をその他全ての収容座から遮断するものであることを特徴とする規定文Ａ１乃至Ａ３３の何れか１つに記載の保持器。
【０２４５】
Ａ３５．前記封止手段は、前記投入開口に対向させた前記少なくとも１つの収容座とその他全ての収容座との間の液体遮断バリヤとして機能するものであることを特徴とする規定文Ａ３４に記載の保持器。
【０２４６】
Ａ３６．前記封止手段は、前記投入開口に対向させた前記少なくとも１つの収容座とその他全ての収容座との間の断熱バリヤとして機能するものであることを特徴とする規定文Ａ３４に記載の保持器。
【０２４７】
Ａ３７．規定文Ａ１乃至Ａ３６の何れか１つに記載されたところの、ただし必ずしもそれら規定文に記載されたものに限定されない、少なくとも１個の１回用量分の投入物質を保持する保持器であって、ディスペンサー装置に作用的に連結されるように構成されており、該ディスペンサー装置（１０）は、操作システム（６６，６７；２５０）とディスペンサー装置ボディ（２０，３０；２２０，２３０）とを備え、該ディスペンサー装置ボディが、前記保持器（４０；４０’；４０”；２４０；２４０’）の位置付けを行うための位置付け領域（３１；２３１）と投入開口（３３ａ；３３ａ’；２３３）とを有する構成とした、ディスペンサー装置であり、
前記保持器（４０；４０’；４０”；２４０；２４０’）は、前記ディスペンサー装置（１０）の前記位置付け領域（３１；２３１）に連結されるか、または、該位置付け領域（３１；２３１）の中に挿入されるように構成されており、前記操作システム（６６，６７；２５０）が前記保持器（４０；４０’；４０”；２４０；２４０’）と前記ディスペンサー装置ボディ（２０，３０；２２０，２３０）の少なくとも一部（３０）との間の相対移動を発生させることによって、前記少なくとも１個の１回用量分の投入物質（４６；２４６）の選択的な投入を行えるようにしてあり、
前記保持器（４０；４０’；４０”；２４０；２４０’）は、伝達手段（４７；４７’；４７ａ，４７ｂ；２４７）を備えており、該伝達手段は、前記ディスペンサー装置（１０）の前記操作システム（６６，６７；２５０）と係脱可能に協働するように構成されている、
ことを特徴とする保持器。
【０２４８】
Ａ３８．前記保持器は、前記投入物質を利用する機器のボディに一体的に且つ分離不能に結合されるのに適した構成のディスペンサー装置のための保持器であることを特徴とする規定文Ａ１乃至Ａ３７の何れか１つに記載の保持器。
【０２４９】
Ａ３９．前記保持器は、前記ディスペンサー装置の前記操作システム（６６，６７；２５０）に装備された制御手段によって制御されるのに適した保持器であることを特徴とする規定文Ａ１乃至Ａ３８の何れか１つに記載の保持器。
【０２５０】
Ａ４０．前記保持器は、前記ディスペンサー装置によって制御されることを可能とするのに適した手段（４０；４０’；４０”；２４０；２４０’）を備えていることを特徴とする規定文Ａ１乃至Ａ３９の何れか１つに記載の保持器。
【０２５１】
Ａ４１．前記保持器（４０；４０’；４０”；２４０；２４０’）は、前記少なくとも１個の１回用量分の投入物質（４６；２４６）に対する所定の相対位置に、参照情報提供手段ないし検出対象提供手段（Ａ；Ａ’；Ａ”；４９，４９ａ，４９ｂ）を備えており、該参照情報提供手段ないし検出対象提供手段（Ａ；Ａ’；Ａ”；４９，４９ａ，４９ｂ）は、前記保持器（４０；４０’；４０”；２４０；２４０’）と前記ディスペンサー装置ボディ（２０，３０；２２０，２３０）の少なくとも一部（３０）との間の前記相対移動が生じた際に、情報ないし数値を取得し、または提供し、または生成することができるように構成されていることを特徴とする規定文Ａ１乃至Ａ４０の何れか１つに記載の保持器。
【０２５２】
Ａ４２．前記情報ないし数値は、好ましくは、
−前記保持器（４０；４０’；４０”；２４０；２４０’）に保持されている投入物質（４６；２４６）の量と、
前記位置付け領域（３１；２３１）内における前記保持器（４０；４０’；４０”；２４０；２４０’）の状態、及び／または、位置と、
のうちの、少なくとも１つを表すものであることを特徴とする規定文Ａ１乃至Ａ４１の何れか１つに記載の保持器。
【０２５３】
Ａ４３．前記少なくとも１個の１回用量分の投入物質は、複数個の１回用量分の投入物質であることを特徴とする規定文Ａ１乃至Ａ４２の何れか１つに記載の保持器。
【０２５４】
Ａ４４．長期使用可能なディスペンサー装置のための、規定文Ａ１乃至Ａ４３の何れか１つに記載の保持器。
【０２５５】
Ａ４５．前記保持器は、前記ディスペンサー装置（１０）の前記操作システム（６６，６７；２５０）と協働するのに適した保持器であることを特徴とする規定文Ａ１乃至Ａ４４の何れか１つに記載の保持器。
【０２５６】
Ａ４６．前記保持器（４０；４０’；４０”；２４０；２４０’）は複数の収容座（４５；４５’；４５”；２４５；２４５’）を画成しており、それら収容座は、その各々が１個ずつの１回用量分の投入物質（１４；２４６）を少なくとも部分的に収容するように構成されており、それら複数個の１回用量分の投入物質の個数は、投入を数回に亘って実行するのに十分な個数であることを特徴とする規定文Ａ１乃至Ａ４５の何れか１つに記載の保持器。
【０２５７】
Ａ４７．前記参照情報提供手段ないし検出対象提供手段（Ａ；Ａ’；Ａ”；４９，４９ａ，４９ｂ）が前記保持器（４０；４０’；４０”；２４０；２４０’）に一体に設けられていることを特徴とする規定文Ａ１乃至Ａ４６の何れか１つに記載の保持器。
【０２５８】
Ａ４８．前記参照情報提供手段ないし検出対象提供手段（Ａ；Ａ’；Ａ”；４９，４９ａ，４９ｂ）と前記保持器（４０；４０’；４０”；２４０；２４０’）とが一体部品として形成されていることを特徴とする規定文Ａ１乃至Ａ４７の何れか１つに記載の保持器。
【０２５９】
Ａ４９．前記参照情報提供手段ないし検出対象提供手段（Ａ；Ａ’；Ａ”；４９，４９ａ，４９ｂ）が前記保持器（４０；４０’；４０”；２４０；２４０’）に貼着されていることを特徴とする規定文Ａ１乃至Ａ４８の何れか１つに記載の保持器。
【０２６０】
Ａ５０．前記保持器はブリスターであることを特徴とする規定文Ａ１乃至Ａ４９の何れか１つに記載の保持器。
【０２６１】
Ａ５１．前記保持器はブリスターを収容して保持することを特徴とする規定文Ａ１乃至Ａ５０の何れか１つに記載の保持器。
【０２６２】
Ａ５２．前記少なくとも１個の１回用量分の投入物質は前記保持器に固定されており、それによって、溶解媒体が、前記保持器へ流入して前記投入物質を少なくとも部分的に溶解し、そして、その溶解した部分の投入物質と共に前記投入開口（３３ａ；３３ａ’；２３３）から流出し得るようにしてあることを特徴とする規定文Ａ１乃至Ａ５１の何れか１つに記載の保持器。
【０２６３】
Ａ５３．前記溶解媒体が、前記投入開口（３３ａ；３３ａ’；２３３）とは別の第２の開口から前記保持器へ流入するようにしてあり、それによって前記溶解媒体が少なくとも部分的に、前記少なくとも１個の１回用量分の投入物質の中を流れるようにしてあることを特徴とする規定文Ａ１乃至Ａ５２の何れか１つに記載の保持器。
【０２６４】
Ａ５４．前記少なくとも１個の１回用量分の投入物質が、２種類以上の互いに異なる投入物質を含むことを特徴とする規定文Ａ１乃至Ａ５３の何れか１つに記載の保持器。
【０２６５】
Ａ５５．前記参照情報提供手段（Ａ；Ａ’；Ａ”；４９，４９ａ，４９ｂ）は、前記保持器（４０；４０’；４０”；２４０；２４０’）に設けられた検出対象提供手段（Ａ；Ａ’；Ａ”）から成り、該検出対象提供手段は、前記ディスペンサー装置（１０）の検出システム（２７０；２７０’）と協働し、ないしは相互作用をして、前記情報ないし数値を発生するように構成されていることを特徴とする規定文Ａ１乃至Ａ５４の何れか１つに記載の保持器。
【０２６６】
Ａ５６．前記参照情報提供手段ないし検出対象提供手段（Ａ；Ａ’；Ａ”；４９，４９ａ，４９ｂ）は、前記保持器（４０；４０’；４０”）に設けられた視覚標識（４９，４９ａ，４９ｂ）から成り、該視覚標識は、前記ディスペンサー装置ボディ（２０，３０）の所定位置（３８；３８”）に前記情報を視覚表示するように構成されていることを特徴とする規定文Ａ１乃至Ａ５５の何れか１つに記載の保持器。
【０２６７】
Ａ５７．前記参照情報提供手段ないし検出対象提供手段（Ａ；Ａ’；Ａ”；４９，４９ａ，４９ｂ）は、
−前記保持器（４０；４０’；４０”；２４０；２４０’）に保持されている投入物質（４６；２４６）の残量と、
−前記位置付け領域（３１；２３１）内に前記保持器（４０；４０’；４０”；２４０；２４０’）が存在しているか否かについての状態と、
−前記位置付け領域（３１；２３１）内における前記保持器（４０；４０’；４０”；２４０；２４０’）の複数のあり得る動作位置のうちの１つの動作位置と、
のうちの、少なくとも１つを表す情報ないし数値を取得することができるように構成されている、
ことを特徴とする規定文Ａ１乃至Ａ５６の何れか１つに記載の保持器。
【０２６８】
Ａ５８．前記参照情報提供手段ないし検出対象提供手段（Ａ；Ａ’；Ａ”；４９，４９ａ，４９ｂ）は、
−前記保持器（４０；４０’；４０”；２４０；２４０’）に保持されている投入物質（４６；２４６）の残量と、
−前記位置付け領域（３１；２３１）内における前記保持器（４０；４０’；４０”；２４０；２４０’）の複数のあり得る動作位置のうちの１つの動作位置と、
を情報ないし数値として同時に提供することができるように構成されている、
ことを特徴とする規定文Ａ１乃至Ａ５７の何れか１つに記載の保持器。
【０２６９】
Ａ５９．前記参照情報提供手段ないし検出対象提供手段（Ａ；Ａ’；Ａ”；４９，４９ａ，４９ｂ）は２つの個別の参照情報提供手段ないし検出対象提供手段から成り、それら２つのうちの第１の参照情報提供手段ないし検出対象提供手段は、前記保持器（４０；４０’；４０”；２４０；２４０’）に保持されている投入物質（４６；２４６）の残量を取得し、または提供し、または生成することができるように構成されており、それら２つのうちの第２の参照情報提供手段ないし検出対象提供手段は、前記位置付け領域（３１；２３１）内における前記保持器（４０；４０’；４０”；２４０；２４０’）の複数のあり得る動作位置のうちの１つの動作位置を取得し、または提供し、または生成することができるように構成されていることを特徴とする規定文Ａ１乃至Ａ５８の何れか１つに記載の保持器。
【０２７０】
Ａ６０．前記参照情報提供手段ないし検出対象提供手段（Ａ；Ａ’；Ａ”）は、一連の検出対象提供部（Ａ１，Ａ２；Ｎ，Ｓ）から成ることを特徴とする規定文Ａ１乃至Ａ５９の何れか１つに記載の保持器。
【０２７１】
Ａ６１．前記参照情報提供部ないし検出対象提供部（Ａ１，Ａ２；Ｎ，Ｓ）は、
−前記保持器のボディの一連の凸部及び／または凹部、または、前記保持器に付設された一連の凸部及び／または凹部、
−前記保持器のボディの一連の透光性部分及び／または遮光性部分及び／または反射性部分、または、前記保持器に付設された一連の透光性部分及び／または遮光性部分及び／または反射性部分、
−前記保持器のボディに一体に設けられた一連の磁化インサート、または、前記保持器に付設された一連の磁化インサート、
−金属材料または非磁化強磁性体材料から成る一連のインサート、
のうちの、少なくとも１つから成ることを特徴とする規定文Ａ６０に記載の保持器。
【０２７２】
Ａ６２．前記参照情報提供部ないし検出対象提供部（Ｎ，Ｓ）は、モールド成形可能ないし射出成形可能な材料で形成されており、その材料は例えばフェライト含有プラスチック材料をはじめとする磁化可能な熱可塑性プラスチック材料などであることを特徴とする規定文Ａ１乃至Ａ６１の何れか１つに記載の保持器。
【０２７３】
Ａ６３．前記一連の参照情報提供部ないし検出対象提供部（Ａ１，Ａ２；Ｎ，Ｓ）は、周縁部の全周に沿って、または周縁部の一部を成す円弧部に沿って配列されていることを特徴とする規定文Ａ１乃至Ａ６２の何れか１つに記載の保持器。
【０２７４】
Ａ６４．前記一連の参照情報提供部ないし検出対象提供部（Ａ１，Ａ２）は、少なくとも部分的に直線状の配列とされていることを特徴とする規定文Ａ１乃至Ａ６３の何れか１つに記載の保持器。
【０２７５】
Ａ６５．前記視覚標識（４９，４９ａ，４９ｂ）は、図形文字、及び／または、アルファベット文字、及び／または、数字から成る文字列、または、１つまたは複数の表記から成ることを特徴とする規定文Ａ１乃至Ａ６４の何れか１つに記載の保持器。
【０２７６】
Ａ６６．前記保持器（４０）のボディの周壁部（４２）と軸心方向端壁部（４０ａ）との少なくとも一方に、または、前記保持器（４０）に付設された周壁部（４２）と軸心方向端壁部（４０ａ）との少なくとも一方に、視覚標識（４９，４９ａ，４９ｂ）が設けられていることを特徴とする規定文Ａ１乃至Ａ６５の何れか１つに記載の保持器。
【０２７７】
Ａ６７．前記参照情報提供手段ないし検出対象提供手段（Ａ；Ａ’；Ａ”；４９，４９ａ，４９ｂ）と、前記保持器（４０；４０’；４０”；２４０；２４０’）とが一体部品として形成されていることを特徴とする規定文Ａ１乃至Ａ６６の何れか１つに記載の保持器。
【０２７８】
Ａ６８．前記参照情報提供手段ないし検出対象提供手段（Ａ；Ａ’；Ａ”；４９，４９ａ，４９ｂ；Ａ１，Ａ２）は、前記保持器（４０；４０’；４０”；２４０；２４０’）の製作時に保持器ボディ（４０；４０’；４０”；２４０；２４０’）に挿入されまたは固定されることにより、該保持器ボディ（４０；４０’；４０”；２４０；２４０’）に一体に設けられまたは固定されていることを特徴とする規定文Ａ１乃至Ａ６７の何れか１つに記載の保持器。
【０２７９】
Ａ６９．前記投入物質は洗剤であることを特徴とする規定文Ａ１乃至Ａ６８の何れか１つに記載の保持器。
【０２８０】
Ａ７０．前記投入物質は化粧剤であることを特徴とする規定文Ａ１乃至Ａ６８の何れか１つに記載の保持器。
【０２８１】
Ａ７１．前記投入物質は薬剤であることを特徴とする規定文Ａ１乃至Ａ６８の何れか１つに記載の保持器。
【０２８２】
Ａ７２．前記保持器（４０；４０’；４０”；２４０；２４０’）は複数の収容座（４５；４５’；４５”；２４５；２４５’）を備えており、それら複数の収容座のうちの少なくとも１つの収容座を前記投入開口（３３ａ；３３ａ’；２３３）に対向させることができるようにしてあり、更に、前記保持器（４０；４０’；４０”；２４０；２４０’）内に封止手段が備えられており、該封止手段は、前記投入開口に対向させた前記少なくとも１つの収容座をその他全ての収容座から遮断するものであることを特徴とする規定文Ａ１乃至Ａ７１の何れか１つに記載の保持器。
【０２８３】
Ａ７３．前記封止手段は、前記投入開口に対向させた前記少なくとも１つの収容座とその他全ての収容座との間の液体遮断バリヤとして機能するものであることを特徴とする規定文Ａ７２に記載の保持器。
【０２８４】
Ａ７４．前記封止手段は、前記投入開口に対向させた前記少なくとも１つの収容座とその他全ての収容座との間の断熱バリヤとして機能するものであることを特徴とする規定文Ａ７２に記載の保持器。
【０２８５】
Ａ７５．前記保持器（４０；４０’；４０”；２４０；２４０’）は回転可能に構成されており、該保持器は、該保持器の回転軸心に沿って延在する中央管状部（４１；４１’；４１”；２４１）を備えたボディを有しており、前記伝達手段（４７；４７’；４７ａ，４７ｂ）は、前記中央管状部（４１；４１’；４１”；２４１）に設けられていることを特徴とする規定文Ａ１乃至Ａ７４の何れか１つに記載の保持器。
【０２８６】
Ａ７６．前記保持器は直線移動可能に構成されており、該保持器は長手方向に延在するボディを有しており、前記伝達手段（２４７）は、該ボディ（２４０）の少なくとも１つの外壁部に設けられていることを特徴とする規定文Ａ１乃至Ａ７５の何れか１つに記載の保持器。
【０２８７】
Ａ７７．前記伝達手段は一連の歯（４７；２４７）を備えていることを特徴とする規定文Ａ１乃至Ａ７６の何れか１つに記載の保持器。
【０２８８】
Ａ７８．前記一連の歯（４７）は実質的に鋸歯状歯であることを特徴とする規定文Ａ７７に記載の保持器。
【０２８９】
Ａ７９．前記保持器が前記ディスペンサー装置（１０）に対してセルフセンタリングされるように、前記一連の歯（４７）はそれらの前面の形状を非平面形状としてあり、また特に、実質的にＶ字形の形状としてあることを特徴とする規定文Ａ７８に記載の保持器。
【０２９０】
Ａ８０．前記一連の歯（４７）は実質的に周縁部に沿って配列されていることを特徴とする規定文Ａ７７、Ａ７８、又はＡ７９に記載の保持器。
【０２９１】
Ａ８１．前記一連の歯（４７）は実質的にラックとして形成されていることを特徴とする規定文Ａ７７、Ａ７８、又はＡ７９に記載の保持器。
【０２９２】
Ａ８２．前記保持器は前記位置付け領域（３１）の内部において回転可能であるように構成されており、該保持器は該保持器の回転軸心に沿って延在する中央管状部（４１；４１’；４１”；２４１）を備えたボディを有しており、前記伝達手段（４７；４７’；４７ａ，４７ｂ）は前記中央管状部（４１；４１’；４１”；２４１）に設けられていることを特徴とする規定文Ａ１乃至Ａ８１の何れか１つに記載の保持器。
【０２９３】
Ａ８３．前記伝達手段（４７）は、前記中央管状部（４１；２４１）に形成されたフランジ部（４１ａ）に形成されており、また特にリングギアから成ることを特徴とする規定文Ａ１乃至Ａ８２の何れか１つに記載の保持器。
【０２９４】
Ａ８４．前記伝達手段は、前記中央管状部（４１；４１”）の内周面に交互に形成された一連の凸部（４７ａ）と凹部（４７ｂ）とから成ることを特徴とする規定文Ａ１乃至Ａ８３の何れか１つに記載の保持器。
【０２９５】
Ａ８５．前記伝達手段（４７’）は、前記ディスペンサー装置の前記操作システムに連結されたときの該操作システムに対する相対位置が常に同一になるように構成されていることを特徴とする規定文Ａ１乃至Ａ８４の何れか１つに記載の保持器。
【０２９６】
Ａ８６．前記伝達手段（４７’）は、前記中央管状部（４１）の溝と軸心方向凸条との少なくとも一方を備えていることを特徴とする規定文Ａ１乃至Ａ８５の何れか１つに記載の保持器。
【０２９７】
Ａ８７．前記保持器に保持されている投入物質の投入を行うディスペンサー装置は、投入物質の投入先の機器に分離不能に固定されたディスペンサー装置であり、前記保持器はかかるディスペンサー装置に連結するのに適した構成とされていることを特徴とする規定文Ａ１乃至Ａ８６の何れか１つに記載の保持器。
【０２９８】
Ａ８８．規定文Ａ１乃至Ａ８７の何れか１つに記載されたところの、ただし必ずしもそれら規定文に記載されたものに限定されない、少なくとも１個の１回用量分の投入物質を保持する保持器であって、ディスペンサー装置に作用的に連結されるように構成されており、該ディスペンサー装置（１０）は、操作システム（６６，６７；２５０）とディスペンサー装置ボディ（２０，３０；２２０，２３０）とを備え、該ディスペンサー装置ボディが、前記保持器（４０；４０’；４０”；２４０；２４０’）の位置付けを行うための位置付け領域（３１；２３１）と投入開口（３３ａ；３３ａ’；２３３）とを有する構成とした、ディスペンサー装置であり、該ディスペンサー装置は更に、該ディスペンサー装置が投入物質を投入する投入先の機器に分離不能に固定されており、
前記保持器（４０；４０’；４０”；２４０；２４０’）は、前記ディスペンサー装置（１０）の前記位置付け領域（３１；２３１）に連結されるか、または、該位置付け領域（３１；２３１）の中に挿入されるように構成されており、前記操作システム（６６，６７；２５０）が前記保持器（４０；４０’；４０”；２４０；２４０’）と前記ディスペンサー装置ボディ（２０，３０；２２０，２３０）の少なくとも一部（３０）との間の相対移動を発生させることによって、前記少なくとも１個の１回用量分の投入物質（４６；２４６）の選択的な投入を行えるようにしてあり、
前記少なくとも１個の１回用量分の投入物質は、少なくとも投入の開始時には前記保持器に固定されており、それによって、溶解媒体が、前記保持器へ流入して前記投入物質を少なくとも部分的に溶解し、そして、その溶解した部分の投入物質と共に前記投入開口（３３ａ；３３ａ’；２３３）から流出し得るようにしてある、
ことを特徴とする保持器。
【０２９９】
Ａ８９．前記溶解媒体が、前記投入開口（３３ａ；３３ａ’；２３３）とは別の第２の開口から前記保持器へ流入するようにしてあり、それによって前記溶解媒体が少なくとも部分的に、前記少なくとも１個の１回用量分の投入物質の中を流れるようにしてあることを特徴とする規定文Ａ１乃至Ａ８８の何れか１つに記載の保持器。
【０３００】
Ａ９０．前記保持器（４０；４０’；４０”；２４０；２４０’）は、伝達手段（４７；４７’；４７ａ，４７ｂ；２４７）を備えており、該伝達手段は、前記ディスペンサー装置（１０）の前記操作システム（６６，６７；２５０）と係脱可能に協働するように構成されていることを特徴とする規定文Ａ１乃至Ａ８９の何れか１つに記載の保持器。
【０３０１】
Ａ９１．前記ディスペンサー装置は、前記投入物質を利用する機器のボディに一体的に且つ分離不能に結合されていることを特徴とする規定文Ａ１乃至Ａ９０の何れか１つに記載の保持器。
【０３０２】
Ａ９２．前記保持器は、該保持器の前記ディスペンサー装置（１０）に対する相対位置が、前記ディスペンサー装置（１０）が前記操作システム（６６，６７；２５０）へコマンドを発することによって、または、前記ディスペンサー装置（１０）が前記操作システム（６６，６７；２５０）を制御することによって定まるように構成されていることを特徴とする規定文Ａ１乃至Ａ９１の何れか１つに記載の保持器。
【０３０３】
Ａ９３．前記保持器（４０；４０’；４０”；２４０；２４０’）は、前記少なくとも１個の１回用量分の投入物質（４６；２４６）に対する所定の相対位置に、参照情報提供手段ないし検出対象提供手段（Ａ；Ａ’；Ａ”；４９，４９ａ，４９ｂ）を備えており、該参照情報提供手段ないし検出対象提供手段（Ａ；Ａ’；Ａ”；４９，４９ａ，４９ｂ）は、前記保持器（４０；４０’；４０”；２４０；２４０’）と前記ディスペンサー装置ボディ（２０，３０；２２０，２３０）の少なくとも一部（３０）との間の前記相対移動が生じた際に、情報ないし数値を取得し、または提供し、または生成することができるように構成されていることを特徴とする規定文Ａ１乃至Ａ９２の何れか１つに記載の保持器。
【０３０４】
Ａ９４．前記情報ないし数値は、
−前記保持器（４０；４０’；４０”；２４０；２４０’）に保持されている投入物質（４６；２４６）の量と、
前記位置付け領域（３１；２３１）内における前記保持器（４０；４０’；４０”；２４０；２４０’）の状態、及び／または、位置と、
のうちの、少なくとも１つを表すものであることを特徴とする規定文Ａ１乃至Ａ９３の何れか１つに記載の保持器。
【０３０５】
Ａ９５．前記少なくとも１個の１回用量分の投入物質は、複数個の１回用量分の投入物質であることを特徴とする規定文Ａ１乃至Ａ９４の何れか１つに記載の保持器。
【０３０６】
Ａ９６．長期使用可能なディスペンサー装置のための、規定文Ａ１乃至Ａ９５の何れか１つに記載の保持器。
【０３０７】
Ａ９７．前記保持器は、前記ディスペンサー装置（１０）の前記操作システム（６６，６７；２５０）と協働するのに適した保持器であることを特徴とする規定文Ａ１乃至Ａ９６の何れか１つに記載の保持器。
【０３０８】
Ａ９８．前記保持器（４０；４０’；４０”；２４０；２４０’）は複数の収容座（４５；４５’；４５”；２４５；２４５’）を画成しており、それら収容座は、その各々が１個ずつの１回用量分の投入物質（４６；２４６）を少なくとも部分的に収容するように構成されており、それら複数個の１回用量分の投入物質の個数は、投入を数回に亘って実行するのに十分な個数であることを特徴とする規定文Ａ１乃至Ａ９７の何れか１つに記載の保持器。
【０３０９】
Ａ９９．前記参照情報提供手段ないし検出対象提供手段（Ａ；Ａ’；Ａ”；４９，４９ａ，４９ｂ）が、前記保持器（４０；４０’；４０”；２４０；２４０’）に一体に設けられているか、または、前記保持器（４０；４０’；４０”；２４０；２４０’）に貼着されていることを特徴とする規定文Ａ７８乃至Ａ８７の何れか１つに記載の保持器。
【０３１０】
Ａ１００．前記保持器はブリスターであることを特徴とする規定文Ａ１乃至Ａ９９の何れか１つに記載の保持器。
【０３１１】
Ａ１０１．前記保持器はブリスターを収容して保持することを特徴とする規定文Ａ１乃至Ａ１００の何れか１つに記載の保持器。
【０３１２】
Ａ１０２．前記少なくとも１個の１回用量分の投入物質は、少なくとも投入の開始時には前記保持器に固定されており、それによって、溶解媒体が、前記保持器へ流入して前記投入物質を少なくとも部分的に溶解し、そして、その溶解した部分の投入物質と共に前記投入開口（３３ａ；３３ａ’；２３３）から流出し得るようにしてあることを特徴とする規定文Ａ１乃至Ａ１０１の何れか１つに記載の保持器。
【０３１３】
Ａ１０３．前記溶解媒体が、前記投入開口（３３ａ；３３ａ’；２３３）とは別の第２の開口から前記保持器へ流入するようにしてあり、それによって前記溶解媒体が少なくとも部分的に、前記少なくとも１個の１回用量分の投入物質の中を流れるようにしてあることを特徴とする規定文Ａ１０２に記載の保持器。
【０３１４】
Ａ１０４．前記少なくとも１個の１回用量分の投入物質が、２種類以上の互いに異なる投入物質を含むことを特徴とする規定文Ａ１乃至Ａ１０３の何れか１つに記載の保持器。
【０３１５】
Ａ１０５．前記参照情報提供手段ないし検出対象提供手段（Ａ；Ａ’；Ａ”；４９，４９ａ，４９ｂ）は、前記保持器（４０；４０’；４０”；２４０；２４０’）に設けられた検出対象提供手段（Ａ；Ａ’；Ａ”）から成り、該検出対象提供手段は、前記ディスペンサー装置（１０）の検出システム（２７０；２７０’）と協働し、ないしは相互作用をして、前記情報ないし数値を発生するように構成されていることを特徴とする規定文Ａ１乃至Ａ１０４の何れか１つに記載の保持器。
【０３１６】
Ａ１０６．前記参照情報提供手段ないし検出対象提供手段（Ａ；Ａ’；Ａ”；４９，４９ａ，４９ｂ）は、前記保持器（４０；４０’；４０”）に設けられた視覚標識（４９，４９ａ，４９ｂ）から成り、該視覚標識は、前記ディスペンサー装置ボディ（２０，３０）の所定位置（３８；３８”）に前記情報を視覚表示するように構成されていることを特徴とする規定文Ａ１乃至Ａ１０５の何れか１つに記載の保持器。
【０３１７】
Ａ１０７．前記参照情報提供手段ないし検出対象提供手段（Ａ；Ａ’；Ａ”；４９，４９ａ，４９ｂ）は、
−前記保持器（４０；４０’；４０”；２４０；２４０’）に保持されている投入物質（４６；２４６）の残量と、
−前記位置付け領域（３１；２３１）内に前記保持器（４０；４０’；４０”；２４０；２４０’）が存在しているか否かについての状態と、
−前記位置付け領域（３１；２３１）内における前記保持器（４０；４０’；４０”；２４０；２４０’）の複数のあり得る動作位置のうちの１つの動作位置と、
のうちの、少なくとも１つを表す情報ないし数値を提供することができるように構成されている、
ことを特徴とする規定文Ａ１乃至Ａ１０６の何れか１つに記載の保持器。
【０３１８】
Ａ１０８．前記参照情報提供手段ないし検出対象提供手段（Ａ；Ａ’；Ａ”；４９，４９ａ，４９ｂ）は、
−前記保持器（４０；４０’；４０”；２４０；２４０’）に保持されている投入物質（４６；２４６）の残量と、
−前記位置付け領域（３１；２３１）内における前記保持器（４０；４０’；４０”；２４０；２４０’）の複数のあり得る動作位置のうちの１つの動作位置と、
を情報ないし数値として同時に提供することができるように構成されている、
ことを特徴とする規定文Ａ１乃至Ａ１０７の何れか１つに記載の保持器。
【０３１９】
Ａ１０９．前記参照情報提供手段ないし検出対象提供手段（Ａ；Ａ’；Ａ”；４９，４９ａ，４９ｂ）は２つの個別の参照情報提供手段ないし検出対象提供手段から成り、それら２つのうちの第１の参照情報提供手段ないし検出対象提供手段は、前記保持器（４０；４０’；４０”；２４０；２４０’）に保持されている投入物質（４６；２４６）の残量を提供することができるように構成されており、それら２つのうちの第２の参照情報提供手段ないし検出対象提供手段は、前記位置付け領域（３１；２３１）内における前記保持器（４０；４０’；４０”；２４０；２４０’）の複数のあり得る動作位置のうちの１つの動作位置を提供することができるように構成されていることを特徴とする規定文Ａ１０８に記載の保持器。
【０３２０】
Ａ１１０．前記参照情報提供手段ないし検出対象提供手段（Ａ；Ａ’；Ａ”）は、一連の検出対象提供部（Ａ１，Ａ２；Ｎ，Ｓ）から成ることを特徴とする規定文Ａ１乃至Ａ１０９の何れか１つに記載の保持器。
【０３２１】
Ａ１１１．前記参照情報提供部ないし検出対象提供部（Ａ１，Ａ２；Ｎ，Ｓ）は、
−保持器ボディの一連の凸部及び／または凹部、
−保持器ボディの一連の透光性部分及び／または遮光性部分及び／または反射性部分、
−保持器ボディに一体に設けられた一連の磁化インサート、
−金属材料または非磁化強磁性体材料から成る一連のインサート、
のうちの、少なくとも１つから成ることを特徴とする規定文Ａ１１０に記載の保持器。
【０３２２】
Ａ１１２．前記検出対象提供部（Ｎ，Ｓ）は、モールド成形可能ないし射出成形可能な材料で形成されており、その材料は例えばフェライト含有プラスチック材料をはじめとする磁化可能な熱可塑性プラスチック材料などであることを特徴とする規定文Ａ１１０に記載の保持器。
【０３２３】
Ａ１１３．前記一連の参照情報提供部ないし検出対象提供部（Ａ１，Ａ２；Ｎ，Ｓ）は、周縁部の全周に沿って、または周縁部の一部を成す円弧部に沿って配列されていることを特徴とする規定文Ａ１乃至Ａ１１２の何れか１つに記載の保持器。
【０３２４】
Ａ１１４．前記一連の参照情報提供部ないし検出対象提供部（Ａ１，Ａ２）は、少なくとも部分的に直線状の配列とされていることを特徴とする規定文Ａ１乃至Ａ１１３の何れか１つに記載の保持器。
【０３２５】
Ａ１１５．前記視覚標識（４９，４９ａ，４９ｂ）は、図形文字、及び／または、アルファベット文字、及び／または、数字から成る文字列、または、１つまたは複数の表記から成ることを特徴とする規定文Ａ１乃至Ａ１１４の何れか１つに記載の保持器。
【０３２６】
Ａ１１６．前記視覚標識（４９，４９ａ，４９ｂ）が、保持器ボディ（４０）の周壁部（４２）と軸心方向端壁部（４０ａ）との少なくとも一方に設けられていることを特徴とする規定文Ａ１乃至Ａ１１５の何れか１つに記載の保持器。
【０３２７】
Ａ１１７．前記参照情報提供手段ないし検出対象提供手段（Ａ；Ａ’；Ａ”；４９，４９ａ，４９ｂ）と、前記保持器（４０；４０’；４０”；２４０；２４０’）とが一体部品として形成されていることを特徴とする規定文Ａ１乃至Ａ１１６の何れか１つに記載の保持器。
【０３２８】
Ａ１１８．前記参照情報提供手段ないし検出対象提供手段（Ａ；Ａ’；Ａ”；４９，４９ａ，４９ｂ；Ａ１，Ａ２）は、前記保持器（４０；４０’；４０”；２４０；２４０’）の製作時に保持器ボディ（４０；４０’；４０”；２４０；２４０’）に挿入されまたは固定されることにより、該保持器ボディ（４０；４０’；４０”；２４０；２４０’）に一体に設けられまたは固定されていることを特徴とする規定文Ａ１乃至Ａ４４の何れか１つに記載の保持器。
【０３２９】
Ａ１１９．前記投入物質は洗剤であることを特徴とする規定文Ａ１乃至Ａ１１８の何れか１つに記載の保持器。
【０３３０】
Ａ１２０．前記投入物質は化粧剤であることを特徴とする規定文Ａ１乃至Ａ１１８の何れか１つに記載の保持器。
【０３３１】
Ａ１２１．前記投入物質は薬剤であることを特徴とする規定文Ａ１乃至Ａ１１８の何れか１つに記載の保持器。
【０３３２】
Ａ１２２．前記保持器（４０；４０’；４０”；２４０；２４０’）は複数の収容座（４５；４５’；４５”；２４５；２４５’）を画成しており、それら複数の収容座のうちの少なくとも１つの収容座を前記投入開口（３３ａ；３３ａ’；２３３）に対向させることができるようにしてあり、更に、前記投入開口に対向させた前記少なくとも１つの収容座をその他全ての収容座から遮断する封止手段が備えられていることを特徴とする規定文Ａ１乃至Ａ１２１の何れか１つに記載の保持器。
【０３３３】
Ａ１２３．前記封止手段は、前記投入開口に対向させた前記少なくとも１つの収容座とその他全ての収容座との間の液体遮断バリヤとして機能するものであることを特徴とする規定文Ａ１２２に記載の保持器。
【０３３４】
Ａ１２４．前記封止手段は、前記投入開口に対向させた前記少なくとも１つの収容座とその他全ての収容座との間の断熱バリヤとして機能するものであることを特徴とする規定文Ａ１２２に記載の保持器。
【０３３５】
Ａ１２５．前記保持器（４０；４０’；４０”；２４０；２４０’）は回転可能に構成されており、該保持器は、該保持器の回転軸心に沿って延在する中央管状部（４１；４１’；４１”；２４１）を備えたボディを有しており、前記中央管状部（４１；４１’；４１”；２４１）に、伝達手段（４７；４７’；４７ａ，４７ｂ）が設けられていることを特徴とする規定文Ａ１乃至Ａ１２４の何れか１つに記載の保持器。
【０３３６】
Ａ１２６．前記保持器は直線移動可能に構成されており、該保持器は長手方向に延在するボディを有しており、該ボディ（２４０）の少なくとも１つの外壁部に、伝達手段（２４７）が設けられていることを特徴とする規定文Ａ１乃至Ａ１２５の何れか１つに記載の保持器。
【０３３７】
Ａ１２７．前記伝達手段は一連の歯（４７；２４７）を備えていることを特徴とする規定文Ａ１乃至Ａ１２６の何れか１つに記載の保持器。
【０３３８】
Ａ１２８．前記一連の歯（４７）は実質的に鋸歯状歯であることを特徴とする規定文Ａ１２７に記載の保持器。
【０３３９】
Ａ１２９．前記保持器が前記ディスペンサー装置（１０）に対してセルフセンタリングされるように、前記一連の歯（４７）はそれらの前面の形状を非平面形状としてあり、また特に、実質的にＶ字形の形状としてあることを特徴とする規定文Ａ１２７又はＡ１２８に記載の保持器。
【０３４０】
Ａ１３０．前記一連の歯（４７）は実質的に周縁部に沿って配列されていることを特徴とする規定文Ａ１２７、Ａ１２８、又はＡ１２９に記載の保持器。
【０３４１】
Ａ１３１．前記一連の歯（４７）は実質的にラックとして形成されていることを特徴とする規定文Ａ１２７、Ａ１２８、又はＡ１２９に記載の保持器。
【０３４２】
Ａ１３２．前記保持器は前記位置付け領域（３１）の内部において回転可能であるように構成されており、該保持器は該保持器の回転軸心に沿って延在する中央管状部（４１；４１’；４１”；２４１）を備えたボディを有しており、前記伝達手段（４７；４７’；４７ａ，４７ｂ）は前記中央管状部（４１；４１’；４１”；２４１）に設けられていることを特徴とする規定文Ａ１乃至Ａ１３１の何れか１つに記載の保持器。
【０３４３】
Ａ１３３．前記伝達手段（４７）は、前記中央管状部（４１；２４１）に形成されたフランジ部（４１ａ）に形成されており、また特にリングギアから成ることを特徴とする規定文Ａ１乃至Ａ１３２の何れか１つに記載の保持器。
【０３４４】
Ａ１３４．前記伝達手段は、前記中央管状部（４１；４１”）の内周面に交互に形成された一連の凸部（４７ａ）と凹部（４７ｂ）とから成ることを特徴とする規定文Ａ１乃至Ａ１３３の何れか１つに記載の保持器。
【０３４５】
Ａ１３５．前記伝達手段（４７’）は、前記ディスペンサー装置の前記操作システムに連結されたときの該操作システムに対する相対位置が常に同一になるように構成されていることを特徴とする規定文Ａ１乃至Ａ１３４の何れか１つに記載の保持器。
【０３４６】
Ａ１３６．前記伝達手段（４７’）は、前記中央管状部（４１）の溝と軸心方向凸条との少なくとも一方を備えていることを特徴とする規定文Ａ１乃至Ａ１３５の何れか１つに記載の保持器。
【０３４７】
Ａ１３７．規定文Ａ１乃至Ａ１３６の何れか１つに記載されたところの、ただし必ずしもそれら規定文に記載されたものに限定されない、１回用量分ずつに分けられた複数個の投入物質を保持する保持器であって、長期使用可能なディスペンサー装置に作用的に連結されるように構成されており、該ディスペンサー装置（１０）は、該ディスペンサー装置によって制御可能な操作システム（６６，６７；２５０）と、ディスペンサー装置ボディ（２０，３０；２２０，２３０）とを備え、該ディスペンサー装置ボディが、前記保持器（４０；４０’；４０”；２４０；２４０’）の位置付けを行うための位置付け領域（３１；２３１）と、投入開口（３３ａ；３３ａ’；２３３）とを有する構成とした、ディスペンサー装置であり、
前記保持器（４０；４０’；４０”；２４０；２４０’）は、複数の収容座（４５；４５’；４５”；２４５；２４５’）を画成しており、それら収容座は、その各々が、１回用量分ずつに分けられた前記複数個の投入物質のうちの１個ずつの１回用量分の投入物質（４６；２４６）を少なくとも部分的に収容するように構成されており、それら複数個の１回用量分の投入物質の個数は、投入を数回に亘って実行するのに十分な個数であり、
前記保持器（４０；４０’；４０”；２４０；２４０’）は、前記ディスペンサー装置（１０）の前記位置付け領域（３１；２３１）に連結されるか、または、該位置付け領域（３１；２３１）の中に挿入されるように構成されており、前記操作システム（６６，６７；２５０）が前記保持器（４０；４０’；４０”；２４０；２４０’）と前記ディスペンサー装置ボディ（２０，３０；２２０，２３０）の少なくとも一部（３０）との間の相対移動を発生させることによって、１回用量分の投入物質（４６；２４６）の選択的な投入を行えるようにしてあり、
前記保持器（４０；４０’；４０”；２４０；２４０’）は、実質的に高剛性の材料から成る一体部品として形成されたボディを有しており、該ボディは、１回用量分ずつに分けられた前記複数個の投入物質（４６，２４６）を収容するための収容空間を画成しており、該収容空間が分割されて前記複数の収容座（２４５）が画成されている、
ことを特徴とする保持器。
【０３４８】
Ａ１３８．前記保持器はボディを有しており、該ボディは、中央部（４１；４１’；４１”；２４１）と、該中央部から径方向に延出して前記複数の収容座（４５；４５’；４５”；２４５；２４５’）を画成している複数の径方向壁部（４４；４４’；４４”；２４４）とを備えていることを特徴とする規定文Ａ１３７に記載の保持器。
【０３４９】
Ａ１３９．前記中央部（４１；４１’；４１”；２４１）は実質的に管状であって、前記保持器（４０；４０’；４０”；２４０；２４０’）が前記位置付け領域（３１）にあるときに前記ディスペンサー装置（１０）の前記操作システム（６６，６７）と協働するように構成された伝達手段（４７；４７’；４７ａ，４７ｂ）を備えており、該伝達手段は好ましくは前記中央部の中に設けられることを特徴とする規定文Ａ１３７又はＡ１３８に記載の保持器。
【０３５０】
Ａ１４０．前記保持器の前記ボディ（４０；４０”）が更に周壁部（４２；４２”）を備えており、前記複数の径方向壁部（４４；４４”）は、前記中央部（４１；４１”）と前記周壁部（４２；４２”）との間を延在していることを特徴とする規定文Ａ１３８又はＡ１３９に記載の保持器。
【０３５１】
Ａ１４１．前記周壁部（４２；４２”）は、その形状が、実質的に円筒形状、または、実質的に円筒形を扇形に切り分けた形状、または、実質的に截頭円錐形状であることを特徴とする規定文Ａ１４０に記載の保持器。
【０３５２】
Ａ１４２．前記保持器の前記ボディは、上壁部（４３’）と下壁部（４３’）との少なくとも一方を有しており、前記複数の収容座（４５’）は夫々の径方向外端が開放していることを特徴とする規定文Ａ１３８に記載の保持器。
【０３５３】
Ａ１４３．前記複数の収容座（４５；４５”；２４５；２４５’）はその軸心方向両端のうちの少なくとも一方の端部が開放していることを特徴とする規定文Ａ１乃至Ａ１４２の何れか１つに記載の保持器。
【０３５４】
Ａ１４４．前記周壁部（４２）に、前記位置付け領域（３１）内において前記保持器を所定の回転角度位置に手操作で位置付けるのを容易にするための、切欠部と突起部との少なくとも一方が設けられていることを特徴とする規定文Ａ１乃至Ａ１４３の何れか１つに記載の保持器。
【０３５５】
Ａ１４５．前記保持器は、全体形状が角柱形状ないし長手方向に延在するボディを有しており、該ボディは収容空間を画成しており、該収容空間が分割されて前記複数の収容座（２４５）が画成されていることを特徴とする規定文Ａ１３７に記載の保持器。
【０３５６】
Ａ１４６．前記保持器の前記ボディは、その形状が実質的に直方体形状であり、２つの端壁部と２つの側壁部と、底壁部とを備えていることを特徴とする規定文１４５に記載の保持器。
【０３５７】
Ａ１４７．前記保持器はブリスターであることを特徴とする規定文Ａ１４５又はＡ１４６に記載の保持器。
【０３５８】
Ａ１４８．前記保持器はブリスターを収容して保持することを特徴とする規定文Ａ１乃至Ａ１４７の何れか１つに記載の保持器。
【０３５９】
Ａ１４９．前記少なくとも１個の１回用量分の投入物質は、少なくとも投入の開始時には前記保持器に固定されており、それによって、溶解媒体が、前記保持器へ流入して前記投入物質を少なくとも部分的に溶解し、そして、その溶解した部分の投入物質と共に前記投入開口（３３ａ；３３ａ’；２３３）から流出し得るようにしてあることを特徴とする規定文Ａ１乃至Ａ１４８の何れか１つに記載の保持器。
【０３６０】
Ａ１５０．前記溶解媒体が、前記投入開口（３３ａ；３３ａ’；２３３）とは別の第２の開口から前記保持器へ流入するようにしてあり、それによって前記溶解媒体が少なくとも部分的に、前記少なくとも１個の１回用量分の投入物質の中を流れるようにしてあることを特徴とする規定文Ａ１４９に記載の保持器。
【０３６１】
Ａ１５１．前記側壁部及び前記底壁部のうちの少なくとも１つの壁部が、ラックの形状に形成されており、前記保持器（２４０）が前記位置付け領域（２３１）内にあるときに前記ディスペンサー装置（１０）の前記操作システム（２５０）と協働するように構成されていることを特徴とする規定文Ａ１乃至Ａ１５０の何れか１つに記載の保持器。
【０３６２】
Ａ１５２．前記収容空間が、前記保持器ボディ（２４０）の最大長さ方向に対して実質的に垂直で互いに実質的に平行な複数の壁部によって分割されて前記複数の収容座（２４５）が画成されていることを特徴とする規定文Ａ１乃至Ａ１５１の何れか１つに記載の保持器。
【０３６３】
Ａ１５３．前記保持器ボディの少なくとも１つの外壁部が傾斜していることを特徴とする規定文Ａ１乃至Ａ１５２の何れか１つに記載の保持器。
【０３６４】
Ａ１５４．前記保持器ボディ（４０；４０’；４０”；２４０；２４０’）に、前記収容座（４５；４５’；４５”；２４５；２４５’）を閉塞するための除去可能な閉塞手段が設けられており、該閉塞手段は特に保護フィルムまたは保護蓋の形態のものであることを特徴とする規定文Ａ１乃至Ａ１５３の何れか１つに記載の保持器。
【０３６５】
Ａ１５５．前記複数の収容座（４５ｂ；４５ｃ）に、少なくとも２種類（４３）の１回用量分ずつに分けた投入物質（４６ａ，４６ｂ）が少なくとも部分的に収容されていることを特徴とする規定文Ａ１乃至Ａ１５４の何れか１つに記載の保持器。
【０３６６】
Ａ１５６．前記複数の収容座は、その形状が実質的に楔形状または円筒形を扇形に切り分けた形状であり、及び／または、実質的に周縁部に沿って配列されていることを特徴とする規定文Ａ１乃至Ａ１５５の何れか１つに記載の保持器。
【０３６７】
Ａ１５７．前記複数の収容座は、その形状が実質的に円錐形を扇形に切り分けた形状または截頭円錐形状であることを特徴とする規定文Ａ１乃至Ａ１５６の何れか１つに記載の保持器。
【０３６８】
Ａ１５８．前記複数の収容座は、その形状が実質的に角柱形状、または角柱を切り分けた形状、又は直方体形状であり、及び／または、角形または台形または三角形の部分を有することを特徴とする規定文Ａ１乃至Ａ１５７の何れか１つに記載の保持器。
【０３６９】
Ａ１５９．前記保持器はボディを有しており、該ボディは、投入物質を収容するための複数の収容窩（３４５）が形成されたブリスターパッケージ（３００）を保持するように構成されており、各々の収容窩（３４５）に収容された投入物質は１回用量分の投入物質（２４６）であり、各々の収容窩（３４５）は１つの前記収容座（４５；４５’；４５”；２４５；２４５’）に対して相補的な形状ないしは１つの前記収容座（４５；４５’；４５”；２４５；２４５’）の中に収容される形状を有していることを特徴とする規定文Ａ１乃至Ａ１５８の何れか１つに記載の保持器。
【０３７０】
Ａ１６０．前記保持器ボディ（４０；４０’；４０”；２４０；２４０’）は、前記ブリスターパッケージ（３００）夫々の部分（３４５ａ）と係合するように配列された１つまたは複数の部分（４４；４４’；４４”；２４４）を有していることを特徴とする規定文Ａ１５９に記載の保持器。
【０３７１】
Ａ１６１．前記保持器は、前記ディスペンサー装置内における前記保持器の位置、及び／または、前記保持器の種類、及び／または、投入物質、及び／または、前記保持機内における投入物質の位置、を表す情報を格納または通信するのに適した手段を備えていることを特徴とする規定文Ａ１乃至Ａ１６０の何れか１つに記載の保持器。
【０３７２】
Ａ１６２．前記保持器は、前記ディスペンサー装置が前記保持器の相対位置を検出できるようにするのに適した手段を備えていることを特徴とする規定文Ａ１乃至Ａ１６１の何れか１つに記載の保持器。
【０３７３】
Ａ１６３．投入物質または投入物質のリフィルまたはブリスターを保持するための前記保持器の位置及び／または移動を直接的または間接的に検出するという目的のために、実質的にアナログ方式の位置トランスデューサのための検出対象を提供する検出対象提供手段を備えていることを特徴とする規定文Ａ１乃至Ａ１６２の何れか１つに記載の保持器。
【０３７４】
Ａ１６４．前記保持器またはリフィル（２４０）は、移動方向を向いた１つの外壁部に沿って、検出対象提供手段（Ｃ’）または計測可能な形状、または傾斜面（Ｐ）を備えていることを特徴とする規定文Ａ１乃至Ａ１６４の何れか１つに記載の保持器。
【０３７５】
Ａ１６５．前記傾斜面（Ｐ）または前記検出対象提供手段（Ｃ’）は、磁性材料または磁化したフェライト含有プラスチック材料で形成されていることを特徴とする規定文Ａ１６４に記載の保持器。
【０３７６】
Ａ１６６．前記傾斜面（Ｐ）または前記検出対象提供手段（Ｃ’）は、前記保持器またはリフィル（２４０）の移動に応じて、前記ディスペンサー装置に取付けられたアナログ方式のセンサに対する該傾斜面（Ｐ）または該検出対象提供手段（Ｃ’）の近接度が増減するように構成されており、該センサは、前記傾斜面（Ｐ）または前記検出対象提供手段（Ｃ’）から該センサまでの距離に応じた信号を出力するものであることを特徴とする規定文Ａ１６４に記載の保持器。
【０３７７】
Ａ１６７．前記傾斜面（Ｐ）または前記検出対象提供手段（Ｃ’）は、センサ手段（７０”）から出力される信号に、前記保持器またはリフィル（２４０）の移動に応じた大きさの変動を誘起するように構成されており、該センサ手段から出力される信号の値は、該センサ手段の位置に対する前記傾斜面（Ｐ）または前記検出対象提供手段（Ｃ’）の相対的な移動に応じて変化することを特徴とする規定文Ａ１６４に記載の保持器。
【０３７８】
Ａ１６８．前記保持器は回転可能であり、前記傾斜面の輪郭形状（Ｐ）は偏心形状または渦巻形状であることを特徴とする規定文Ａ１６４乃至Ａ１６７の何れか１つに記載の保持器。
【０３７９】
Ａ１６９．前記複数の収容座の少なくとも１つの壁部が傾斜していることを特徴とする規定文Ａ１乃至Ａ１６８の何れか１つに記載の保持器。
【０３８０】
Ａ１７０．少なくとも１つの壁部が前記保持器の移動方向に対して相対的に傾斜していることを特徴とする規定文Ａ１乃至Ａ１６９の何れか１つに記載の保持器。
【０３８１】
Ｂ１７１．長期使用可能なディスペンサー装置（１０）の保持器に組合せて用いるための、少なくとも１種類の物質を収容する複数の収容窩を備えたブリスターパッケージにおいて、該ブリスターパッケージ（３４０）はボディを有し、該ボディは、少なくとも部分的に前記保持器（４０；４０’；４０”；２４０；２４０’）に対して実質的に相補的な形状に形成されていることを特徴とするブリスターパッケージ。
【０３８２】
Ｂ１７２．規定文Ａ１乃至Ａ１７１の何れか１つに記載の保持器と組合せて使用するように構成されていることを特徴とする規定文Ｂ１７１に記載のブリスターパッケージ。
【０３８３】
Ｂ１７３．前記複数の収容窩（３４５）の間に、領域ないし伝達手段（３４５ａ）が画成されており、該領域ないし伝達手段は、前記保持器（４０；４０’；４０”；２４０；２４０’）の夫々の部分（４４；４４’；４４”；２４４）がその中に嵌合されるように構成されていることを特徴とする規定文Ｂ１７１又はＢ１７２に記載のブリスターパッケージ。
【０３８４】
Ｂ１７４．前記ブリスターパッケージは、前記複数の収容窩（３４５）を画成しているメインボディと、該メインボディに除去可能に設けられて前記複数の収容窩を少なくとも部分的に閉塞しているフィルムとを有することを特徴とする規定文Ｂ１７１乃至Ｂ１７３の何れか１つに記載のブリスターパッケージ。
【０３８５】
Ｂ１７５．前記ブリスターパッケージは、その全体形状が実質的に扁平な円筒形状であり、前記収容窩（３４５）が実質的に周縁部に沿って配列されていることを特徴とする規定文Ｂ１７１乃至Ｂ１７４の何れか１つに記載のブリスターパッケージ。
【０３８６】
Ｂ１７６．前記ブリスターパッケージは、その形状が軸方向に長い形状であり、前記複数の収容窩（３４５）が列設されていることを特徴とする規定文Ｂ１７１乃至Ｂ１７５の何れか１つに記載のブリスターパッケージ。
【０３８７】
Ｂ１７７．前記ブリスターパッケージは、可撓性を有するメインボディを有しており、該メインボディは、対応する保持器（４０’）の中に装填する際に、実質的に円形に変形させることができることを特徴とする規定文Ｂ１７６に記載のブリスターパッケージ。
【０３８８】
Ｂ１７８．前記複数の収容窩（３４５）は、その形状が、実質的に楔形状、または台形形状、または円筒形を扇形に切り分けた形状であることを特徴とする規定文Ｂ１７１乃至Ｂ１７７の何れか１つに記載のブリスターパッケージ。
【０３８９】
Ｃ１７９．規定文Ａ１乃至Ａ１７０の何れか１つに記載の保持器と規定文Ｂ１７１乃至Ｂ１７８の何れか１つに記載のブリスターパッケージとを組合せたことを特徴とするパーツキット。
【０３９０】
Ｄ１８０．少なくとも１個の１回用量分の投入物質を保持する保持器をディスペンサー装置に用いるようユーザに指示する方法において、
−規定文Ａ１乃至Ａ１７０の何れか１つに記載の保持器を用意することをユーザに指示するステップと、
−前記投入開口を介して前記少なくとも１個の１回用量分の投入物質の少なくとも一部に溶解媒体が接触するようにし、それによって、前記溶解媒体が、前記保持器へ流入して前記投入物質を少なくとも部分的に溶解し、そして、その溶解した投入物質と共に前記投入開口（３３ａ；３３ａ’；２３３）から流出し得るようにすることをユーザに指示するステップと、
を含むことを特徴とする方法。
【０３９１】
Ｄ１８１．少なくとも１個の１回用量分の投入物質を保持する保持器をディスペンサー装置に装填する方法において、
−規定文Ａ１乃至Ａ１７０の何れか１つに記載の保持器を用意するステップ、
−前記保持器を前記ディスペンサー装置（１０）の前記位置付け領域（３１：１３１）に挿入するステップ、
−前記保持器を手操作で移動させて１個の１回用量分の投入物質を前記ディスペンサー装置の開口または位置に位置合せするステップ、
のうちの、少なくとも２つのステップを含むことを特徴とする方法。
【０３９２】
Ｄ１８２．投入物質を保持する保持器の製造方法であって、該保持器は規定文Ａ１乃至Ａ１７０の何れか１つに記載された保持器であることが好ましく、ただし必ずしもそれら規定文に記載されたものに限定されない保持器である、保持器の製造方法において、
−前記保持器と、前記検出対象提供手段ないし参照情報提供手段の少なくとも１つとを製作するのに適した形状を有する少なくとも１つの成形型を用意するステップと、
−前記保持器と、前記検出対象提供手段ないし参照情報提供手段の少なくとも１つとを提供するのに適した少なくとも一種類の材料を用いて、射出成形を行うステップと、
を少なくとも含むことを特徴とする方法。
【０３９３】
Ｄ１８３．
−前記保持器と前記検出対象提供手段ないし参照情報提供手段の少なくとも１つとを、一体部品として製作するのに適した形状を有する第１成形型を用意するステップと、
−前記保持器と前記検出対象提供手段ないし参照情報提供手段の少なくとも１つとを、一体部品として製作するのに適した第１材料を用いて射出成形を行うステップと、
を少なくとも含むことを特徴とする規定文Ｄ１８２に記載の方法。
【０３９４】
Ｄ１８４． 
−保持器を製作するのに適した形状を有する、少なくとも１つの第１金型部分と第２金型部分とを備えた、第１成形型を用意するステップと、
−前記第１成形型に第１材料を注入して射出成形を行うことで前記保持器を製作するステップと、
−前記第１成形型の、前記第１金型部分と前記第２金型部分との少なくとも一方を除去するステップと、
−前記検出対象提供手段ないし参照情報提供手段の少なくとも一部を製作するのに適した形状を有する少なくとも１つの第２成形型部分を用意するステップと、
−前記保持器の前記検出対象提供手段ないし参照情報提供手段の少なくとも一部を製作するのに適した第２材料を用いて射出成形を行うステップと、
を少なくとも含むことを特徴とする規定文Ｄ１８２に記載の方法。
【０３９５】
Ｄ１８５．
−前記保持器を製作するのに適した形状を有する第１成形型を用意するステップと、
−前記第１成形型に第１材料を注入して射出成形を行うことで前記保持器を製作するステップと、
−前記第１成形型から前記保持器を取出すステップと、
−前記検出対象提供手段ないし参照情報提供手段の少なくとも一部を製作するのに適した形状を有する第２成形型を用意するステップと、
−前記保持器を前記第２成形型の内部に挿入するステップと、
−前記保持器の前記検出対象提供手段ないし参照情報提供手段の少なくとも一部を製作するのに適した第２材料を用いて射出成形を行うステップと、
を少なくとも含むことを特徴とする規定文Ｄ１８２に記載の方法。
【０３９６】
Ｄ１８６．
−前記保持器を製作するのに適した形状を有し、少なくとも１つのインサートを載置するための少なくとも１つのインサート載置座を備えた第１成形型を用意するステップと、
−前記第１成形型の前記少なくとも１つのインサート載置座に、前記検出対象提供手段ないし参照情報提供手段を製作するのに適した少なくとも１つのインサートを載置するステップと、
−前記第１成形型に前記保持器を製作するのに適した材料を注入して射出成形を行うステップと、
を少なくとも含むことを特徴とする規定文Ｄ１８２に記載の方法。
【０３９７】
Ｄ１８７．
−前記成形型の少なくとも１つのインサート載置座に、少なくとも１つの磁性インサートまたは磁化インサートを載置するステップと、
−前記成形型の少なくとも１つのインサート載置座に、少なくとも１つの金属インサートまたは強磁性体インサートを載置するステップと、
のうちの、少なくとも一方のステップを含むことを特徴とする規定文Ｄ１８６に記載の方法。
【０３９８】
Ｄ１８８．
−熱可塑性プラスチック材料及び／またはエラストマー材料を用いて射出成形を行うステップと、
−加熱工程によって溶融状態または流動状態とした材料を用いて射出成形を行うステップと、
−注入後に硬化させるのに適した樹脂材料ないし流動性材料を用いて射出成形を行うステップと、
−前記成形型の内部で硬化させるのに適した材料を用いて射出成形を行うステップと、
−フェライト含有プラスチック材料を用いて射出成形を行うステップと、
のうちの、少なくとも１つのステップを含むことを特徴とする規定文Ｄ１８２乃至Ｄ１８７の何れか１つに記載の方法。
【０３９９】
Ｄ１８９．
−前記少なくとも１つのインサートを磁化するステップと、
−前記検出対象提供手段ないし参照情報提供手段を磁化するステップと、
−前記保持器を磁化するステップと、
のうちの、少なくとも１つのステップを含むことを特徴とする規定文Ｄ１８２乃至Ｄ１８８の何れか１つに記載の方法。
【０４００】
Ｄ１９０．投入物質を保持する保持器の製造方法であって、該保持器は規定文Ａ１乃至Ａ１７０の何れか１つに記載された保持器であることが好ましく、ただし必ずしもそれら規定文に記載されたものに限定されない保持器である、保持器の製造方法において、
−前記保持器を製作するのに適した形状を有する少なくとも１つの成形型を用意するステップと、
−前記保持器を製作するのに適した少なくとも一種類の材料を用いて射出成形を行うステップと、
−検出対象提供手段または検出対象提供部を、前記保持器に固定し、または接着し、または溶着するステップと、
を少なくとも含むことを特徴とする方法。
【０４０１】
Ｄ１９１．
−少なくとも１つの光検出対象部を、固定し、または接着し、または溶着するステップと、
−少なくとも１つの磁気検出対象部を、固定し、または接着し、または溶着するステップと、
−少なくとも１つの反射性検出対象部、または図形文字を備えた色検出対象部を、固定し、または接着し、または溶着するステップと、
のうちの、少なくとも１つの更なるステップを含むことを特徴とする規定文Ｄ１９０に記載の方法。
【０４０２】
Ｅ１９２．規定文Ｄ１８２乃至Ｄ１９１の何れか１つに記載の方法を用いて規定文Ａ１乃至Ａ１７０の何れか１つに記載の保持器を製造するための成形型。
【０４０３】
Ａ１９３．封止手段として機能すると共に、前記参照情報提供手段ないし検出対象提供手段または前記参照情報提供部ないし検出対象提供部（Ａ；Ａ’；Ａ”；４９，４９ａ，４９ｂ；Ａ１，Ａ２；Ｎ，Ｓ）の少なくとも一部としても機能する封止手段を備えたことを特徴とする規定文Ａ１乃至Ａ１７０の何れか１つに記載の保持器。
【０４０４】
Ａ１９４．前記検出対象提供手段は、前記ディスペンサー装置のセンサ手段からの距離を一定に維持しつつ、または該センサ手段からの距離を変化させつつ、該センサ手段に対して相対的に移動することによって、該センサ手段から出力される信号に、その相対移動に応じた大きさの変動を誘起することができるように構成されており、該センサ手段から出力される信号の値は、該センサ手段の位置に対する前記検出対象提供手段または前記保持器の相対的な位置または移動に応じて変化することを特徴とする規定文Ａ１乃至Ａ１７０の何れか１つ又は規定文Ａ１９３に記載の保持器。
【０４０５】
Ａ１９５．前記保持器は情報手段を備えており、該情報手段は前記ディスペンサー装置の検出手段によって検出されるのに適した情報を含んでいることを特徴とする規定文Ａ１乃至Ａ１７０の何れか１つ又は規定文Ａ１９３に記載の保持器。
【０４０６】
Ｅ１９６．少なくとも１個の１回用量分の投入物質を保持する保持器をディスペンサー装置に用いるようユーザに指示する方法において、
−規定文Ａ１乃至Ａ１７０の何れか１つに記載の保持器を用意することをユーザに指示するステップと、
−ディスペンサー装置内で前記保持器の位置付けを行うことで、該ディスペンサー装置内において前記投入開口を介して前記少なくとも１個の１回用量分の投入物質の少なくとも一部に溶解媒体が接触するようにし、それによって、前記溶解媒体が、前記保持器へ流入して前記投入物質を少なくとも部分的に溶解し、そして、その溶解した投入物質と共に前記投入開口（３３ａ；３３ａ’；２３３）から流出し得るようにすることをユーザに指示するステップと、
を含むことを特徴とする方法。
【０４０７】
Ｆ１９７．少なくとも１個の１回用量分の投入物質を保持する保持器をディスペンサー装置に用いる方法において、
−規定文Ａ１乃至Ａ１７０の何れか１つに記載の保持器を用意するステップと、
−前記少なくとも１個の１回用量分の投入物質の少なくとも一部を溶解媒体で溶解し、その際に、前記溶解媒体が、前記保持器へ流入して前記投入物質を少なくとも部分的に溶解し、そして、その溶解した部分の投入物質と共に前記投入開口から流出し得るようにするステップと、
を含むことを特徴とする方法。
【０４０８】
Ｇ１９８．１７１乃至１９７の番号を付した規定文の何れか１つに記載の方法を実施するための保持器。
【０４０９】
Ｈ１９９．１７１乃至１９２、及び、１９６乃至１９７の番号を付した規定文の何れか１つに記載の特徴を実現するための、規定文Ａ１乃至Ａ１７０、及び、Ａ１９３乃至Ａ１９５の何れか１つに記載の保持器。
【図１】
2010535562.tif 000003
【図２】
2010535562.tif 000004
【図３】
2010535562.tif 000005
【図４】
2010535562.tif 000006
【図５】
2010535562.tif 000007
【図６】
2010535562.tif 000008
【図７】
2010535562.tif 000009
【図８】
2010535562.tif 000010
【図９】
2010535562.tif 000011
【図１０】
2010535562.tif 000012
【図１１】
2010535562.tif 000013
【図１２】
2010535562.tif 000014
【図１３】
2010535562.tif 000015
【図１４】
2010535562.tif 000016
【図１５】
2010535562.tif 000017
【図１６】
2010535562.tif 000018
【図１７】
2010535562.tif 000019
【図１８】
2010535562.tif 000020
【図１９】
2010535562.tif 000021
【図２０】
2010535562.tif 000022
【図２１】
2010535562.tif 000023
【図２２】
2010535562.tif 000024
【図２３】
2010535562.tif 000025
【図２４】
2010535562.tif 000026
【図２５】
2010535562.tif 000027
【図２６】
2010535562.tif 000028
【図２７】
2010535562.tif 000029
【図２８】
2010535562.tif 000030
【図２９】
2010535562.tif 000031
【図３０】
2010535562.tif 000032
【図３１】
2010535562.tif 000033
【図３２】
2010535562.tif 000034
【図３３】
2010535562.tif 000035
【図３４】
2010535562.tif 000036
【図３５】
2010535562.tif 000037
【図３６】
2010535562.tif 000038
【図３７ａ】
2010535562.tif 000039
【図３７ｂ】
2010535562.tif 000040
【図３７ｃ】
2010535562.tif 000041
【図３８ａ】
2010535562.tif 000042
【図３８ｂ】
2010535562.tif 000043
【図３８ｃ】
2010535562.tif 000044
【図３９】
2010535562.tif 000045
【図４０】
2010535562.tif 000046
【図４１】
2010535562.tif 000047
【図４２】
2010535562.tif 000048
【図４３】
2010535562.tif 000049
【図４４】
2010535562.tif 000050
【図４５】
2010535562.tif 000051
【図４６】
2010535562.tif 000052
【図４７】
2010535562.tif 000053
【国際調査報告】
2010535562.tif 000054
2010535562.tif 000055
2010535562.tif 000056
2010535562.tif 000057
2010535562.tif 000058
2010535562.tif 000059